(57)【要約】【課題】遊技媒体の滞留による不具合の発生を抑制することができる遊技機を提供すること。【解決手段】遊技球Ｐの移動方向に対して交差する前後方向に動作可能な可変部材６０２を有し、該可変部材６０２が動作することで遊技球Ｐが第２始動入賞口６１０に進入可能な進入可能状態となる可変入賞球装置６Ｂと、可変入賞球装置６Ｂが進入可能状態であるときに可変部材６０２へ向けて遊技球Ｐの移動を案内するための案内通路形成部６０４と、を備え、案内通路形成部６０４と進入可能状態における可変部材６０２との間には、遊技球Ｐが通過可能な第１間隙６５１が設けられている。【選択図】図３５
2020068805.tif 000002
【特許請求の範囲】
【請求項１】
遊技が可能な遊技機であって、
遊技媒体の移動方向に対して交差する方向に動作可能な可変部材を有し、該可変部材が動作することで遊技媒体が特定領域に進入可能な進入可能状態となる可変手段と、
前記可変手段が前記進入可能状態であるときに前記可変部材へ向けて遊技媒体の移動を案内するための案内部と、
を備え、
前記案内部と前記進入可能状態における前記可変部材との間には、遊技媒体が通過可能な間隙が設けられている
ことを特徴とする遊技機。
【発明の詳細な説明】
【技術分野】
【０００１】
本発明は、遊技が可能な遊技機に関する。
【背景技術】
【０００２】
遊技機の一例であるパチンコ遊技機において、遊技媒体の移動方向に対して交差する方向に進退可能な可動部材を有し、該可動部材が遊技領域側に進出する進出状態となることにより遊技媒体が進入可能となり、可動部材が遊技盤側に退避する退避状態となることにより遊技媒体が進入不能または進入困難となる可変装置を備えた遊技機等がある。
【０００３】
この種の遊技機として、例えば、可動部材が進出状態となることにより該可動部材の側方に配置された入賞口へ遊技媒体が進入可能となる可変装置を備えたもの等があった（例えば、特許文献１参照）。
【先行技術文献】
【特許文献】
【０００４】
【特許文献１】特開２０１５−７７２３５号公報
【発明の概要】
【発明が解決しようとする課題】
【０００５】
上記特許文献１に記載の遊技機では、遊技媒体の滞留による不具合の対策が不十分であるという問題があった。
【０００６】
本発明は、このような問題点に着目してなされたもので、遊技媒体の滞留による不具合の発生を抑制することができる遊技機を提供することを目的とする。
【課題を解決するための手段】
【０００７】
前記課題を解決するために、本発明の手段１の遊技機は、
遊技が可能な遊技機（例えば、パチンコ遊技機１）であって、
遊技媒体（例えば、遊技球Ｐ）の移動方向に対して交差する方向（例えば、前後方向）に動作可能な可変部材（例えば、可変板６０２）を有し、該可変部材が動作することで遊技媒体が特定領域（例えば、第２始動入賞口６１０）に進入可能な進入可能状態となる可変手段（例えば、可変入賞球装置６Ｂ）と、
前記可変手段が前記進入可能状態であるときに前記可変部材へ向けて遊技媒体の移動を案内するための案内部（例えば、案内通路形成部６０４）と、
を備え、
前記案内部と前記進入可能状態における前記可変部材との間には、遊技媒体が通過可能な間隙が設けられている（例えば、可変板６０２が進出位置まで移動した進入可能状態において、可変板６０２と側壁６４１Ｒの下端との間に第１間隙６５１が設けられている。図２９、図３５参照）
ことを特徴としている。
この特徴によれば、遊技媒体の滞留による不具合の発生を抑制することができる。
【０００８】
本発明の手段２の遊技機は、手段１に記載の遊技機であって、
前記可変手段（例えば、可変入賞球装置６Ｂ）は、特別領域（例えば、通過ゲート４１）を遊技媒体（例えば、遊技球Ｐ）が通過したことに基づいて前記進入可能状態に変化可能であり（例えば、遊技球が通過ゲート４１を通過すると、普通図柄表示器２０による普図ゲームが開始され、普通図柄の変動表示結果が「普図当り」となったことに対応して、可変板６０２が進出位置へ移動して可変入賞球装置６Ｂが進入可能状態となる。）、
前記進入可能状態において、前記特別領域を通過した遊技媒体が前記可変部材へ向けて移動可能となる（例えば、案内通路形成部６０４は、ベース板６０１、前壁６０６及び左右の側壁６４１Ｌ，６４１Ｒを有し、遊技領域Ｙにおける可変入賞球装置６Ｂの上方から流下してくる遊技球Ｐの進入が可能となるように上向きに開口する進入口を形成する通過ゲート４１と、通過ゲート４１を通過した遊技球Ｐを１個ずつ第２始動入賞口６１０の右側方近傍位置に向けて下方に案内する案内経路Ｋ２と、を形成する。図２９参照）
ことを特徴としている。
この特徴によれば、特別領域を通過した遊技媒体を可変部材によって特定領域へ案内できる。
【０００９】
本発明の手段３の遊技機は、手段１または２に記載の遊技機であって、
前記可変部材（例えば、可変板６０２）は、前記進入可能状態において遊技媒体を一方側（右側）から他方側（左側）へ向けて誘導可能に傾斜し、
前記可変部材の他方側に前記特定領域（例えば、第２始動入賞口６１０）が設けられ、一方側に前記間隙（例えば、第１間隙６５１）が設けられる（図２９参照）
ことを特徴としている。
この特徴によれば、傾斜を利用して遊技媒体を特定領域へ向けて円滑に誘導することができるとともに、可変部材の傾斜による遊技媒体の滞留の発生を抑制できる。
【００１０】
本発明の手段４の遊技機は、手段１〜３のいずれかに記載の遊技機であって、
前記可変部材（例えば、可変板６０２）の上流側に遊技媒体（例えば、遊技球Ｐ１，Ｐ２）が滞留した状態において、後続の遊技媒体（例えば、遊技球Ｐ３）を前記間隙（例えば、第１間隙６５１）よりも上流側にて排出するための上流側間隙（例えば、第２間隙６５２）を備える（図２９、図３６参照）
ことを特徴としている。
この特徴によれば、可変部材の上流側の領域での遊技媒体の滞留の発生を抑制できる。
【００１１】
本発明の手段５の遊技機は、手段１〜４のいずれかに記載の遊技機であって、
前記可変部材（例えば、可変板６０２）は、進入困難状態において遊技媒体の前記特定領域（例えば、第２始動入賞口６１０）への進入を規制するための進入規制部（例えば、突出部６２１）を有する（図２９、図３２参照）
ことを特徴としている。
この特徴によれば、進入困難状態において可変部材による遊技媒体の特定領域への進入を規制でき、意図しない状態での遊技媒体の進入を抑制できる。
【００１２】
本発明の手段６の遊技機は、手段１〜５のいずれかに記載の遊技機であって、
可変表示を行い、遊技者にとって有利な有利状態（例えば、大当り遊技状態）に制御可能であり、
第１特定領域（例えば、第１始動入賞口）に遊技媒体（例えば、遊技球Ｐ）が進入したことに基づいて可変表示を行い表示結果を導出表示する第１特別可変表示手段（例えば、ＣＰＵ１０３は、第１始動入賞に基づいて第１特別図柄の可変表示を行い、確定特別図柄を停止表示することが可能である。）と、
所定領域（例えば、通過ゲート４１）に遊技媒体が進入したことに基づいて可変表示を行い表示結果を導出表示する普通可変表示手段（例えば、ＣＰＵ１０３は、通過ゲート４１を通過した遊技球Ｐがゲートスイッチ２１にて検出されたことに基づいて普通図柄の可変表示を行い、確定普通図柄を停止表示することが可能である。）と、
前記普通可変表示手段の表示結果として所定表示結果（例えば、普図当り）が導出表示されたことに基づいて、前記可変手段を前記進入可能状態に制御する可変制御手段（例えば、ＣＰＵ１０３は、普通図柄の変動表示結果が「普図当り」となったことに基づいて、可変板６０２を進出位置へ移動して可変入賞球装置６Ｂを進入可能状態に変化させる。）と、
前記可変手段に遊技媒体が進入したことに基づいて可変表示を行い表示結果を導出表示する第２特別可変表示手段（例えば、ＣＰＵ１０３は、第２始動入賞に基づいて第２特別図柄の可変表示を行い、確定特別図柄を停止表示することが可能である。）と、
前記第２特別可変表示手段による可変表示に関する情報を保留記憶情報として記憶する第２保留記憶手段（例えば、ＣＰＵ１０３は、Ｓ１０１の始動入賞判定処理において、始動入賞の発生を検出し、ＲＡＭ１０２の所定領域に保留情報を格納し保留記憶数を更新する処理を実行する。）と、
前記有利状態の終了後において、前記第１特別可変表示手段及び前記第２特別可変表示手段の少なくともいずれか一方による所定回数の可変表示が実行されるまで、非特別状態（例えば、低ベース状態）に比べて前記可変手段に遊技媒体が進入しやすい特別状態（例えば、高ベース状態Ａ，Ｂ）に制御可能な特別状態制御手段（例えば、ＣＰＵ１０３は、大当り遊技状態の終了後は、時間短縮制御（時短制御）が行われる時短状態（高ベース状態Ａ，Ｂ）に制御する。時短状態は、所定回数（例えば、９９回）の特図ゲームが実行されたこと、所定回数（例えば、１回または３回）の小当りが実行されたこと、のうちいずれかの終了条件が先に成立するまで継続する。）と、
を備え、
前記第２特別可変表示手段による可変表示の方が前記第１特別可変表示手段による可変表示よりも有利度合いが高く（例えば、第２特別図柄表示装置４Ｂによる第２特図を用いた特図ゲームでは、第１特別図柄表示装置４Ａによる第１特図を用いた特図ゲームであるときに特図表示結果を「小当り」として小当り遊技状態に制御すると決定される確率（本実施の形態では１／７０）に比べて、特図表示結果を「小当り」として小当り遊技状態に制御すると決定される確率が高くなる（本実施の形態では１／１）。図４０（Ａ）参照）、
前記可変手段の制御期間として、前記進入可能状態の制御に対応する第１期間（例えば、第２始動入賞口開放時間（５５００ｍｓ、１６ｍｓなど））と、該進入可能状態に制御された後の期間であって前記進入困難状態の制御に対応する第２期間（例えば、開放後時間（４０４８ｍｓ））とを含み、
前記第２期間の長さは、前記特別状態における前記第１特別可変表示手段及び前記第２特別可変表示手段のいずれか一方の可変表示時間（例えば、第１特図の変動パターンＰＡ１−１に基づく変動表示時間２００ｍｓ）よりも長く、
前記可変手段が前記進入可能状態に制御されているときに遊技媒体の進入に関する所定条件が成立したことに基づいて、該可変手段が前記進入困難状態に制御される（例えば、ＣＰＵ１０３は、第２始動入賞口６１０の開放制御期間中に遊技球Ｐが２個入賞したときに、第２始動入賞口６１０の閉鎖条件が成立したとして可変入賞球装置６Ｂを進入困難状態に制御する。）
ことを特徴としている。
この特徴によれば、特別状態において可変手段が複数回進入可能状態に制御されないため、適切な制御を実現できる。
【００１３】
尚、本発明は、本発明の請求項に記載された発明特定事項のみを有するものであっても良いし、本発明の請求項に記載された発明特定事項とともに該発明特定事項以外の構成を有するものであっても良い。
【図面の簡単な説明】
【００１４】
【図１】実施の形態における遊技機を示す正面図である。
【図２】パチンコ遊技機の回路構成例を示すブロック図である。
【図３】第２特別可変入賞球装置を示す概略正面図である。
【図４】遊技盤を斜め前から見た状態を示す斜視図である。
【図５】遊技盤を斜め後ろから見た状態を示す斜視図である。
【図６】（Ａ）は第２大入賞口扉が閉鎖位置にある状態、（Ｂ）は第２大入賞口扉が開放位置にある状態における第２大入賞口を示す断面図である。
【図７】（Ａ）は第１貯留板が貯留位置にある状態、（Ｂ）は第１貯留板が解除位置にある状態における第１貯留機構を示す断面図である。
【図８】（Ａ）は振分部材の第１回動状態、（Ｂ）は振分部材の第２回動状態における第２貯留機構を示す断面図、（Ｃ）は（Ａ）のＡ−Ａ断面図である。
【図９】（Ａ）は第２貯留部に１個の遊技球が貯留された状態、（Ｂ）は後続の遊技球が排出経路へ誘導されている状態、（Ｃ）は貯留された遊技球を振分部材で保持した状態、（Ｄ）は振分部材により遊技球を回転体に向けて放出した状態における第２貯留部を示す概略図である。
【図１０】（Ａ）は第２貯留部に２個の遊技球が貯留された状態、（Ｂ）は後続の遊技球が排出経路へ誘導されている状態、（Ｃ）は貯留された先頭の遊技球を振分部材で保持した状態、（Ｄ）は振分部材により先頭の遊技球を回転体に向けて放出した状態、（Ｅ）は貯留された後続の遊技球を振分部材で保持した状態、（Ｆ）は振分部材により後続の遊技球を回転体に向けて放出した状態における第２貯留部を示す概略図である。
【図１１】第２特別可変入賞球装置の下部の構造を示す分解斜視図である。
【図１２】（Ａ）は開閉板が開放位置にある状態、（Ｂ）は開閉板が閉鎖位置にある状態、（Ｃ）（Ｄ）は回転体を示す平面断面図である。
【図１３】図１２（Ｃ）におけるＢ−Ｂ断面図である。
【図１４】（Ａ）は図１２（Ｃ）におけるＣ−Ｃ断面図、（Ｂ）は図１２（Ｄ）におけるＣ’−Ｃ’断面図である。
【図１５】（Ａ）は可動通路体及び可動体の原点位置、（Ｂ）は可動通路体及び可動体の進出位置を示す正面図である。
【図１６】（Ａ）〜（Ｄ）は下部通路体の駆動機構を示す正面図である。
【図１７】（Ａ）は可動通路体の水平断面図、（Ｂ）は第１可動部内を流下する遊技球の状態を示す概略正面断面図、（Ｃ）は第１可動部内を流下する遊技球の状態を示す概略側断面図である。
【図１８】（Ａ）は可動通路体における第２可動部の非展開位置、（Ｂ）は可動通路体における第２可動部の展開位置を示す背面図である。
【図１９】（Ａ）は演出可動体の原点位置、（Ｂ）は演出可動体の進出位置を示す概略図である。
【図２０】演出可動体の構成を斜め前から見た状態を示す分解斜視図である。
【図２１】演出可動体の構成を斜め後ろから見た状態を示す分解斜視図である。
【図２２】演出可動体が演出体原点位置に位置している状態を示す概略正面図である。
【図２３】演出可動体が演出体原点位置と演出体進出位置との間に位置している状態を示す概略正面図である。
【図２４】演出可動体が演出体進出位置まで移動した状態を示す概略正面図である。
【図２５】演出可動体が演出体進出位置において第１装飾状態にある状態を示す概略背面図である。
【図２６】演出可動体が演出体進出位置において第１装飾状態から第２装飾状態に変化した状態を示す概略正面図である。
【図２７】演出可動体が演出体進出位置において第１装飾状態から第２装飾状態へ変化した状態を示す概略背面図である。
【図２８】図２７のＤ−Ｄ断面図である。
【図２９】可変入賞球装置の内部構造を示す縦断面図である。
【図３０】（Ａ）は進入困難状態、（Ｂ）は進入可能状態であるときの可変入賞球装置を示す横断面図である。
【図３１】（Ａ）は図３０（Ａ）のＥ−Ｅ断面図、（Ｂ）は図３０（Ｂ）のＥ’−Ｅ’断面図である。
【図３２】可変板を示す斜視図である。
【図３３】（Ａ）は図３２のＦ−Ｆ断面図、（Ｂ）は図３２のＧ−Ｇ断面図である。
【図３４】（Ａ）〜（Ｃ）は遊技球が第２始動入賞する流れを示す説明図である。
【図３５】（Ａ）〜（Ｃ）は遊技球の釣り合いによる滞留を示す説明図である。
【図３６】（Ａ）〜（Ｃ）は遊技球の球噛みによる滞留を示す説明図である。
【図３７】演出制御コマンドの内容の一例を示す説明図である。
【図３８】主基板の側においてカウントされる乱数値を例示する説明図である。
【図３９】（Ａ）〜（Ｄ）は特別図柄の変動パターンの一例を示す説明図である。
【図４０】（Ａ）は特図表示結果判定テーブルの構成例を示す図、（Ｂ）は特図の保留記憶数を示す図、（Ｃ）は高ベース状態の終了条件を示す図である。
【図４１】（Ａ）は小当り種別判定テーブルＡを示す説明図、（Ｂ）は小当り種別判定テーブルＢを示す説明図、（Ｃ）は小当り種別判定テーブルＣを示す説明図である。
【図４２】（Ａ）は低ベース状態において決定される普通図柄の変動パターンを示す図、（Ｂ）は高ベース状態Ａ，Ｂにおいて決定される普通図柄の変動パターンを示す図、（Ｃ）は普図当りに基づく第２始動入賞口の開放内容を示す図、（Ｄ）は普図表示結果判定テーブルの構成例を示す図、（Ｅ）は普図ゲームにおける各種決定内容を示す図である。
【図４３】遊技制御メイン処理を示すフローチャートである。
【図４４】遊技制御用タイマ割込み処理を示すフローチャートである。
【図４５】特別図柄プロセス処理を示すフローチャートである。
【図４６】（Ａ）〜（Ｅ）は小当り２，４，６，９の小当り遊技状態における１回目の開放状況を示す説明図である。
【図４７】（Ａ）〜（Ｅ）は小当り２，４，６，９の小当り遊技状態における２回目の開放状況を示す説明図である。
【図４８】（Ａ）〜（Ｄ）はハズレ球保持部に遊技球が保持される状況を示す例１、（Ｅ）〜（Ｈ）はハズレ球保持部に遊技球が保持される状況を示す例２を示す説明図である。
【図４９】可動通路体が移動した後、第１貯留部の遊技球の貯留が解除される状況を示す説明図である。
【図５０】（Ａ）〜（Ｄ）はＶ入賞の流れを示す説明図、（Ｅ）〜（Ｇ）はハズレの流れを示す説明図、（Ｈ）はハズレ球保持部に保持された遊技球が排出される状況を示す説明図である。
【図５１】（Ａ）〜（Ｃ）はＶ入賞率を示す説明図である。
【図５２】（Ａ）はハズレ球保持部に遊技球が保持されない場合、（Ｂ）はハズレ球保持部に遊技球が１個保持される場合、（Ｃ）はハズレ球保持部に遊技球が３個保持される場合、（Ｄ）はハズレ球保持部に遊技球が５個保持される場合のＶ入賞率を示す表図である。
【図５３】（Ａ）は遊技球が排出口を通過する状態を示す回転体の平面図、（Ｂ）は（Ａ）のＨ−Ｈ断面図、（Ｃ）は遊技球が排出口から落下する状態を示す回転体の断面図、（Ｄ）は排出口で球噛みが発生した状態を示す回転体の平面図、（Ｅ）は（Ｄ）のＪ−Ｊ断面図、（Ｆ）は球噛み解消動作を実行している状態を示す回転体の断面図である。
【図５４】第２誘導経路と回転体の構造を示す概略説明図である。
【図５５】（Ａ）は非球状の物体が第１貯留部に貯留されている状態、（Ｂ）は第１貯留部の貯留が解除されたが非球状の物体が流下しない状態、（Ｃ）は第１貯留部の貯留が解除されて非球状の物体が流下した状態を示す説明図である。
【図５６】小当り１，３，５，８が開始されてから第１貯留機構が解除されるまでの流れを示すタイミングチャートである。
【図５７】小当り２，４，６，９が開始されてから第１貯留機構が解除されるまでの流れを示すタイミングチャートである。
【図５８】小当り７，１０が開始されてから第１貯留機構が解除されるまでの流れを示すタイミングチャートである。
【図５９】第１貯留機構が解除された後にＶ入賞が発生する流れを示すタイミングチャートである。
【図６０】第１貯留機構が解除された後にＶ入賞が発生しない流れを示すタイミングチャートである。
【図６１】第２特図の１回目の小当りで高ベース状態が終了する場合を示すタイミングチャートである。
【図６２】第１特図の１回目の小当りで高ベース状態が終了する場合を示すタイミングチャートである。
【図６３】第２特図の３回目の小当りで高ベース状態が終了する場合を示すタイミングチャートである。
【図６４】（Ａ）〜（Ｆ）は、小当り遊技状態の各タイミングで実行される各種報知演出を示す図である。
【図６５】（Ａ）は小当り図柄の一例を示す図、（Ｂ）は演出制御用ＣＰＵが用いる小当り図柄種別決定用テーブルである。
【発明を実施するための形態】
【００１５】
（パチンコ遊技機１の構成等）
まず、遊技機の一例であるパチンコ遊技機１の全体の構成について説明する。図１は、パチンコ遊技機１を正面からみた正面図である。図２は、パチンコ遊技機１の回路構成例を示すブロック図である。尚、以下の説明において、図１の手前側をパチンコ遊技機１の前方（前面、正面）側、奥側を後方（背面）側として説明する。尚、本実施の形態におけるパチンコ遊技機１の前面とは、遊技者側からパチンコ遊技機１を見たときに該遊技者と対向する対向面である。尚、本実施の形態におけるフローチャートの各ステップの説明において、例えば「ステップＳ１」と記載する箇所を「Ｓ１」と略記する場合がある。
【００１６】
図１は、本実施の形態におけるパチンコ遊技機１の正面図であり、主要部材の配置レイアウトを示す。パチンコ遊技機１（以下、遊技機と略記する場合がある）は、大別して、遊技盤面を構成する遊技盤２（ゲージ盤）と、遊技盤２を支持固定する遊技機用枠３（台枠）とから構成されている。遊技盤２には、ガイドレール２ｂによって囲まれた、ほぼ円形状の遊技領域Ｙが形成されている。この遊技領域Ｙには、遊技媒体としての遊技球が、所定の打球発射装置から発射されて打ち込まれる。また、遊技機用枠３には、ガラス窓５０ａを有するガラス扉枠５０が左側辺を中心として回動可能に設けられ、該ガラス扉枠５０により遊技領域Ｙを開閉できるようになっており、ガラス扉枠５０を閉鎖したときにガラス窓５０ａを通して遊技領域Ｙを透視できるようになっている。
【００１７】
遊技盤２の所定位置（図１に示す例では、遊技領域Ｙの下方）には、複数種類の特別識別情報としての特別図柄（特図ともいう）の可変表示（特図ゲームともいう）を行う第１特別図柄表示装置４Ａ及び第２特別図柄表示装置４Ｂが設けられている。これらは、それぞれ、７セグメントのＬＥＤなどからなる。特別図柄は、「０」〜「９」を示す数字や「−」などの点灯パターンなどにより表される。特別図柄には、ＬＥＤを全て消灯したパターンが含まれてもよい。
【００１８】
尚、特別図柄の「可変表示」とは、例えば、複数種類の特別図柄を変動可能に表示することである（後述の他の図柄についても同じ）。変動としては、複数の図柄の更新表示、複数の図柄のスクロール表示、１以上の図柄の変形、１以上の図柄の拡大／縮小などがある。特別図柄や後述の普通図柄の変動では、複数種類の特別図柄又は普通図柄が更新表示される。後述の飾り図柄の変動では、複数種類の飾り図柄がスクロール表示又は更新表示されたり、１以上の飾り図柄が変形や拡大／縮小されたりする。尚、変動には、ある図柄を点滅表示する態様も含まれる。可変表示の最後には、表示結果として所定の特別図柄が停止表示（導出又は導出表示などともいう）される（後述の他の図柄の可変表示についても同じ）。尚、可変表示を変動表示、変動と表現する場合がある。
【００１９】
尚、第１特別図柄表示装置４Ａにおいて可変表示される特別図柄を「第１特図」ともいい、第２特別図柄表示装置４Ｂにおいて可変表示される特別図柄を「第２特図」ともいう。また、第１特図を用いた特図ゲームを「第１特図ゲーム」といい、第２特図を用いた特図ゲームを「第２特図ゲーム」ともいう。尚、特別図柄の可変表示を行う特別図柄表示装置は１種類であってもよい。
【００２０】
遊技盤２における遊技領域Ｙの中央付近には画像表示装置５が設けられている。画像表示装置５は、例えばＬＣＤ（液晶表示装置）や有機ＥＬ（Electro Luminescence）等から構成され、各種の演出画像を表示する。画像表示装置５は、プロジェクタ及びスクリーンから構成されていてもよい。画像表示装置５には、各種の演出画像が表示される。
【００２１】
例えば、画像表示装置５の画面上では、第１特図ゲームや第２特図ゲームと同期して、特別図柄とは異なる複数種類の装飾識別情報としての飾り図柄（数字などを示す図柄など）の可変表示が行われる。ここでは、第１特図ゲーム又は第２特図ゲームに同期して、「左」、「中」、「右」の各飾り図柄表示エリア５Ｌ、５Ｃ、５Ｒにおいて飾り図柄が可変表示（例えば上下方向のスクロール表示や更新表示）される。尚、同期して実行される特図ゲーム及び飾り図柄の可変表示を総称して単に可変表示ともいう。
【００２２】
画像表示装置５の画面上には、実行が保留されている可変表示に対応する保留表示や、実行中の可変表示に対応するアクティブ表示を表示するための表示エリアが設けられていてもよい。保留表示及びアクティブ表示を総称して可変表示に対応する可変表示対応表示ともいう。
【００２３】
保留されている可変表示の数は保留記憶数ともいう。第１特図ゲームに対応する保留記憶数を第１保留記憶数、第２特図ゲームに対応する保留記憶数を第２保留記憶数ともいう。また、第１保留記憶数と第２保留記憶数との合計を合計保留記憶数ともいう。
【００２４】
また、遊技盤２の所定位置には、複数のＬＥＤを含んで構成された第１保留表示器２５Ａと第２保留表示器２５Ｂとが設けられ、第１保留表示器２５Ａは、ＬＥＤの点灯個数によって、第１保留記憶数を表示し、第２保留表示器２５Ｂは、ＬＥＤの点灯個数によって、第２保留記憶数を表示する。
【００２５】
画像表示装置５の下方には、入賞球装置６Ａが設けられ、画像表示装置５の左側方には、可変入賞球装置６Ｂが設けられている。
【００２６】
入賞球装置６Ａは、例えば所定の球受部材によって常に遊技球が進入可能な一定の開放状態に保たれる第１始動入賞口を形成する。第１始動入賞口に遊技球が進入したときには、所定個（例えば３個）の賞球が払い出されるとともに、第１特図ゲームが開始され得る。
【００２７】
可変入賞球装置６Ｂ（普通電動役物）は、第１ソレノイド８１によって進入困難状態と進入可能状態とに変化する第２始動入賞口６１０（図２９参照）を形成する。可変入賞球装置６Ｂは、例えば、前後方向に移動可能な可変板６０２（図３０参照）を有し、第１ソレノイド８１がオフ状態であるときに可変板６０２が退避位置となることにより、当該可変板６０２が遊技領域Ｙ側から退避して、第２始動入賞口６１０に遊技球が進入しない進入困難状態になる（第２始動入賞口６１０が進入困難状態になるともいう。）。その一方で、可変入賞球装置６Ｂは、第１ソレノイド８１がオン状態であるときに可変板６０２が遊技領域Ｙ側に進出する進出位置となることにより、第２始動入賞口６１０に遊技球が進入可能（進入容易）な進入可能状態になる（第２始動入賞口６１０が進入可能状態になるともいう。）。第２始動入賞口６１０に遊技球が進入したときには、所定個（例えば３個）の賞球が払い出されるとともに、第２特図ゲームが開始され得る。尚、可変入賞球装置６Ｂは、進入困難状態と進入可能状態とに変化するものであればよく、例えば、電動チューリップ型役物であってもよい。尚、可変入賞球装置６Ｂの詳細な構造については後述する。
【００２８】
遊技盤２の所定位置（図１に示す例では、遊技領域Ｙの左下方３箇所）には、所定の球受部材によって常に一定の開放状態に保たれる一般入賞口１０が設けられる。この場合には、一般入賞口１０のいずれかに進入したときには、所定個数（例えば１０個）の遊技球が賞球として払い出される。
【００２９】
入賞球装置６Ａの下方には、第１大入賞口７０１Ｂを有する第１特別可変入賞球装置７Ａが設けられている。第１特別可変入賞球装置７Ａは、第２ソレノイド８２（図２参照）によって開閉駆動される第１大入賞口扉７０１Ａを備え、その第１大入賞口扉７０１Ａによって進入可能状態（開放状態）と進入困難状態（閉鎖状態）とに変化する第１大入賞口７０１Ｂを形成する。
【００３０】
一例として、第１特別可変入賞球装置７Ａでは、第１大入賞口扉７０１Ａ用（特別電動役物用）の第２ソレノイド８２がオフ状態であるときに第１大入賞口扉７０１Ａが第１大入賞口７０１Ｂを進入困難状態（閉鎖状態）として、遊技球が第１大入賞口７０１Ｂに進入（通過）できなくなる。その一方で、第１特別可変入賞球装置７Ａでは、第１大入賞口扉７０１Ａ用の第１ソレノイド８２がオン状態であるときに第１大入賞口扉７０１Ａが第１大入賞口７０１Ｂを進入可能状態（開放状態）として、遊技球が第１大入賞口７０１Ｂに進入しやすくなる。
【００３１】
第１大入賞口７０１Ｂを通過（進入）した遊技球は、例えば図２に示す第１カウントスイッチ２３によって検出される。第１カウントスイッチ２３によって遊技球が検出されたことに基づき、所定個数（例えば１５個）の遊技球が賞球として払い出される。こうして、第１特別可変入賞球装置７Ａにおいて進入可能状態（開放状態）となった第１大入賞口７０１Ｂを遊技球が通過（進入）したときには、例えば、始動入賞口といった、他の入賞口を遊技球が通過（進入）したときよりも多くの賞球が払い出される。従って、第１特別可変入賞球装置７Ａにおいて第１大入賞口７０１Ｂが進入可能状態（開放状態）となれば、その第１大入賞口７０１Ｂに遊技球が進入可能となり、遊技者にとって有利となる。その一方で、第１特別可変入賞球装置７Ａにおいて第１大入賞口７０１Ｂが進入困難状態となれば、第１大入賞口７０１Ｂに遊技球を通過（進入）させて賞球を得ることが不可能または困難になり、遊技者にとって不利となる。
【００３２】
遊技盤２における遊技領域Ｙの中央部から右側部にかけて第２特別可変入賞球装置７Ｂが設けられている。この第２特別可変入賞球装置７Ｂは、遊技者が画像表示装置５を視認可能なように枠状に形成されている。また、第２特別可変入賞球装置７Ｂは、上端部に第２大入賞口７０２Ｂ用となる第３ソレノイド８３によって開閉駆動される第２大入賞口扉７０２Ａを備え、その第２大入賞口扉７０２Ａによって進入可能状態（開放状態）と進入困難状態（閉鎖状態）とに変化する第２大入賞口７０２Ｂを形成する。
【００３３】
一例として、第２特別可変入賞球装置７Ｂでは、第２大入賞口扉７０２Ａ用の第３ソレノイド８３がオフ状態であるときに第２大入賞口扉７０２Ａが第２大入賞口７０２Ｂを閉鎖状態として、遊技球が第２大入賞口７０２Ｂを通過（進入）できなくする。その一方で、第２特別可変入賞球装置７Ｂでは、第２大入賞口扉７０２Ａ用の第３ソレノイド８３がオン状態であるときに第２大入賞口扉７０２Ａが第２大入賞口７０２Ｂを開放状態として、遊技球が第２大入賞口７０２Ｂを通過（進入）しやすくする。
【００３４】
第２大入賞口７０２Ｂを通過（進入）した遊技球は、例えば図２に示す第２カウントスイッチ２４Ａによって検出される。第２カウントスイッチ２４Ａによって遊技球が検出されたことに基づき、所定個数（例えば１５個）の遊技球が賞球として払い出される。こうして、第２特別可変入賞球装置７Ｂにおいて進入可能状態（開放状態）となった第２大入賞口７０２Ｂを遊技球が通過（進入）したときには、例えば、始動入賞口といった、他の入賞口を遊技球が通過（進入）したときよりも多くの賞球が払い出される。従って、第２特別可変入賞球装置７Ｂにおいて第２大入賞口７０２Ｂが進入可能状態（開放状態）となれば、その第２大入賞口７０２Ｂに遊技球が進入可能となり、遊技者にとって有利となる。その一方で、第２特別可変入賞球装置７Ｂにおいて第２大入賞口７０２Ｂが閉鎖状態となれば、第２大入賞口７０２Ｂに遊技球を通過（進入）させて賞球を得ることが不可能または困難になり、遊技者にとって不利となる。
【００３５】
また、詳細は後述するが、第２特別可変入賞球装置７Ｂ内には、第３カウントスイッチ２４Ｂと第４カウントスイッチ２４Ｃと第５カウントスイッチ２４Ｄが設けられている。本実施の形態では、後述する小当りが発生したことに基づいて小当り遊技状態に制御されることにより、第２特別可変入賞球装置７Ｂが進入困難状態から進入可能状態に変化し、該小当り遊技状態において第２大入賞口７０２Ｂに進入した遊技球が後述するＶ入賞口２８３（図１３参照）に進入して第３カウントスイッチ２４Ｂにより検出されることによりＶ入賞が発生することで、遊技者にとって有利な大当り遊技状態に制御される。
【００３６】
一般入賞口１０を含む各入賞口に遊技球が進入することを「入賞」ともいう。特に、始動口（第１始動入賞口、第２始動入賞口）への入賞を始動入賞ともいう。
【００３７】
遊技盤２の所定位置（図１に示す例では、遊技領域Ｙの下方）には、普通図柄表示器２０が設けられている。一例として、普通図柄表示器２０は、７セグメントのＬＥＤなどからなり、特別図柄とは異なる複数種類の普通識別情報としての普通図柄の可変表示を行う。普通図柄は、「０」〜「９」を示す数字や「−」などの点灯パターンなどにより表される。普通図柄には、ＬＥＤを全て消灯したパターンが含まれてもよい。このような普通図柄の可変表示は、普図ゲームともいう。
【００３８】
可変入賞球装置６Ｂの上部には、遊技球が通過可能な通過ゲート４１が設けられている。遊技球が通過ゲート４１を通過したことに基づき、普図ゲームが実行される。
【００３９】
尚、本実施の形態では、普図ゲームの数である普図保留記憶数を記憶するための普図保留表示器は設けられていないが、普図保留表示器を設けて普図保留記憶数を記憶可能としてもよい。
【００４０】
遊技盤２の表面には、上記の構成以外にも、遊技球の流下方向や速度を変化させる風車及び多数の障害釘が設けられている。遊技領域Ｙの最下方には、いずれの入賞口にも進入しなかった遊技球が取り込まれるアウト口が設けられている。
【００４１】
遊技盤２の所定位置には、後述する可動通路体４００や演出可動体５００が設けられている。
【００４２】
遊技機用枠３の左右上部位置には、効果音等を再生出力するためのスピーカ８Ｌ、８Ｒが設けられており、さらに遊技領域Ｙ周辺部には、遊技効果用の遊技効果ランプ９が設けられている。遊技効果ランプ９は、ＬＥＤを含んで構成されている。
【００４３】
遊技機用枠３の右下部位置には、遊技球を打球発射装置により遊技領域Ｙに向けて発射するために遊技者等によって操作される打球操作ハンドル（操作ノブ）３０が設けられている。
【００４４】
遊技領域Ｙの下方における遊技機用枠３の所定位置には、賞球として払い出された遊技球や所定の球貸機により貸し出された遊技球を、打球発射装置へと供給可能に保持（貯留）する打球供給皿（上皿）が設けられている。上皿の下方には、上皿満タン時に賞球が払い出される打球供給皿（下皿）が設けられている。
【００４５】
遊技領域Ｙの下方における遊技機用枠３の所定位置には、遊技者が把持して傾倒操作が可能なスティックコントローラ３１Ａが取付けられている。スティックコントローラ３１Ａには、遊技者が押下操作可能なトリガボタンが設けられている。スティックコントローラ３１Ａに対する操作は、コントローラセンサユニット３５Ａ（図２参照）により検出される。
【００４６】
遊技領域Ｙの下方における遊技機用枠３の所定位置には、遊技者が押下操作などにより所定の指示操作を可能なプッシュボタン３１Ｂが設けられている。プッシュボタン３１Ｂに対する操作は、プッシュセンサ３５Ｂ（図２参照）により検出される。
【００４７】
パチンコ遊技機１では、遊技者の動作（操作等）を検出する検出手段として、スティックコントローラ３１Ａやプッシュボタン３１Ｂが設けられるが、これら以外の検出手段が設けられていてもよい。
【００４８】
（第２特別可変入賞球装置７Ｂ）
次に、図３〜図１４に基づいて、第２特別可変入賞球装置７Ｂの詳細について説明する。図３は、第２特別可変入賞球装置を示す概略正面図である。図４は、遊技盤を斜め前から見た状態を示す斜視図である。図５は、遊技盤を斜め後ろから見た状態を示す斜視図である。図６は、（Ａ）は第２大入賞口扉が閉鎖位置にある状態、（Ｂ）は第２大入賞口扉が開放位置にある状態における第２大入賞口を示す断面図である。図７は、（Ａ）は第１貯留板が貯留位置にある状態、（Ｂ）は第１貯留板が解除位置にある状態における第１貯留機構を示す断面図である。図８は、（Ａ）は振分部材の第１回動状態、（Ｂ）は振分部材の第２回動状態における第２貯留機構を示す断面図、（Ｃ）は（Ａ）のＡ−Ａ断面図である。図９は、（Ａ）は第２貯留部に１個の遊技球が貯留された状態、（Ｂ）は後続の遊技球が排出経路へ誘導されている状態、（Ｃ）は貯留された遊技球を振分部材で保持した状態、（Ｄ）は振分部材により遊技球を回転体に向けて放出した状態における第２貯留部を示す概略図である。図１０は、（Ａ）は第２貯留部に２個の遊技球が貯留された状態、（Ｂ）は後続の遊技球が排出経路へ誘導されている状態、（Ｃ）は貯留された先頭の遊技球を振分部材で保持した状態、（Ｄ）は振分部材により先頭の遊技球を回転体に向けて放出した状態、（Ｅ）は貯留された後続の遊技球を振分部材で保持した状態、（Ｆ）は振分部材により後続の遊技球を回転体に向けて放出した状態における第２貯留部を示す概略図である。図１１は、第２特別可変入賞球装置の下部の構造を示す分解斜視図である。図１２は、（Ａ）は開閉板が開放位置にある状態、（Ｂ）は開閉板が閉鎖位置にある状態、（Ｃ）（Ｄ）は回転体を示す平面断面図である。図１３は、図１２（Ｃ）におけるＢ−Ｂ断面図である。図１４は、（Ａ）は図１２（Ｃ）におけるＣ−Ｃ断面図、（Ｂ）は図１２（Ｄ）におけるＣ’−Ｃ’断面図である。尚、以下においては、遊技球を遊技球Ｐや遊技球Ｐ１，Ｐ２・・などと呼ぶことがある。
【００４９】
図３〜図５に示すように、第２特別可変入賞球装置７Ｂは、前述したように、画像表示装置５の上方である遊技領域Ｙの上部に設けられた第２大入賞口７０２Ｂから進入した遊技球を下方に誘導する第１誘導経路２０１と、第１誘導経路２０１にて誘導された遊技球を後述するＶ入賞口２８３（図１２参照）に進入可能に誘導する第２誘導経路２０２Ａ，２０２Ｂと、第１誘導経路２０１にて誘導された遊技球を後述するＶ入賞口２８３に進入不可能に誘導する第３誘導経路２０３Ａ，２０３Ｂと、第２誘導経路２０２Ａへ進入可能に誘導された遊技球を貯留可能な第１貯留機構２０４と、第３誘導経路２０３Ａにより誘導された遊技球を貯留可能な第２貯留機構２０５と、第２誘導経路２０２Ａ，２０２Ｂにより誘導された遊技球をＶ入賞口２８３に進入可能に保持するＶ入賞球保持部２７２（図１２（Ｃ）（Ｄ）参照）及び第２誘導経路２０２Ａ，２０２Ｂまたは第３誘導経路２０３Ａ，２０３Ｂにより誘導された遊技球をＶ入賞口２８３に進入不可能に保持するハズレ球保持部２７３Ａ〜２７３Ｅ（図１２（Ｃ）（Ｄ）参照）を有する回転体２０８と、画像表示装置５の下方において回転体２０８を回転可能に支持する支持部材２０９と、第３誘導経路２０３Ａへ誘導された遊技球の一部を遊技盤２の背面側へ誘導した後にパチンコ遊技機１外へ排出するための排出経路２１０と、を主に有している。
【００５０】
尚、これら第１誘導経路２０１、第２誘導経路２０２Ａ，２０２Ｂ、第３誘導経路２０３Ａ，２０３Ｂ、第１貯留機構２０４及び第２貯留機構２０５は、合成樹脂材からなる通路形成部材により全て筒状に形成されており、第２大入賞口７０２Ｂから進入した遊技球は自然流下により流下するようになっている。また、第１誘導経路２０１、第２誘導経路２０２Ａ，２０２Ｂ、第３誘導経路２０３Ａ，２０３Ｂの少なくとも前面側は透光性を有する合成樹脂材により形成されており、内部を流下する遊技球を遊技者から透視可能とされている。
【００５１】
また、第３誘導経路２０３Ａ，２０３Ｂは、遊技盤２の背面側に設けられる画像表示装置５の左前側に重畳する位置（画像表示装置５の表示領域（飾り図柄表示エリア５Ｌ，５Ｃ，５Ｒや保留記憶表示エリア）には重畳しない位置）に配置されており、該画像表示装置５の表示領域を遊技者が視認できるようになっている。
【００５２】
図６に示すように、第２大入賞口７０２Ｂは、遊技盤２の遊技盤面の前方に上向きに開口するように設けられる平面視横長長方形状の入賞口とされている。第２大入賞口扉７０２Ａは、第３ソレノイド８３のプランジャ８３Ａとリンク部材２２０を介して連結されており、第３ソレノイド８３がオフ状態であるときに第２大入賞口７０２Ｂを閉鎖する閉鎖位置（図６（Ａ）参照）と、第３ソレノイド８３がオン状態であるときに遊技盤２側に退避して第２大入賞口７０２Ｂを開放する開放位置（図６（Ｂ）参照）と、の間で前後方向にスライド移動可能に設けられている。
【００５３】
また、第２大入賞口扉７０２Ａは、図３に示すように右端から左端に向けて漸次下方に傾斜するように設けられ、閉鎖位置において、第２大入賞口扉７０２Ａの右側に設けられた壁部Ｈにより誘導される遊技球を左側へ誘導するように設けられている。尚、本実施の形態では、図示しない発射装置から発射され遊技領域Ｙの上部に進入した遊技球のうち、壁部Ｈに衝突した遊技球はほぼ第２大入賞口７０２Ｂへ向けて誘導される。そして、第２大入賞口７０２Ｂが進入困難状態（閉鎖状態）であるときは第２大入賞口扉７０２Ａ上を流下して第２大入賞口７０２Ｂの左側へ誘導され、第２大入賞口７０２Ｂが進入可能状態（開放状態）であるときは第２大入賞口７０２Ｂに進入可能となる。
【００５４】
また、本実施の形態では、第２大入賞口扉７０２Ａは、第２大入賞口７０２Ｂを進入困難状態とする閉鎖位置にあるとき、該第２大入賞口扉７０２Ａの上面を複数の遊技球が左側に向けて流下可能な長さを有しているため、進入可能状態に変化したときに複数の遊技球が一斉に入賞することがある。
【００５５】
尚、本実施の形態では、第２大入賞口７０２Ｂが進入困難状態であるとき、第２大入賞口扉７０２Ａの上面を複数の遊技球が左側に向けて流下する形態を例示したが、本発明はこれに限定されるものではなく、第２大入賞口扉７０２Ａの上面を遊技球が通過するのに要する期間が長くなるようにするための遅延手段（例えば、第２大入賞口７０２Ｂの上方の前後壁に遊技球の流下方向に向けて交互に設けた複数の接触部など）を設けることで、遊技球を前後に蛇行しながら左側に向けて流下させて流下速度を遅くする。このようにすることで、第２大入賞口扉７０２Ａの上面を通過する際に多数の遊技球が滞留しやすくなるため、進入可能状態に変化したときに多数の遊技球を入賞させることが可能となる。
【００５６】
（第１貯留機構２０４）
図７に示すように、第２大入賞口７０２Ｂに進入した遊技球は、第１誘導経路２０１を流下する途中で第２カウントスイッチ２４Ａにて検出された後、第２誘導経路２０２Ａと第３誘導経路２０３Ａとの分岐部２２１に到達する。第２誘導経路２０２Ａにおける分岐部２２１の近傍位置には、第１貯留機構２０４が設けられており、第２誘導経路２０２Ａへ進入した遊技球を１個だけ貯留できるようになっている。
【００５７】
第１貯留機構２０４は、第２誘導経路２０２Ａへ進入した遊技球Ｐ１（１個目の遊技球）の流下を規制して貯留することが可能な第１貯留板２２２と、第１貯留板２２２を駆動させる第４ソレノイド８４と、を有する。第１貯留板２２２は、第４ソレノイド８４のプランジャ８４Ａとリンク部材２２３を介して連結されており、第４ソレノイド８４がオフ状態であるときに第２誘導経路２０２Ａへ突出して遊技球の流下を規制して該第２誘導経路２０２Ａに貯留する貯留位置（図７（Ａ）参照）と、第４ソレノイド８４がオン状態であるときに第２誘導経路２０２Ａの上方に退避して遊技球の流下を許容して貯留を解除する解除位置（図７（Ｂ）参照）と、の間で上下方向にスライド移動可能に設けられている。
【００５８】
第１誘導経路２０１を流下する遊技球Ｐ１は、分岐部２２１にて第３誘導経路２０３Ａより優先して第２誘導経路２０２Ａ側へ誘導される。第２誘導経路２０２Ａへ進入した遊技球Ｐ１は、第１貯留板２２２が貯留位置に位置する場合、該第１貯留板２２２により流下が規制され、第２誘導経路２０２Ａにおける分岐部２２１の近傍である第１貯留部２２７に１個だけ貯留される（図７（Ａ）参照）。また、第１貯留板２２２が解除位置に位置する場合、第２誘導経路２０２Ａへ進入した遊技球Ｐ１は流下が許容され、回転体２０８の略直上位置に設けられる排出口２２４へ到達する。
【００５９】
第２誘導経路２０２Ａの底面は、第１誘導経路２０１から分岐部２２１に進入した遊技球を第２誘導経路２０２Ａへ誘導する第１底面２１２Ａと、第１底面２１２Ａの下流側に連設される第２底面２１２Ｂと、第２底面２１２Ｂの下流側に連設される第３底面２１２Ｃと、第３底面２１２Ｃの下流側に連設される第４底面２１２Ｄと、から構成される。
【００６０】
第１底面２１２Ａは、上流側端部（傾斜上位部）が第１誘導経路２０１における左右方向の略中央位置寄りもやや左側に位置するように配置されることで、第１誘導経路２０１を流下する遊技球を第３誘導経路２０３Ａより優先して第２誘導経路２０２Ａ側へ誘導する。また、第２底面２１２Ｂは、第１貯留部２２７に対応する位置に配置される。
【００６１】
これら第１底面２１２Ａ、第２底面２１２Ｂ、第３底面２１２Ｃ及び第４底面２１２Ｄは、全て遊技球が自然流下可能となるように下流側に向けて漸次下方に傾斜する傾斜面とされており、第１底面２１２Ａ、第２底面２１２Ｂ、第３底面２１２Ｃ及び第４底面２１２Ｄの水平面に対する下り傾斜角度は、第１底面２１２Ａ、第３底面２１２Ｃ、第４底面２１２Ｄ、第２底面２１２Ｂの順に大きい。すなわち、第１貯留部２２７に対応する第２底面２１２Ｂの下り傾斜角度θ２は、第２誘導経路２０２Ａにおける他の底面（第１底面２１２Ａ、第３底面２１２Ｃ、第４底面２１２Ｄ）の下り傾斜角度θ１、θ３、θ４よりも小さい（θ２＜θ１、θ３、θ４）。また、第２底面２１２Ｂの下流側に連設される第３底面２１２Ｃの下り傾斜角度θ３は、その下流側の第４底面２１２Ｄの下り傾斜角度θ４よりも大きい（θ３＞θ４）。
【００６２】
よって、第１貯留部２２７に遊技球が貯留されていない状態で分岐部２２１に進入した遊技球は、第１底面２１２Ａにより第２誘導経路２０２Ａ側へ誘導された後、第１貯留板２２２により流下が規制され第１貯留部２２７に貯留される。流下が規制された遊技球は、第２底面２１２Ｂ上に位置する。貯留の規制が解除された場合、第２底面２１２Ｂにより第３底面２１２Ｃに誘導された遊技球は、第３底面２１２Ｃにより加速された後、第４底面２１２Ｄにおいて流下速度がやや低下する。
【００６３】
一方、図７（Ａ）に示すように、第２誘導経路２０２Ａにおける第１貯留部２２７に遊技球Ｐ１が貯留されると、第２誘導経路２０２Ａの入口が遊技球Ｐ１により塞がれる。よって、図７（Ａ）に示すように、分岐部２２１に到達する後続の遊技球Ｐ２，Ｐ３，Ｐ４，…は、第１貯留板２２２により貯留されている遊技球Ｐ１により第２誘導経路２０２Ａへの進入が阻害されるため、第３誘導経路２０３Ａへ誘導される。
【００６４】
図３に示すように、第２誘導経路２０２Ａは固定式の通路であるのに対し、第２誘導経路２０２Ｂは可動式の通路とされており、第２誘導経路２０２Ａの下流端に形成される排出口２２４と第２誘導経路２０２Ｂの上流端に形成される流入口２２５とが合致することで、第２誘導経路２０２Ａと第２誘導経路２０２Ｂとが連通して一の誘導経路が形成されるようになっている。
【００６５】
詳細は後述するが、第２誘導経路２０２Ｂの上部には流入口２２５が形成されているとともに、第２誘導経路２０２Ｂの下部には排出口２２６が形成されている。そして、第２誘導経路２０２Ｂが通路形成位置へ移動したときに、第２誘導経路２０２Ａの下流端に形成される排出口２２４と第２誘導経路２０２Ｂの上部に形成された流入口２２５とが合致するとともに、第２誘導経路２０２Ｂの下面の排出口２２６が、回転体２０８の上方における回転軸９０Ａ（図１１参照）よりもやや後位置に位置する。よって、第１貯留板２２２により貯留されていた遊技球Ｐ１は、第１貯留板２２２による貯留が解除されることで、第２誘導経路２０２Ａを流下した後、排出口２２４と流入口２２５を介して第２誘導経路２０２Ｂへ進入し、該第２誘導経路２０２Ｂを流下した後に排出口２２６から排出され、回転体２０８上に落下する。
【００６６】
（第２貯留機構２０５）
図３に示すように、第３誘導経路２０３Ａを流下する遊技球は、分岐部２２１から左側へ向けて誘導された後に下方に落下し、その後第２貯留機構２０５及び第３誘導経路２０３Ｂを介して右側（回転体２０８側）に誘導されるようになっている。第３誘導経路２０３Ａと第３誘導経路２０３Ｂとの間の位置には第２貯留機構２０５が設けられており、第３誘導経路２０３Ａを流下してきた遊技球を１個または２個貯留できるようになっている。
【００６７】
図８に示すように、第２貯留機構２０５は、第３誘導経路２０３Ａを流下する遊技球（例えば、遊技球Ｐ２，Ｐ３）を貯留する第１回動状態と該遊技球を回転体２０８に向けて流下可能とする第２回動状態とに変化可能な振分部材２４２と、振分部材２４２を駆動させる第５ソレノイド８５と、を有する。詳しくは、振分部材２４２は、遊技球を保持可能な凹状の保持部２４２ａを有する本体部２４２Ａと、該本体部２４２Ａから外側に張り出す連結部２４２Ｂと、を備えており、本体部２４２Ａは、第３誘導経路２０３Ａを構成する部材に対し上下方向に延びる回動軸２４３により回動可能に取付けられており、連結部２４２Ｂは、第５ソレノイド８５のプランジャ８５Ａと連結されている。
【００６８】
振分部材２４２は、第５ソレノイド８５がオフ状態であるときに保持部２４２ａが第２貯留部２４７側（第３誘導経路２０３Ａの上流（左方）側）を向く第１回動状態（図８（Ａ）参照）と、第５ソレノイド８５がオン状態であるときに保持部２４２ａが回転体２０８への流入口２０３Ｃの上部に配置された状態、つまり、保持部２４２ａが第２貯留部２４７からはずれた方向を向く第２回動状態（図８（Ｂ）参照）と、の間で回動軸２４３を中心として前後方向に回動可能に設けられている。
【００６９】
図８（Ｃ）に示すように、振分部材２４２の左側近傍位置（上流側の近傍位置）に形成される第２貯留部２４７は、段差部２４７ａを介して第３誘導経路２０３Ａの経路底面より低位置に形成され、振分部材２４２の下方まで延びている。また、第２貯留部２４７の下方から回転体２０８に向けて第３誘導経路２０３Ｂが延設されており、第２貯留部２４７を構成する底壁部には、第２貯留部２４７に流入する遊技球の軌道よりも前方側に若干ずれた位置に流入口２０３Ｃが形成されている。
【００７０】
よって、図８（Ａ）に示すように、振分部材２４２が第１回動状態のときには、保持部２４２ａに保持される遊技球Ｐ２が、流入口２０３Ｃの後方側にずれて配置されるため、遊技球Ｐ２が流入口２０３Ｃを介して第３誘導経路２０３Ｂに流下することが規制され、第２貯留部２４７に貯留される。一方、図８（Ｂ）に示すように、振分部材２４２が第２回動状態のときには、保持部２４２ａに保持される遊技球Ｐ２が流入口２０３Ｃ上に配置されるため、流入口２０３Ｃを介して第３誘導経路２０３Ｂに流下し、第３誘導経路２０３Ｂにより誘導されて回転体２０８に向けて流下する。尚、第３誘導経路２０３Ｂの底面下方には第５カウントスイッチ２４Ｄ（近接センサ）が配設されており、第３誘導経路２０３Ｂを流下する遊技球、つまり、回転体２０８に誘導された遊技球を検出することができるようになっている。
【００７１】
また、第２貯留部２４７の左側近傍位置（上流側の近傍位置）には、遊技球をパチンコ遊技機１外へ排出するための排出経路２１０が形成されており、第２貯留部２４７に貯留されない遊技球は、排出口２１０ａを介して第３誘導経路２０３Ａから排出経路２１０に排出されるようになっている。
【００７２】
次に、遊技球が第２貯留部２４７に１個貯留される態様について、図９に基づいて説明する。図９（Ａ）に示すように、振分部材２４２が第２回動状態である場合には、第２貯留部２４７に遊技球が１個貯留可能となる。
【００７３】
これによれば、第３誘導経路２０３Ａに誘導され第２貯留部２４７に流入した遊技球Ｐ２は、振分部材２４２の保持部２４２ａの先端部位に接触することにより、第３誘導経路２０３Ｂ側へ進入して保持部２４２ａに保持されることが阻止されるので、第２貯留部２４７に貯留される。尚、振分部材２４２の第２回動状態にあっては、振分部材２４２における保持部２４２ａの先端部位と第２貯留部２４７を構成する段差部２４７ａとの間の左右寸法Ｌ１が遊技球を１個のみ貯留可能な寸法に構成されている。
【００７４】
よって、図９（Ｂ）に示すように、遊技球Ｐ２が第２貯留部２４７に貯留された状態において後続の遊技球Ｐ３が第３誘導経路２０３Ａから流入した場合、該遊技球Ｐ３は、振分部材２４２により第２貯留部２４７に貯留された遊技球Ｐ２により第３誘導経路２０３Ｂへの進入が阻害されるため、排出経路２１０に向けて誘導される。尚、ここでいう遊技球Ｐ２は、第１貯留部２２７に貯留された１個目の遊技球Ｐ１の次に第２誘導経路２０２Ａへ進入した遊技球であり、遊技球Ｐ３は、遊技球Ｐ２の次に第２誘導経路２０２Ａへ進入した遊技球である。更に尚、遊技球Ｐ２が第２貯留部２４７に貯留された状態において、遊技球Ｐ３以降の遊技球・・等も同様に排出経路２１０に向けて誘導される。
【００７５】
また、図９（Ｃ）に示すように、振分部材２４２の第２回動状態（遊技球Ｐ２が第２貯留部２４７に１個貯留された状態）から第１回動状態に変更することにより、遊技球Ｐ２が自然流下により保持部２４２ａ内に進入して保持されるようになる。そして、図９（Ｄ）に示すように、振分部材２４２が再度第２回動状態に変化することにより、保持部２４２ａに保持された遊技球Ｐ２が流入口２０３Ｃ上に配置され該流入口２０３Ｃを介して第３誘導経路２０３Ｂに流下する。
【００７６】
次に、遊技球が第２貯留部２４７に２個貯留される態様について、図１０に基づいて説明する。図１０（Ａ）に示すように、振分部材２４２が第１回動状態である場合は、第２貯留部２４７に遊技球が２個貯留可能となる。
【００７７】
これによれば、第３誘導経路２０３Ａに誘導され第２貯留部２４７に流入した遊技球Ｐ２は、振分部材２４２の保持部２４２ａに保持されるので、第２貯留部２４７に貯留されるようになる。尚、振分部材２４２における保持部２４２ａと第２貯留部２４７を構成する段差部２４７ａとの間の左右寸法Ｌ２が遊技球を２個貯留可能な寸法に構成されている。よって、振分部材２４２の第２回動状態にあっては、遊技球Ｐ２が第２貯留部２４７に貯留された状態において後続の遊技球Ｐ３が第３誘導経路２０３Ａから流入した場合、該遊技球Ｐ３も第２貯留部２４７に貯留される。
【００７８】
また、図１０（Ｂ）に示すように、遊技球Ｐ２，Ｐ３が第２貯留部２４７に貯留された状態において後続の遊技球Ｐ４が第３誘導経路２０３Ａから流入した場合、該遊技球Ｐ４は、振分部材２４２により第２貯留部２４７に貯留された遊技球Ｐ２，Ｐ３により第３誘導経路２０３Ｂへの進入が阻害されるため、排出経路２１０に向けて誘導される。尚、遊技球Ｐ２，Ｐ３が第２貯留部２４７に貯留された状態において、遊技球Ｐ４以降の遊技球等も同様に排出経路２１０に向けて誘導される。
【００７９】
また、図１０（Ｃ）（Ｄ）に示すように、振分部材２４２の第１回動状態（遊技球Ｐ２が第２貯留部２４７に２個貯留された状態）から第２回動状態に変更することにより、保持部２４２ａに保持された遊技球Ｐ２が流入口２０３Ｃ上に配置され該流入口２０３Ｃを介して第３誘導経路２０３Ｂに流下するようになる。このとき、遊技球Ｐ３は、振分部材２４２により移動が規制されるため、第２貯留部２４７に貯留された状態が維持される。
【００８０】
次いで、図１０（Ｅ）（Ｆ）に示すように、振分部材２４２を再度第１回動状態とし、遊技球Ｐ３を保持部２４２ａに進入させ、遊技球Ｐ３を保持部２４２ａに保持した状態で再度第２回動状態とすることにより、遊技球Ｐ３が流入口２０３Ｃ上に配置され該流入口２０３Ｃを介して第３誘導経路２０３Ｂに流下する。
【００８１】
このように、第２貯留機構２０５は、第１回動状態と第２回動状態とに変化可能な振分部材２４２を有し、該振分部材２４２の態様によって貯留される遊技球Ｐの数が変化するため、振分部材２４２の態様に注目させて、遊技球Ｐの貯留状態に対する注目度合いを高めることができる。
【００８２】
図１及び図３に示すように、第３誘導経路２０３Ａへ誘導された遊技球は、画像表示装置５の上方を左側へ流下した後、画像表示装置５の左側方上部にて下方へ落下する。次いで、画像表示装置５の左側方上部にて背面側へ誘導された後、画像表示装置５の左側辺に沿って落下し、画像表示装置５の左側方下部にて回転体２０８の左側部へ向けて誘導される。つまり、左側の第３誘導経路２０３Ａ，２０３Ｂは、画像表示装置５の表示領域を横切らないように側方を迂回するように設けられている。
【００８３】
このように、第３誘導経路２０３Ａを画像表示装置５の表示領域を横切らないように側方を迂回させ、且つ前後に蛇行させるように形成することにより、第２大入賞口７０２Ｂから第２貯留部２４７に到達するまでに所定時間（例えば、約２秒）かかるようになっているため、第３誘導経路２０３Ａを流下する遊技球に注目させることができ、興趣が向上する。
【００８４】
また、第２大入賞口７０２Ｂよりも回転体２０８に近い位置で第２貯留機構２０５により遊技球を貯留または貯留解除するようにしているため、遊技球が第２大入賞口７０２Ｂに進入してから第２貯留部２４７に到達するまでに時間がかかることで、後述するように遊技球が第２貯留機構２０５に２個貯留されるか否かが分かりにくくなるため、期待感を持続させることができる。
【００８５】
また、本実施の形態では、第１誘導経路２０１を流下した後、分岐部２２１にて第２誘導経路２０２Ａ側に誘導され、第１貯留部２２７に貯留された遊技球は、貯留が解除されることにより第２誘導経路２０２Ｂを流下して回転体２０８に到達したときに、Ｖ入賞口２８３またはハズレ球保持部２７３Ａ〜２７３Ｅに進入可能となる遊技球であることから、以下において「勝負球」と言うことがある。一方、分岐部２２１にて第３誘導経路２０３Ａ側に誘導され、第２貯留部２４７に貯留された遊技球は、貯留が解除されることにより第３誘導経路２０３Ｂを流下して回転体２０８に到達したときに、Ｖ入賞口２８３に進入することはないが、ハズレ球保持部２７３Ａ〜２７３Ｅに進入することにより、「勝負球」のハズレ球保持部２７３Ａ〜２７３Ｅへの進入を阻害してＶ入賞口２８３への進入をサポートすることから「サポート球」と言うことがある。
【００８６】
図１１〜図１３に示すように、支持部材２０９は、平面視略横長長方形状をなし、画像表示装置５の下方位置において、上面が前側へ向けて漸次下方へ傾斜するように斜めに設けられている。左右方向の略中央には、回転体２０８が回転可能に挿入される回転孔２６０が貫通して形成されている。支持部材２０９における回転孔２６０の左側には、第３誘導経路２０３Ｂが配置されており、回転体２０８の外側方から遊技球が供給されるようになっている。
【００８７】
支持部材２０９の下面における回転孔２６０に対応する位置には、回転体２０８を回転可能に支持する有底円筒状の支持筒２６５が固定されている。回転体２０８は、支持筒２６５の内部に遊嵌されており、パチンコ遊技機１の外部に遊技球を排出する経路（後述するＶ入賞球誘導経路２８４やハズレ球誘導経路２８８等）を構成する排出経路ユニット２９０の下部に固定された回転体用モータ９０（図１３及び図１４参照）の回転軸９０Ａに固着され、回転体用モータ９０により所定方向（本実施の形態では、平面視反時計回り）に回転される。尚、回転軸９０Ａは、前傾している支持部材２０９に対し略直交するように設けられている。
【００８８】
支持筒２６５の底壁部には、回転軸９０Ａが挿通される貫通孔２６５ａと、後述するＶ入賞球誘導経路２８４と対応する位置に形成されるＶ入賞口２８３と、ハズレ球誘導経路２８８と対応する位置に形成される排出口２８７と、を備える。
【００８９】
また、支持筒２６５と排出経路ユニット２９０との間には、排出口２８７を開閉可能な開閉板２８９と、開閉板２８９の開閉動作をガイドするガイド部材２９１と、が配設されている。ガイド部材２９１は、回転軸９０Ａが挿通される筒状部２９１ａと、Ｖ入賞口２８３と対応する位置に形成される貫通孔２９１ｂと、排出口２８７と対応する位置に形成される貫通孔２９１ｃと、開閉板２８９の軸部２８９ｂをガイドするガイド溝２９１ｄと、を有しており、排出経路ユニット２９０に固定されている。
【００９０】
開閉板２８９は、筒状部２９１ａに対して軸周りに回動可能に外嵌される孔部２８９ａと、孔部２８９ａの外側に形成される軸部２８９ｂと、を備え、軸部２８９ｂは、ガイド溝２９１ｄ内に挿入されている。排出経路ユニット２９０には、開閉板２８９を駆動させる第６ソレノイド８６が組付けられており、軸部２８９ｂの先端は、第６ソレノイド８６のプランジャ８６Ａと連結されている。
【００９１】
開閉板２８９は、第６ソレノイド８６がオフ状態であるときに、支持筒２６５の排出口２８７を開放する開放位置（図１２（Ａ）（Ｃ）参照）に配置され、第６ソレノイド８６がオン状態であるときに、支持筒２６５の排出口２８７を閉鎖する閉鎖位置（図１２（Ｂ）（Ｄ）参照）に配置される。
【００９２】
図１２〜図１４に示すように、回転体２０８は、平面視円形をなす円盤部２７０と、円盤部２７０の周縁に沿って立設される複数の立壁部２７１と、複数のうち一の立壁部２７１に上下方向に貫通して形成されるＶ入賞球保持部２７２と、各立壁部２７１の間にそれぞれ形成される複数（本実施の形態では５つ）のハズレ球保持部２７３Ａ〜２７３Ｅと、を主に有する。尚、図１２（Ｃ）（Ｄ）では、後述の図５２において説明する便宜上、ハズレ球保持部２７３Ａ〜２７３Ｅ各々に１〜５の番号を付してある。
【００９３】
また、本実施の形態では、回転体２０８は一のＶ入賞球保持部２７２を有していたが、複数のＶ入賞球保持部を有していてもよい。また、回転体２０８は複数（本実施の形態では５つ）のハズレ球保持部２７３Ａ〜２７３Ｅを有していたが、ハズレ球保持部の数を５つ未満または６個以上としてもよい。
【００９４】
図１２及び図１３に示すように、Ｖ入賞球保持部２７２は、上下方向に貫通され、１個の遊技球のみ保持可能な大きさを有する孔部にて形成されており、円盤部２７０側は開放され、外周面側は立壁部２７１により閉鎖されている。つまり、円盤部２７０上にある遊技球（勝負球）は進入可能であるが、外側方、つまり、第３誘導経路２０３Ｂからの遊技球（サポート球）は進入不可能とされている。
【００９５】
図１２及び図１４（Ｂ）に示すように、ハズレ球保持部２７３Ａ〜２７３Ｅは、上下方向に貫通され、１個の遊技球のみ保持可能な大きさを有する孔部にて形成されており、円盤部２７０及び外周面側が開放されている。つまり、円盤部２７０上にある遊技球（勝負球）と、外側、つまり、回転体２０８の側方の第３誘導経路２０３Ｂから進入する遊技球（サポート球）との双方が進入可能とされている。
【００９６】
図１１、図１３及び図１４に示すように、支持筒２６５のＶ入賞口２８３の下方には、Ｖ入賞球保持部２７２に保持された遊技球がガイド部材２９１の貫通孔２９１ｂを介して進入可能なＶ入賞球誘導経路２８４が配設されており、Ｖ入賞球誘導経路２８４を流下した遊技球はパチンコ遊技機１外へ排出される。また、Ｖ入賞球誘導経路２８４におけるＶ入賞口２８３の近傍位置には、Ｖ入賞口２８３に進入した遊技球を検出する第３カウントスイッチ２４Ｂが設けられており、第３カウントスイッチ２４Ｂの下流側の位置で第２貯留部２４７から延びる排出経路２１０と合流している（特に図１４参照）。
【００９７】
支持筒２６５の周壁の上部における第３誘導経路２０３Ｂに対応する位置には、第３誘導経路２０３Ｂからの遊技球を回転体２０８のハズレ球保持部２７３Ａ〜２７３Ｅのいずれかに進入させるための切欠部２８６が形成されている。また、支持筒２６５の排出口２８７の下方には、ハズレ球保持部２７３Ａ〜２７３Ｅに保持された遊技球をガイド部材２９１の貫通孔２９１ｃを介して回転体２０８から排出させるためのハズレ球誘導経路２８８が配設されており、ハズレ球誘導経路２８８を流下した遊技球はパチンコ遊技機１外へ排出される。また、ハズレ球誘導経路２８８における排出口２８７の近傍位置には、排出口２８７から排出された遊技球を検出する第４カウントスイッチ２４Ｃが設けられている。
【００９８】
図１２及び図１４に示すように、第３誘導経路２０３Ｂから進入して保持された遊技球は、回転体２０８の回転により排出口２８７上を通過するときに、排出口２８７が開閉板２８９により閉鎖されていれば開閉板２８９に接触して排出が規制されることにより回転体２０８に滞留し（図５３（Ｂ）参照）、排出口２８７が開放されていれば自然流下により排出口２８７から排出されるようになっている（図５３（Ｃ）参照）。
【００９９】
また、図１２（Ｃ）（Ｄ）に示すように、支持筒２６５のＶ入賞口２８３は、支持筒２６５の排出口２８７に比べ、支持筒２６５の底壁部の内側（回転軸９０Ａに近い位置）に形成されている。すなわち、ハズレ球保持部２７３Ａ〜２７３Ｅは、回転体２０８の回転によりＶ入賞口２８３を通過するときにＶ入賞口２８３の外径方向にずれるため、Ｖ入賞口２８３の開口領域が遊技球よりも小さくなり、ハズレ球保持部２７３Ａ〜２７３Ｅに保持された遊技球がＶ入賞口２８３に進入することはない。
【０１００】
一方、Ｖ入賞球保持部２７２に保持された遊技球は、支持筒２６５の底壁部により落下が規制され、Ｖ入賞球保持部２７２がＶ入賞口２８３に到達するまで前記底壁部の上面を転動するため、回転体２０８の回転によりＶ入賞球保持部２７２がＶ入賞口２８３を通過するときに該Ｖ入賞球保持部２７２に保持されていた遊技球がＶ入賞口２８３に落下することになる。また、Ｖ入賞球保持部２７２は、回転体２０８の回転により排出口２８７上を通過するときに、排出口２８７の内径方向にずれるため、排出口２８７の開口領域が遊技球よりも小さくなり、Ｖ入賞球保持部２７２に保持された遊技球が排出口２８７に進入することはない。
【０１０１】
また、回転体２０８の回転軸９０Ａは前傾しているが、円盤部２７０は、Ｖ入賞球保持部２７２やハズレ球保持部２７３Ａ〜２７３Ｅに保持された遊技球の下部より高位置に位置している、つまり、円盤部２７０と支持筒２６５の底壁との間に段部が形成されているため、Ｖ入賞球保持部２７２やハズレ球保持部２７３Ａ〜２７３Ｅが回転軸９０Ａより傾斜上位側を通過する際に、Ｖ入賞球保持部２７２やハズレ球保持部２７３Ａ〜２７３Ｅに保持された遊技球が円盤部２７０へ流出することはほぼない（図１４参照）。
【０１０２】
また、立壁部２７１は、円盤部２７０の上面からの突出寸法Ｌ３０が遊技球Ｐの半径Ｒよりも長寸とされているため（Ｌ３０＞Ｒ）、円盤部２７０の上面に落下した遊技球Ｐが回転体２０８から逸脱し難くなっている（図４９参照）。
【０１０３】
（可動ユニット）
次に、可動通路体装置と演出装置とを有する可動ユニットについて、図１５〜図２８に基づいて説明する。図１５は、（Ａ）は可動通路体及び可動体の原点位置、（Ｂ）は可動通路体及び可動体の進出位置を示す正面図である。図１６は、（Ａ）〜（Ｄ）は下部通路体の駆動機構を示す正面図である。図１７は、（Ａ）は可動通路体の水平断面図、（Ｂ）は第１可動部内を流下する遊技球の状態を示す概略正面断面図、（Ｃ）は第１可動部内を流下する遊技球の状態を示す概略側断面図である。図１８は、（Ａ）は可動通路体における第２可動部の非展開位置、（Ｂ）は可動通路体における第２可動部の展開位置を示す背面図である。図１９は、（Ａ）は演出可動体の原点位置、（Ｂ）は演出可動体の進出位置を示す概略図である。図２０は、演出可動体の構成を斜め前から見た状態を示す分解斜視図である。図２１は、演出可動体の構成を斜め後ろから見た状態を示す分解斜視図である。
【０１０４】
図３〜図５及び図１５に示すように、可動通路体４００を有する可動通路体装置と、演出可動体５００を有する演出可動体装置とは、遊技盤２の背面に固定される四角枠状のベース部材４５０に設けられている。ベース部材４５０の背面側には画像表示装置５が設けられ（図１参照）、該ベース部材４５０の開口を通して前面側から画像表示装置５を視認可能となる。つまり、可動通路体４００と演出可動体５００とは、遊技盤２と画像表示装置５との間に配設される。
【０１０５】
可動通路体４００と演出可動体５００とは、画像表示装置５の前面周縁部に退避した通路体原点位置及び演出体原点位置（図１５（Ａ）参照）と、通路体原点位置及び演出体原点位置から画像表示装置５の前面に出現する通路体進出位置及び演出体進出位置（図１５（Ｂ）参照）と、の間で移動（動作）可能となっている。尚、可動通路体４００が通路体進出位置に配置され、演出可動体５００が演出体進出位置に配置されたときでも、可動通路体４００の後方に演出可動体５００が位置しているので接触することはない。
【０１０６】
（可動通路体装置）
図１６〜図１８に示すように、可動通路体４００は、左右方向へ直線移動可能に設けられる第１可動部４０１と、第１可動部４０１に対して左右方向へ展開及び収束可能に取付けられる第２可動部４０２と、第１可動部４０１を左右方向に駆動させる駆動機構４０３と、から主に構成されている。第１可動部４０１には、前述した第２誘導経路２０２Ｂが形成されている（図１７参照）。
【０１０７】
図１６に示すように、駆動機構４０３は、ベース部材４５０に固定されるフレーム部材４３１と、フレーム部材４３１に固定される通路体用モータ９１と、通路体用モータ９１の駆動ギヤ９１ａに噛合するラック部材４３２と、を備えており、ラック部材４３２は、フレーム部材４３１に設けられるスリット４３１ａにガイドされて左右方向に移動可能となっており、前面側には２つの従動ギヤ４３２ａ，４３２ａが回転可能に軸支されている。この従動ギヤ４３２ａ，４３２ａの上方は、ベース部材４５０の所定箇所に左右方向に延設された固定ラック部４５２（図１６（Ｃ）（Ｄ）参照）に噛合しており、従動ギヤ４３２ａ，４３２ａの下方には、第１可動部４０１の上端部に左右方向に延設されたラック部４０１ａが噛合している。尚、第１可動部４０１の上端部の前面にはレール部４０１ｄが取付けられており、レール部４０１ｄは、ベース部材４５０に固定される上部ガイドレール４３５に対し左右方向にスライド移動可能に案内されている。
【０１０８】
図１６（Ｃ）に示すように、可動通路体４００が通路体原点位置に位置しているとき、つまり、第１可動部４０１に設けられた第２誘導経路２０２Ｂが画像表示装置５の右側方に位置する通路非形成位置に位置しているときには、通路体用モータ９１の駆動ギヤ９１ａにラック部材４３２のラック部４３２ｂの左端が噛合しており、従動ギヤ４３２ａ，４３２ａに第１可動部４０１のラック部４０１ａの左端が噛合している。
【０１０９】
また、図１６（Ｃ）の状態から駆動ギヤ９１ａを正面視時計回りに駆動させると、図１６（Ｄ）に示すように、ラック部材４３２が左方に向けて移動し、これに伴い固定ラック部４５２との噛合により従動ギヤ４３２ａ，４３２ａも正面視時計回りに回動し、該従動ギヤ４３２ａ，４３２ａとラック部４０１ａとの噛合により第１可動部４０１が左方に向けて移動する。すなわち、可動通路体４００が通路体進出位置、つまり、第２誘導経路２０２Ｂが画像表示装置５の前面側における左右方向の略中央位置に位置する通路形成位置に配置される。
【０１１０】
このように、複数のラック（ラック部材４３２やラック部４０１ａ等）やギヤ（駆動ギヤ９１ａや従動ギヤ４３２ａ，４３２ａ等）を組合せて可動通路体４００を動作させるため、１つのラックとギヤを用いる場合に比べて、ラック部材４３２やラック部４０１ａの大きさを小さく（短く）することができ、可動通路体４００を動作させるための機構の設置スペースをコンパクトにできるとともに、可動通路体４００の動作速度が向上する。
【０１１１】
尚、フレーム部材４３１の右側には、通路体原点位置センサ９２が設けられており、フレーム部材４３１の左側には、通路体進出位置センサ９３が設けられており、可動通路体４００が通路体原点位置に位置しているときには、通路体原点位置センサ９２により第１可動部４０１のラック部４０１ａの前面に設けられた検出片４０１ｅが検出され（図１６（Ａ）参照）、可動通路体４００が通路体進出位置に位置しているときには、通路体進出位置センサ９３により検出片４０１ｅが検出されるようになっている（図１６（Ｂ）参照）。
【０１１２】
また、第１可動部４０１の背面側下部には、下方に延設される延設部が形成され、該延設部には左右に延びるレール部４０１ｂが設けられており、レール部４０１ｂは、ベース部材４５０下部に固定されるガイドレール４３４に対し左右方向にスライド移動可能に案内されている。また、第１可動部４０１の右側上下部には、ギヤ４０１ｃ，４０１ｃが上下方向に延びる回動軸を中心に回動可能に取付けられており、ギヤ４０１ｃ，４０１ｃは、遊技盤２の背面側に固定された固定ラック部４５３に噛合されている。したがって、可動通路体４００の動作時には、ガイドレール４３４、上部ガイドレール４３５及び固定ラック部４５３により案内されて安定して動作することができ、可動通路体４００の動作時に発生する振動等を抑制できる。
【０１１３】
図１７に示すように、可動通路体４００における第１可動部４０１は、透過性を有する合成樹脂材により上下に開口する略円筒状に形成されており、背面側に膨出する膨出部４１３が下部に形成されている。第１可動部４０１の膨出部４１３に対応する位置には、上下方向に延びる棒状部材４１２が配設されており、棒状部材４１２の外周面には、螺旋状に突出する突条部４１２ａが形成されている。つまり、第２誘導経路２０２Ｂは、第１可動部４０１の内部に形成されており、上部開口である流入口２２５から第２誘導経路２０２Ｂに進入した遊技球は、左右方向に蛇行しながら流下した後、膨出部４１３の位置において突条部４１２ａに沿って螺旋状に流下し、下部開口である排出口２２６から排出され、回転体２０８上に落下する。これにより、第２誘導経路２０２Ｂを流下する遊技球に注目させることができ、興趣が向上するとともに、回転体２０８への落下速度を抑制することで回転体２０８の破損を防止している。
【０１１４】
図１８に示すように、可動通路体４００における第２可動部４０２は、第１可動部４０１に対し左右に動作可能に配設される装飾部材４０４Ｌ，４０４Ｒを有している。装飾部材４０４Ｌ，４０４Ｒは、第１可動部４０１に対して収束する原点位置である非展開位置（図１８（Ａ）参照）と、第１可動部４０１に対して左右側方に張り出すように展開された展開位置（図１８（Ｂ）参照）と、に動作可能である。尚、第２可動部４０２は、可動通路体４００が通路体原点位置のときに非展開位置に位置し、可動通路体４００が通路体進出位置のときに展開位置に位置するようになっている。
【０１１５】
尚、装飾部材４０４Ｌ，４０４Ｒは、第１可動部４０１の装飾性を向上させるための飾り部材であり、特に図示しないが、第１可動部４０１の前面板、背面板及び側面板から平面視略コ字形に形成され、非展開位置にあるときには、左右の装飾部材４０４Ｌ，４０４Ｒの間の隙間から第２誘導経路２０２Ｂを流下する遊技球を視認可能な第１視認状態とし、展開位置にあるときには、左右の装飾部材４０４Ｌ，４０４Ｒが離れて隙間が広がり第２誘導経路２０２Ｂを流下する遊技球を第１視認状態よりも視認性が高い第２視認状態とする。
【０１１６】
第１可動部４０１の背面には、上下方向に延びるアーム部材４２３と、アーム部材４２３の上下２箇所の位置に左右に設けられるリンク部材４２４と、アーム部材４２３を動作させるための作動部材４４０と、が動作可能に設けられている。アーム部材４２３は、上下方向に延びる第２長孔４２３ｂ，４２３ｂを備えており、第２長孔４２３ｂ，４２３ｂには、第１可動部４０１の背面に固定された固定軸４２５，４２５の軸部が挿入されていることにより、上下方向に移動可能とされている。また、各リンク部材４２４は、前後方向を向く回動軸４２４Ａにより第１可動部４０１の背面に回動可能に軸支され、一端がアーム部材４２３に固定された左右方向を向く長孔４２６に移動可能、かつ、回動可能に挿入され、他端が第１可動部４０１に設けられたスリット４０４ａ，４０４ａに左右方向にスライド移動可能に挿入され、装飾部材４０４Ｌ，４０４Ｒに固定されている。
【０１１７】
作動部材４４０は、前後方向を向く回動軸４４１により第１可動部４０１の背面に回動可能に軸支され、一端がアーム部材４２３の上端に軸支されていることで、作動部材４４０が回動することによりアーム部材４２３が上方または下方に移動する。作動部材４４０の他端は、ベース部材４５０に設けられた左右の当接部４４２Ａ，４４２Ｂに接触可能とされている。
【０１１８】
図１８（Ａ）に示すように、可動通路体４００が通路体原点位置に位置している状態において、作動部材４４０の一端が当接部４４２Ａに当接することにより、アーム部材４２３が下方位置に位置するため、装飾部材４０４Ｌ，４０４Ｒが非展開位置に保持される。
【０１１９】
次いで、図１８（Ｂ）に示すように、通路体用モータ９１により可動通路体４００が通路体原点位置から通路体進出位置へ向けて移動すると、通路体進出位置の手前で作動部材４４０の一端が当接部４４２Ｂに当接し、この状態で可動通路体４００が通路体進出位置まで移動することにより、作動部材４４０は回動軸４４１を中心として背面視反時計回りに回動する。これにより、アーム部材４２３が下方位置から上方位置まで上昇し、この上昇に応じて各リンク部材４２４が回動することで、装飾部材４０４Ｌ，４０４Ｒが非展開位置から展開位置へ移動する。
【０１２０】
また、可動通路体４００が通路体進出位置から通路体原点位置まで移動すると、作動部材４４０の一端が当接部４４２Ａに当接することにより背面視時計回りに回転し、アーム部材４２３が下方位置まで移動することで、装飾部材４０４Ｌ，４０４Ｒが非展開位置に復帰する。
【０１２１】
このように、装飾部材４０４Ｌ，４０４Ｒは、可動通路体４００の移動を利用して非展開位置と展開位置との間で移動可能であることで、可動通路体４００を移動させるための通路体用モータ９１とは別個の駆動源により動作させる必要がないので、部品点数を削減することができる。
【０１２２】
（演出可動体装置）
図１９〜図２１に示すように、演出可動体装置は、四角枠状のベース部材４５０の左上角部を構成するベース部４５０Ａと、ベース部４５０Ａに対し動作可能に設けられる演出可動体５００と、演出可動体５００を動作させるための動作機構５０１と、から主に構成される。演出可動体５００は、ベース部４５０Ａの前面に位置する演出体原点位置（図１９（Ａ）参照）と、演出体原点位置の右斜め下方の演出体進出位置（図１９（Ｂ）参照）と、の間で回動可能に設けられている。
【０１２３】
演出可動体５００は、第１可動部５１１と、第１可動部５１１の背面に突設された前後方向を向く回動軸５１０を中心として、該第１可動部５１１の背面側に回動可能に設けられる第２可動部５１２と、から構成される。
【０１２４】
第１可動部５１１は、正面視略円形状に形成されるベース部５１１Ａと、ベース部５１１Ａの周縁から回動軸５１０を中心として放射状に延出される突出片からなる装飾部５１１Ｂと、から構成される。装飾部５１１Ｂのうち下方に垂下される装飾部５１１Ｂの背面側には、前方に向けて光を照射可能な演出体用ＬＥＤ５１８Ａが前面に設けられるとともに、左右側方に向けて光を照射可能な演出体用ＬＥＤ５１８Ｂが背面に設けられたＬＥＤ基板５１９（図２８参照）が設けられている。
【０１２５】
また、ベース部５１１Ａの周縁部所定箇所には、連結軸５０３が前方に向けて突設されており、該連結軸５０３は、ベース部４５０Ａの左側下部に形成される案内孔５０４に挿入されている。案内孔５０４は、第１案内部５０４Ａと第２案内部５０４Ｂとにより、正面視略くの字形に形成されており、連結軸５０３を移動可能に案内する。
【０１２６】
第２可動部５１２は、第１可動部５１１の背面左側及び右側に配置される装飾部５１２Ｌ，５１２Ｒからなる。装飾部５１２Ｌ，５１２Ｒは、回動軸５１０を中心として放射状に延出される複数の突出片を有し、第１可動部５１１の装飾部５１１Ｂと略同形状に形成され、第１可動部５１１の回動軸５１０を中心として各々回動可能に軸支されるとともに、リンク部材５１３を介して連結されている。リンク部材５１３は、第１可動部５１１の背面における回動軸５１０の下方に突設された回動軸５１４を中心として回動可能とされており、一端が装飾部５１２Ｌに軸支され、他端が装飾部５１２Ｒに軸支されている。また、装飾部５１２Ｌにおけるリンク部材５１３との第１軸支部と装飾部５１２Ｒにおけるリンク部材５１３との第２軸支部とは、回動軸５１０からの距離が異なっているため、装飾部５１２Ｌ，５１２Ｒのうち一方が回動軸５１０を中心として第１方向に回動することで、リンク部材５１３が回動軸５１４を中心に回動するため、他方がリンク部材５１３を介して第１方向とは逆の第２方向に回動するようになっている。
【０１２７】
また、装飾部５１２Ｌと装飾部５１２Ｒとは、回動軸５１０と回動軸５１４との間が引張バネ５１５により連結されていることで、装飾部５１２Ｌと装飾部５１２Ｒとが近接する第１装飾状態（図２５参照）に維持され、装飾部５１２Ｒが第１方向に回動したときには、引張バネ５１５の付勢力に抗して他方の装飾部５１２Ｌが第２方向に回動して、装飾部５１２Ｌと装飾部５１２Ｒとが離間する第２装飾状態（図２７参照）に変化する。また、装飾部５１２Ｒは、回動軸５１０よりも左側に突出する突出片５１６を有し、該突出片５１６の背面には連動軸５１７が突設されている。
【０１２８】
動作機構５０１は、ベース部４５０Ａの背面側に固定される演出体用モータ５２０と、ベース部４５０Ａの前面側に突出した演出体用モータ５２０の駆動軸（図示略）に固着される回転体５２１と、ベース部４５０Ａの前面に突設された前後方向を向く回動軸５２２に回動可能に軸支された第１アーム部材５２３と、ベース部４５０Ａの前面に突設された回動軸５２８に回動可能に軸支された第２アーム部材５２４と、第１アーム部材５２３に突設された回動軸５２５に回動可能に軸支された第１リンク部材５２６と、第１リンク部材５２６の一端に軸支された第２リンク部材５２７と、から構成される。尚、回動軸５２８は、ベース部４５０Ａの前面との間に所定の隙間を隔てて配置されており、該隙間に第１アーム部材５２３が挿入可能とされている。
【０１２９】
第１アーム部材５２３は、第１アーム部５２３Ａと第２アーム部５２３Ｂとにより正面視略逆くの字形に形成され、第１アーム部５２３Ａと第２アーム部５２３Ｂとの屈曲部が回動軸５２２により軸支されている。尚、回動軸５２２にはトーションバネ５２９が環装されており、第１アーム部材５２３を上方に向けて付勢している。
【０１３０】
第１アーム部５２３Ａには、長孔５３１が形成されており、該長孔５３１には回転体５２１の周縁に突設された連結軸５３０が長手方向に移動可能に挿入されている。第２アーム部５２３Ｂは、一端が第１可動部５１１の回動軸５１０に回動可能に軸支されている。また、第２アーム部５２３Ｂの底壁５３３の前面には、第２リンク部材５２７を長手方向に向けて移動案内するための案内軸５３４Ａ，５３４Ｂが突設されているとともに、底壁５３３の側縁には、第２リンク部材５２７を長手方向に向けて移動案内するための案内壁５３５Ａ，５３５Ｂが前方に向けて立設されている。このように第２アーム部５２３Ｂは、底壁５３３と案内壁５３５Ａ，５３５Ｂとにより断面視略コ字形に形成されている。
【０１３１】
第１リンク部材５２６は、第１アーム部材５２３の第１アーム部５２３Ａと第２アーム部５２３Ｂとの間に突設された回動軸５２５に回動可能に軸支されている。第１リンク部材５２６の一端には、第２リンク部材５２７を軸支する連結軸５３６が背面側に向けて突設されている。他端には、第１アーム部５２３Ａの長孔５３１に挿入され前方に突出した連結軸５３０に接触可能な第１作用部５３７が形成されている。
【０１３２】
第２リンク部材５２７は、第２アーム部５２３Ｂの底壁５３３の前面における案内壁５３５Ａ，５３５Ｂの間に配置されるスライド部５３８と、スライド部５３８に対し屈曲して形成され、第２可動部５１２の連動軸５１７に接触可能な第２作用部５３９と、から構成される。スライド部５３８には、２つの長孔５４０Ａ，５４０Ｂが形成されており、第２アーム部５２３Ｂの案内軸５３４Ａ，５３４Ｂがそれぞれ挿入されている。
【０１３３】
このように構成される第２リンク部材５２７は、第２アーム部５２３Ｂの底壁５３３の前面における案内壁５３５Ａ，５３５Ｂの間にスライド部５３８が配置され、該スライド部５３８は、案内軸５３４Ａ，５３４Ｂ及び案内壁５３５Ａ，５３５Ｂにより長手方向にスライド移動可能に案内される。つまり、第２リンク部材５２７は、第２アーム部５２３Ｂと同軸方向に移動可能に配置されている。この状態において第２作用部５３９は、第２アーム部５２３Ｂから外方に向けて突出する。また、スライド部５３８の前面側はカバー部材５４１により被覆され、第１リンク部材５２６の前面側はカバー部材５４２により被覆される。
【０１３４】
第２アーム部材５２４は、正面視略くの字形に形成され、一端がベース部４５０Ａの回動軸５２８に回動可能に軸支され、他端が第１可動部５１１の背面における回動軸５１０の直上に突設された回動軸５４３に長孔を介して軸支されている。
【０１３５】
（演出可動体装置の動作例）
次に、演出可動体装置の動作例について、図２２〜図２８に基づいて説明する。図２２は、演出可動体が演出体原点位置に位置している状態を示す概略正面図である。図２３は、演出可動体が演出体原点位置と演出体進出位置との間に位置している状態を示す概略正面図である。図２４は、演出可動体が演出体進出位置まで移動した状態を示す概略正面図である。図２５は、演出可動体が演出体進出位置において第１装飾状態にある状態を示す概略背面図である。図２６は、演出可動体が演出体進出位置において第１装飾状態から第２装飾状態に変化した状態を示す概略正面図である。図２７は、演出可動体が演出体進出位置において第１装飾状態から第２装飾状態へ変化した状態を示す概略背面図である。図２８は、図２７のＤ−Ｄ断面図である。尚、図２２〜図２８において、ベース部など一部の部材の図示は省略している。
【０１３６】
図２２に示すように、演出可動体５００は、演出体原点位置に位置している状態において、装飾部５１１Ｂが右側方を向く第１姿勢をなすとともに、該装飾部５１１Ｂに装飾部５１２Ｌ，５１２Ｒが近接する第１装飾状態とされている。また、回転体５２１の連結軸５３０は、回転軸の右側上方において長孔５３１の回動軸５２２側の端部に位置していることで、第１アーム部材５２３の第１アーム部５２３Ａを左斜め上方に持ち上げた状態で保持している。よって、演出可動体５００は演出体原点位置に保持される。また、第１アーム部材５２３はトーションバネ５２９により上方に付勢されているとともに、第２アーム部材５２４は、一端がベース部４５０Ａに係止された引張バネ５５０により上方に付勢されているため、演出可動体５００は演出体原点位置に安定して保持される。また、第１可動部５１１の連結軸５０３は、第１案内部５０４Ａの右側上端部に位置している。
【０１３７】
第２リンク部材５２７は、回動軸５２２側の端部に、一端が第２アーム部５２３Ｂにおける回動軸５２２側に係止された引張バネ５５１の他端が係止されていることで、回動軸５２２側の第１スライド位置に保持されている。このとき、第１リンク部材５２６の第１作用部５３７は、回転体５２１の連結軸５３０から離れている。また、第２リンク部材５２７の第２作用部５３９は、装飾部５１２Ｒの連動軸５１７から離れている。
【０１３８】
図２３に示すように、演出体用モータ５２０により回転体５２１が反時計回りに回転すると、連結軸５３０が左側に移動しながら下降していくことで、第１アーム部材５２３が反時計回りに回動する。演出可動体５００は、第１アーム部材５２３の回動軸５２２を中心とする回動に応じて下降するとともに、回動軸５１０よりも左側に連結軸５０３が位置することで、回動軸５１０を中心として時計回りに回動する。つまり、演出可動体５００は、演出体原点位置から下降しながら回動軸５１０を中心として時計回りに回動する（第１動作を行う）。尚、連結軸５０３は、回動軸５１０が案内孔５０４に近づくにつれて第１案内部５０４Ａの右端から左端に向けて逃げていく。また、第２リンク部材５２７は第１スライド位置に保持されたままとなる。
【０１３９】
次いで、図２４及び図２５に示すように、回転体５２１がさらに反時計回りに回転することにより回動軸５１０が案内孔５０４から離れていくと、連結軸５０３は第２案内部５０４Ｂを右側下方に向けて移動する。そして、連結軸５０３が第２案内部５０４Ｂの右端部にて移動が規制されることで、第１アーム部材５２３の回動が規制され、演出可動体５００は演出体進出位置にて停止する。
【０１４０】
演出可動体５００が演出体進出位置にて移動が規制されて停止した状態では、回転体５２１の連結軸５３０は、長孔５３１の右側において、第１リンク部材５２６の第１作用部５３７に近接（または当接）している。また、第２リンク部材５２７の第２作用部５３９は、装飾部５１２Ｒの連動軸５１７に近接（または当接）している。そして演出可動体５００は、装飾部５１１Ｂや装飾部５１２Ｌ，５１２Ｒの突出片が下方を向く第２姿勢をなすとともに、該装飾部５１１Ｂに装飾部５１２Ｌ，５１２Ｒが近接する第１装飾状態とされている。
【０１４１】
図２６及び図２７に示すように、回転体５２１がさらに反時計回りに回転すると、連結軸５３０が長孔５３１をさらに右側に移動するが、長孔５３１の右端部は円弧状に形成されていることから第１アーム部材５２３は回動しない。そして、連結軸５３０が第１リンク部材５２６の第１作用部５３７に当接して押圧する。これにより、第１リンク部材５２６が回動軸５２５を中心として時計回りに回動することで、第２リンク部材５２７は、引張バネ５５１の付勢力に抗して、第２アーム部５２３Ｂに対し回動軸５１０側の第２スライド位置に向けて移動する。
【０１４２】
第２リンク部材５２７が第１スライド位置から第２スライド位置まで移動することで、第２作用部５３９が装飾部５１２Ｒの連動軸５１７を押圧する。これにより、装飾部５１２Ｒが回動軸５１０を中心として正面視時計回りに回動するとともに、装飾部５１２Ｌが回動軸５１０を中心として正面視反時計回りに回動するため、装飾部５１２Ｌ，５１２Ｒの突出片が装飾部５１１Ｂから離れる第２装飾状態に変化する。
【０１４３】
このように、演出可動体５００は、演出体用モータ５２０により回転体５２１の連結軸５３０が回転することで、演出体原点位置から演出体進出位置まで回動しながら下降する第１動作を行った後、さらに回転体５２１を回転させることで、連結軸５３０が第１リンク部材５２６の第１作用部５３７に作用して第１リンク部材５２６が回動し、これにより第２リンク部材５２７が第２アーム部５２３Ｂに対しスライド移動し、第２作用部５３９が装飾部５１２Ｒの連動軸５１７することで、装飾部５１２Ｌ，５１２Ｒの突出片が装飾部５１１Ｂから離れる方向に回動する第２動作を行うことが可能である。
【０１４４】
また、演出体用モータ５２０により回転する回転体５２１の動力を第２可動部５１２の装飾部５１２Ｌ，５１２Ｒに伝達するための第１リンク部材５２６や第２リンク部材５２７は、演出可動体５００を回動可能に支持する第１アーム部材５２３の背面側に遊技者から視認不能に設けられていることで、第１リンク部材５２６や第２リンク部材５２７を第１アーム部材５２３により移動可能に案内することができるため、部品点数を好適に削減することが可能となるとともに、構造を簡素化して見栄えを向上させることができる。
【０１４５】
また、演出可動体５００は、第１アーム部材５２３により回動軸５２２を中心として回動可能とされているだけでなく、第１アーム部材５２３に対し回動軸５１０を介して回動可能とされ、かつ、回動軸５１０とは異なる位置に配置された連結軸５０３が案内孔５０４に案内されていることで、第１アーム部材５２３の回動に応じて回動軸５１０を中心として回動する。よって、一の駆動源により複数個所を動作させることが可能となり、第１動作の動作態様が複雑化するため、興趣が向上する。
【０１４６】
図２８に示すように、装飾部５１１Ｂ及び装飾部５１２Ｌ，５１２Ｒは、透過性を有する合成樹脂材からなるレンズ部材にて構成されており、装飾部５１１Ｂの背面側にはＬＥＤ基板５１９が設けられている。ＬＥＤ基板５１９の前面に設けられた演出体用ＬＥＤ５１８Ａは、前面に対し垂直方向または略垂直方向、つまり、前方に向けて光を照射可能に設けられたトップ型ＬＥＤとされている。一方、ＬＥＤ基板５１９の背面に設けられた演出体用ＬＥＤ５１８Ｂは、ＬＥＤ基板５１９の背面に対し平行方向または略平行方向に光を照射可能なアングル型ＬＥＤとされており、外方向に向けて光を照射可能に設けられている。
【０１４７】
演出制御用ＣＰＵ１２０は、例えば、後述するように小当り遊技状態においてＶ入賞が発生したときに、演出可動体５００を演出体進出位置まで移動させるとともに、演出体進出位置において第２装飾状態に変化させるタイミングなどにおいて、演出体用ＬＥＤ５１８Ａ，５１８Ｂを発光させることが可能である。演出体用ＬＥＤ５１８Ａからの光は、レンズ部材を通して前方に出射され、演出体用ＬＥＤ５１８Ｂからの光は外側方に出射される。よって、演出体用ＬＥＤ５１８Ａ，５１８Ｂを発光させることで、演出体用ＬＥＤ５１８Ａからの光により装飾部５１１Ｂの前面が発光するとともに、演出体用ＬＥＤ５１８Ｂからの光により、装飾部５１１Ｂの外側方に位置する装飾部５１２Ｌ，５１２Ｒが照らされて発光する。
【０１４８】
このように、第１可動部５１１に対して動作可能な装飾部５１２Ｌ，５１２Ｒに光源を設けることなく、第１可動部５１１の光源を利用して発光させることができるため、部品点数を削減できるとともに、第１可動部５１１から第２可動部５１２への配線等が不要になるので構造を簡素化できる。
【０１４９】
また、本実施の形態では、演出制御用ＣＰＵ１２０は、小当り遊技状態においてＶ入賞が発生したときに演出可動体５００を演出体原点位置から演出体進出位置まで移動し、第１装飾状態から第２装飾状態に変化するとともに演出体用ＬＥＤ５１８Ａ，５１８Ｂにより発光する形態を例示したが、本発明はこれに限定されるものではなく、演出制御用ＣＰＵ１２０は、例えば、小当り遊技状態に制御されたときや可動通路体４００が通路体進出位置まで移動したときなどに演出可動体５００を演出体進出位置まで移動し、Ｖ入賞が発生したときに第１装飾状態から第２装飾状態に変化させたり、演出体用ＬＥＤ５１８Ａ，５１８Ｂを発光させたりしてもよい。また、演出制御用ＣＰＵ１２０は、小当り遊技状態以外の所定の演出タイミング（例えば、小当りや大当りの発生を示唆する各種予告演出や、演出大当り中においてラウンド遊技が継続することを報知する大当り中演出や、高ベース状態Ａよりも有利な高ベース状態Ｂに制御されることを示唆する示唆演出等の実行タイミングなど）において演出可動体５００を動作させるようにしてもよい。
【０１５０】
また、図１５に示すように、可動通路体４００は、演出可動体５００よりも前方側に配置されている。言い換えれば、可動通路体４００と演出可動体５００とは、正面視においてそれぞれの動作可能範囲は重複するが、平面視において動作可能範囲が前後にずれて重複しないように配置されているため、演出可動体５００が動作可能範囲内の任意の位置にあっても可動通路体４００に接触しないようになっている。
【０１５１】
具体的には、演出可動体５００が演出体原点位置にあり、可動通路体４００が通路体原点位置にある場合には、可動通路体４００と演出可動体５００とは接触せず（図１５（Ａ）参照）、演出可動体５００が演出体進出位置にあり、可動通路体４００が通路体進出位置にある場合にも可動通路体４００と演出可動体５００とは接触しない（図１５（Ｂ）参照）。
【０１５２】
尚、図示しないが、演出可動体５００が演出体原点位置と演出体進出位置との間の任意位置に位置しても、可動通路体４００と演出可動体５００とは接触しない。つまり、可動通路体４００と演出可動体５００とはいずれのタイミングで動作しても互いに干渉することがないため、可動通路体４００と演出可動体５００とのうち一方の動作が他方の動作に影響を及ぼすことがない。さらに尚、可動通路体４００と演出可動体５００とは、動作可能範囲が前後にずれて重複しないように配置されているため、第２可動部４０２が展開位置または非展開位置に位置しているかに関わらず、演出可動体５００が第２可動部４０２に干渉することがない。
【０１５３】
また、可動通路体４００の第１可動部４０１は、主基板１１に接続される通路体用モータ９１により動作する可動部であり、演出可動体５００の第１可動部５１１や第２可動部５１２は、演出制御基板１２に接続される演出体用モータ５２０により動作する可動部である。
【０１５４】
第１可動部４０１は、小当り遊技状態において最初に第２大入賞口７０２Ｂに進入して第１貯留部２２７に貯留される遊技球Ｐ１を、Ｖ入賞口２８３（遊技球が進入することによりＣＰＵ１０３が大当り遊技状態に制御する契機となる入賞口）に進入可能に誘導する第２誘導経路２０２Ａを備えている。つまり、第１可動部４０１は当否（大当りに制御するか否か）を抽選する当否抽選に関連する遊技用の可動部である一方、第１可動部５１１や第２可動部５１２は、第１可動部４０１のように当否抽選に関わらない演出用の可動部である。
【０１５５】
このように、可動通路体４００と演出可動体５００とが一のベース部材４５０に設けられている場合、遊技の制御を行うＣＰＵ１０３により可動通路体４００と演出可動体５００双方の動作を制御することになると、ＣＰＵ１０３の制御負荷が大きくなり、遊技に影響を及ぼす可能性があるため、当否抽選といった遊技に関係のない可動部に関しては、他の制御手段である演出制御用ＣＰＵ１２０により動作の制御を行うようにすることで、ＣＰＵ１０３の処理負荷を好適に軽減することができる。
【０１５６】
しかし、このように当否抽選用の可動通路体４００と演出可動体５００とを一のベース部材４５０に搭載する場合、可動通路体４００と演出可動体５００とのうち一方の動作が他方の動作に干渉する、特に、演出可動体５００の動作によって可動通路体４００の動作に影響を及ぼすことがあると、当否の抽選、つまり、遊技の結果に影響が及んで遊技の公平性を保つことができなくなる虞がある。よって、可動通路体４００と演出可動体５００とは、一方の動作が他方の動作に干渉することがないように設けることが好ましい。
【０１５７】
（可変入賞球装置６Ｂ）
次に、可変入賞球装置６Ｂの詳細について、図２９〜図３６に基づいて説明する。図２９は、可変入賞球装置の内部構造を示す縦断面図である。図３０は、（Ａ）は進入困難状態、（Ｂ）は進入可能状態であるときの可変入賞球装置を示す横断面図である。図３１は、（Ａ）は図３０（Ａ）のＥ−Ｅ断面図、（Ｂ）は図３０（Ｂ）のＥ’−Ｅ’断面図である。図３２は、可変板を示す斜視図である。図３３は、（Ａ）は図３２のＦ−Ｆ断面図、（Ｂ）は図３２のＧ−Ｇ断面図である。図３４は、（Ａ）〜（Ｃ）は遊技球が第２始動入賞する流れを示す説明図である。図３５は、（Ａ）〜（Ｃ）は遊技球の釣り合いによる滞留を示す説明図である。図３６は、（Ａ）〜（Ｃ）は遊技球の球噛みによる滞留を示す説明図である。
【０１５８】
図２９〜図３１に示すように、可変入賞球装置６Ｂは、遊技盤２の遊技盤面（前面）に取付けられるベース板６０１と、ベース板６０１の背面側に組付けられる第１ソレノイド８１と、第１ソレノイド８１により前後方向に略水平移動する可変板６０２と、ベース板６０１の前面における可変板６０２の左側に突出するように形成される入賞通路形成部６０３と、ベース板６０１の前面における可変板６０２の上方に形成される案内通路形成部６０４と、ベース板６０１の前面における案内通路形成部６０４の左側に形成される誘導部６０５と、入賞通路形成部６０３と案内通路形成部６０４の前面の一部とを構成する正面視略円形の前壁６０６と、を有している。
【０１５９】
ベース板６０１は、遊技盤２に形成された開口に嵌合されるセンター飾り枠の左側に一体に形成されているが、一体に形成さていなくてもよい。また、前壁６０６は、透過性を有する合成樹脂材にて構成されており、前壁６０６を透して、入賞通路形成部６０３や案内通路形成部６０４の遊技球を視認可能とされている。また、ベース板６０１との間に遊技球Ｐが通過可能な空間が形成されるようにベース板６０１に対し前方に配置されている。
【０１６０】
入賞通路形成部６０３は、右側方に開口するように形成され遊技球Ｐが通過可能な通過領域を構成する第２始動入賞口６１０と、第２始動入賞口６１０に進入した遊技球Ｐをベース板６０１に形成された貫通孔６１１を介して遊技盤２の背面側に誘導する入賞球誘導経路Ｋ１と、を形成する。また、第２始動入賞口６１０には第２始動口スイッチ２２Ｂが配設されており、第２始動入賞口６１０に進入した遊技球Ｐが第２始動口スイッチ２２Ｂにより検出されるようになっている。
【０１６１】
可変板６０２は、ベース板６０１に形成された貫通孔６１２を介して前後方向にスライド移動可能に設けられ、第１ソレノイド８１のプランジャ８１Ａとリンク部材８１Ｂを介して連結されており、第１ソレノイド８１がオフ状態であるときに遊技盤２側に退避する退避位置（図３０（Ａ）参照）と、第１ソレノイド８１がオン状態であるときに遊技領域Ｙ側に進出する進出位置（図３０（Ｂ）参照）と、の間で前後方向にスライド移動可能とされている。
【０１６２】
図３２に示すように、可変板６０２は、平面視略縦長長方形状をなす板状部材からなり、上面６０２Ｈが左側に向けて下方に傾斜するように設けられている。可変板６０２の左右側辺後部には、ガイド軸６１３Ｌ，６１３Ｒが側方に向けて突設されており、これらガイド軸６１３Ｌ，６１３Ｒは、第１ソレノイド８１等を被覆するカバー部材６１５に形成された前後方向を向くガイド孔６１４Ｌ，６１４Ｒに挿入されている。また、下面には、前後方向を向くガイド壁６１６Ａ，６１６Ｂが突設されており、これらガイド軸６１３Ｌ，６１３Ｒとガイド壁６１６Ａ，６１６Ｂにより、可変板６０２は前後方向に移動可能に案内される。尚、ガイド軸６１３Ｒはリンク部材８１Ｂと連結するための連結軸を兼ねている。
【０１６３】
可変板６０２の前辺６０２Ｆは、平面視で左側から右側に向けて後方に傾斜する傾斜辺とされているとともに、下側に向けて後方に傾斜する傾斜面を有する。また、前辺６０２Ｆの左端部には、所定の左右幅寸法を有する突出片６２０が前方に向けて突設されており、該突出片６２０の上面には、遊技球の第２始動入賞口６１０への通過を規制するための突出部６２１が上方に向けて突設されている。尚、突出部６２１の右側面には、左側から右側に向けて下方に傾斜する末広がりの傾斜面６２１Ａが形成されている。
【０１６４】
このように構成される突出部６２１は、図３０（Ａ）及び図３１（Ａ）に示すように、可変板６０２が退避位置に位置している状態において、第２始動入賞口６１０の右側方後部に対応するように位置することで、第２始動入賞口６１０への遊技球Ｐの進入を不可能（または困難）とする。一方、図３０（Ｂ）及び図３１（Ｂ）に示すように、可変板６０２が進出位置に位置している状態において、第２始動入賞口６１０の右側方前部に位置することで、第２始動入賞口６１０への遊技球Ｐの進入を可能とする。
【０１６５】
尚、図３０（Ｂ）及び図３１（Ｂ）に示すように、可変板６０２が進出位置に位置している状態において、突出片６２０及び突出部６２１の一部が、前壁６０６に形成された凹部６１７に収容されることで、第２始動入賞口６１０に対応する位置から退避できるようになっている。
【０１６６】
図３２に示すように、可変板６０２の上面６０２Ｈは、第１傾斜面６０２Ａと、上面６０２Ｈの前右部に形成される第２傾斜面６０２Ｂと、から構成されている。第１傾斜面６０２Ａの水平面に対する下り傾斜角度θ１１は約８度とされ、第２傾斜面６０２Ｂの水平面に対する下り傾斜角度θ１２は約５度とされている。つまり、第２傾斜面６０２Ｂの水平面に対する下り傾斜角度θ１２は、第１傾斜面６０２Ａの水平面に対する下り傾斜角度θ１１よりも小さく設定されている（θ１２＜θ１１）。よって、第１傾斜面６０２Ａ上の遊技球Ｐは、第２傾斜面６０２Ｂ上の遊技球Ｐよりも速い速度で第２始動入賞口６１０に向けて流下する。
【０１６７】
また、図３０（Ｂ）に示すように、可変板６０２が進出位置に位置している状態において、第２傾斜面６０２Ｂ及び第１傾斜面６０２Ａにおける第２傾斜面６０２Ｂの左側の部分が、ベース板６０１と前壁６０６との間に形成される空間における前後方向の略中央に位置するようになっている。
【０１６８】
図２９に示すように、案内通路形成部６０４は、ベース板６０１、前壁６０６及び左右の側壁６４１Ｌ，６４１Ｒを有し、遊技領域Ｙにおける可変入賞球装置６Ｂの上方から流下してくる遊技球Ｐの進入が可能となるように上向きに開口する進入口を形成する通過ゲート４１と、通過ゲート４１を通過した遊技球Ｐを１個ずつ第２始動入賞口６１０の右側方近傍位置に向けて下方に案内する案内経路Ｋ２と、を形成する。
【０１６９】
案内経路Ｋ２における通過ゲート４１の下方近傍位置にはゲートスイッチ２１が設けられ、通過ゲート４１を通過した遊技球Ｐが検出されるようになっている。尚、案内通路形成部６０４における上部前側は、前壁６０６とは異なる前壁にて構成されている（図４参照）。
【０１７０】
右側の側壁６４１Ｌは、可変板６０２の右端部の鉛直上方において、案内通路形成部６０４の上壁との間に遊技球Ｐが通過可能な第１間隙６５１が形成されるように上下方向に向けて延設されている。一方、左側の側壁６４１Ｌは、第２始動入賞口６１０の鉛直上方において、案内通路形成部６０４の上壁との間に遊技球Ｐが通過可能な第２間隙６５２が形成されるように上下方向に向けて延設されている。尚、第１間隙６５１の上下寸法Ｌ５及び第２間隙６５２の上下寸法Ｌ６はほぼ同じ長さとされており、遊技球Ｐの直径２Ｒよりも長寸で、かつ、遊技球Ｐの直径２Ｒの２倍の長さよりも短寸とされている（Ｌ５＝Ｌ６／２Ｒ＜Ｌ５，Ｌ６＜２Ｒ×２）。
【０１７１】
尚、左右の側壁６４１Ｌ，６４１Ｒ内面には、複数の凸部６４３が下方に向けて左右交互に設けられていることで、案内経路Ｋ２を流下する遊技球Ｐは、左右に蛇行しながら流下することで落下速度が抑制される。また、ベース板６０１の前面における可変板６０２の上方には、遊技球Ｐを前壁６０６側に誘導する凸部６４４が設けられていることで、第２始動入賞口６１０の手前で遊技球Ｐが前壁６０６側に誘導されるため、可変板６０２が退避位置に位置しているときに遊技球Ｐがベース板６０１よりを流下して可変板６０２や突出部６２１に接触して破損することが抑制される。
【０１７２】
また、ゲートスイッチ２１は、案内通路形成部６０４の上流側に設けられていることで、ゲートスイッチ２１を通過した遊技球Ｐはほぼ可変板６０２の上面６０２Ｈ上に落下するようになっている。尚、遊技球Ｐがゲートスイッチ２１を通過してから可変板６０２の上面６０２Ｈ上に落下するまでに要する時間は約０．５秒以上とされている。
【０１７３】
第１間隙６５１は右側方に開口し、第２間隙６５２は左側方に開口するように形成されているため、通過ゲート４１を通過して案内経路Ｋ２を鉛直下方に流下する遊技球Ｐの大半は第１間隙６５１や第２間隙６５２から流出することなく可変板６０２に到達するが、後述するように遊技球Ｐが案内経路Ｋ２にて滞留することなどにより第１間隙６５１または第２間隙６５２から流出することがある。
【０１７４】
図２９に示すように、通過ゲート４１を通過して案内経路Ｋ２を流下する遊技球Ｐは、案内通路形成部６０４により下方に向けて案内され、第２始動入賞口６１０の右側方近傍位置に到達する。そして、可変板６０２が退避位置に位置して可変入賞球装置６Ｂが進入困難状態である場合、遊技球Ｐは第２始動入賞口６１０に進入せずに、そのまま右側方近傍位置を通過して下方に落下する。また、可変板６０２の突出部６２１等に接触してから落下することもある。
【０１７５】
図３４（Ａ）（Ｃ）に示すように、可変板６０２が進出位置に位置して可変入賞球装置６Ｂが進入可能状態である場合、案内通路形成部６０４により下方に向けて案内された遊技球Ｐ１は、可変板６０２の上面６０２Ｈ上に落下する。遊技球Ｐ１が上面６０２Ｈにおける第１傾斜面６０２Ａ上に落下した場合は、比較的高速で第２始動入賞口６１０に向けて流下案内されるが、遊技球Ｐ１が上面６０２Ｈにおける第２傾斜面６０２Ｂ上に落下した場合は、比較的低速で第２始動入賞口６１０に向けて流下した後、第１傾斜面６０２Ａにより比較的高速で第２始動入賞口６１０に向けて流下する。
【０１７６】
次いで、図３４（Ｂ）に示すように、遊技球Ｐ１の後に後続の遊技球Ｐ２が通過ゲート４１を通過した場合において、遊技球Ｐ２が上面６０２Ｈ上に落下するときに遊技球Ｐ１が既に第２始動入賞口６１０に進入していれば、遊技球Ｐ１，Ｐ２は各々個別に第２始動入賞口６１０に誘導される。
【０１７７】
図３５（Ａ）に示すように、可変板６０２が進出位置に位置して可変入賞球装置６Ｂが進入可能状態である場合において、遊技球Ｐ１が可変板６０２の上面６０２Ｈ上に落下した直後に、後続の遊技球Ｐ２が遊技球Ｐ１上に落下する場合がある。
【０１７８】
このように、遊技球Ｐ１が第２傾斜面６０２Ｂ上に位置し、かつ、遊技球Ｐ２が入賞通路形成部６０３の上壁と遊技球Ｐ１の上部左側との３点で接触した状態になり、遊技球Ｐ１が第１傾斜面６０２Ａまたは第２傾斜面６０２Ｂにより第２始動入賞口６１０側へ流下しようとする力と、遊技球Ｐ２が自重により遊技球Ｐ１を第２始動入賞口６１０と反対側へ押し出そうとする力とが均衡すると、遊技球Ｐ１，Ｐ２が動かなくなり釣り合いによる滞留（球詰り）が発生する虞がある。
【０１７９】
ここで、遊技球Ｐ１が第２傾斜面６０２Ｂ上に位置していると、第１傾斜面６０２Ａ上に位置している場合に比べて、第２始動入賞口６１０側へ流下しようとする力が小さいので、遊技球Ｐ２が遊技球Ｐ１を第２始動入賞口６１０と反対側（右側）へ押し出そうとする力が、遊技球Ｐ１が第２始動入賞口６１０側へ流下しようとする力を上回り易くなる。
【０１８０】
また、図３５（Ｂ）（Ｄ）に示すように、可変板６０２が進出位置まで移動した進入可能状態において、可変板６０２と側壁６４１Ｒの下端との間に第１間隙６５１が設けられることで、上面６０２Ｈ上にある遊技球Ｐ１の右側への移動が側壁６４１Ｒにより阻害されることがない、よって、遊技球Ｐ１が第２始動入賞口６１０と反対側へ押し出されて遊技球Ｐ２が上面６０２Ｈ上に落下可能となるため、遊技球Ｐ１，Ｐ２による釣り合いによる滞留（球詰り）の発生を回避できる。
【０１８１】
次に、図３６（Ａ）（Ｂ）に示すように、可変板６０２が退避位置から進出位置に移動する途中において、遊技球Ｐ１が進出してきた可変板６０２の前辺６０２Ｆと前壁６０６との間に挟まってしまう球噛みが発生することによって、第２始動入賞口６１０側、下側、第１間隙６５１側のいずれの方向にも動けなくなった場合、その上方に後続の遊技球Ｐ２、Ｐ３・・・が滞留してしまう虞がある。
【０１８２】
ここで、後続の３個目の遊技球Ｐ３は、遊技球Ｐ２が第２間隙６５２の下方位置にて滞留していることから、遊技球Ｐ２により鉛直下方への移動が阻害されるものの、遊技球Ｐ２に接触することにより第２間隙６５２側に誘導されて入賞通路形成部６０３の上方へ排出されるため、遊技球Ｐ１の球噛みにより遊技球Ｐ２の上方に遊技球Ｐ３、Ｐ４が次々と滞留して球詰りが発生することを抑制できる。
【０１８３】
また、遊技球Ｐ１，Ｐ２が滞留している状態において、後続の遊技球Ｐ３、Ｐ４・・が遊技球Ｐ２に接触したときに、その衝撃が遊技球Ｐ２から遊技球Ｐ１に伝達されることで、遊技球Ｐ１は球詰りが解消されて下方に落下し、これに伴い可変板６０２が進出位置まで移動するため、可変板６０２の上方にある遊技球Ｐ２や後続の遊技球Ｐ４・・は、上面６０２Ｈにより第２始動入賞口６１０へ向けて誘導される。
【０１８４】
このように、遊技球Ｐを第２始動入賞口６１０へ誘導可能な可変板６０２の上面６０２Ｈに遊技球Ｐが安定して落下するように流下を案内する案内通路形成部６０４を設けることで、通過ゲート４１を通過した遊技球Ｐを、第２始動入賞口６１０に遊技球Ｐを誘導可能な可変板６０２に向けて安定して誘導できるようになる一方で、案内通路形成部６０４があるが故に、釣り合いによる滞留や球噛みによる滞留といった球詰りが発生しやすくなる。このような構成において、第１間隙６５１や第２間隙６５２を設けることにより、球詰りの発生を好適に抑制することができる。
【０１８５】
尚、本実施の形態では、案内通路形成部６０４は、通過ゲート４１を通過した遊技球Ｐを１個ずつ第２始動入賞口６１０へ誘導可能な可変板６０２の上面６０２Ｈに向けて略鉛直下方に案内する案内経路Ｋ２を形成する形態を例示したが、本発明はこれに限定されるものではなく、案内経路Ｋ２は、通過ゲート４１を通過した遊技球Ｐを略鉛直下方に向けて流下案内するものでなくてもよく、斜め下方に案内するもの等であってもよい。
【０１８６】
（遊技の進行の概略）
パチンコ遊技機１が備える打球操作ハンドル３０への遊技者による回転操作により、遊技球が遊技領域Ｙに向けて発射される。遊技球が通過ゲート４１を通過すると、普通図柄表示器２０による普図ゲームが開始される。
【０１８７】
尚、本実施の形態では、前回の普図ゲームの実行期間中や、普図当りに基づき可変入賞球装置６Ｂが進入可能状態（または後述する開放後時間における進入困難状態）に制御される期間中等に遊技球が通過ゲート４１を通過した場合（遊技球が通過ゲート４１を通過したが当該通過に基づく普図ゲームを直ちに実行できない場合）には、当該通過に基づく普図ゲームは保留されないが、所定の上限数（例えば４）まで保留されるようにしてもよい。
【０１８８】
この普図の変動表示では、普通図柄の変動を開始させた後、普図変動時間となる所定時間が経過すると、普通図柄の変動表示結果となる確定普通図柄を停止表示（導出表示）する。このとき、確定普通図柄として、例えば「７」を示す数字といった、特定の普通図柄（普図当り図柄）が停止表示されれば、普通図柄の変動表示結果が「普図当り」となる。尚、本実施の形態では、確定普通図柄として、例えば「７」を示す数字以外の数字や記号といった、普図当り図柄以外の普通図柄が停止表示されて、普通図柄の変動表示結果が「普図ハズレ」となることはないが、「普図ハズレ」となることがあるようにしてもよい。普通図柄の変動表示結果が「普図当り」となったことに対応して、可変板６０２が進出位置へ移動して可変入賞球装置６Ｂが進入可能状態となり、所定時間が経過すると可変板６０２が退避位置へ移動して可変入賞球装置６Ｂが進入困難状態になる。
【０１８９】
入賞球装置６Ａに形成された第１始動入賞口に遊技球が進入すると、第１特別図柄表示装置４Ａによる第１特図ゲームが開始される。
【０１９０】
可変入賞球装置６Ｂに形成された第２始動入賞口６１０に遊技球が進入すると、第２特別図柄表示装置４Ｂによる第２特図ゲームが開始される。
【０１９１】
尚、特図ゲームの実行中の期間や、後述する大当り遊技状態や小当り遊技状態に制御されている期間に、遊技球が第１始動入賞口へ進入（入賞）した場合（第１始動入賞が発生したが当該第１始動入賞に基づく第１特図ゲームを直ちに実行できない場合）には、当該進入に基づく第１特図ゲームは所定の上限数（例えば４）までその実行が保留される一方、遊技球が第２始動入賞口へ進入（入賞）した場合（第２始動入賞が発生したが当該第２始動入賞に基づく第２特図ゲームを直ちに実行できない場合）には、当該進入に基づく第２特図ゲームは所定の上限数（例えば３）までその実行が保留される。
【０１９２】
特図ゲームにおいて、所定の特別図柄（小当り図柄、例えば「２」）が停止表示されれば、「小当り」となる。尚、確定特別図柄として特定の特別図柄（大当り図柄、例えば「７」、後述の大当り種別に応じて実際の図柄は異なる。）が停止表示されれば、「大当り」となるようにしてもよい。また、小当り図柄とは異なる特別図柄（ハズレ図柄、例えば「−」）が停止表示されれば「ハズレ」となる。
【０１９３】
特図ゲームでの表示結果が「小当り」になった後には、小当り遊技状態に制御される。尚、特図ゲームでの表示結果が「大当り」になった後に、遊技者にとって有利な有利状態として大当り遊技状態に制御されるようにしてもよい。
【０１９４】
小当り遊技状態では、第２特別可変入賞球装置７Ｂにより形成される第２大入賞口７０２Ｂが所定の開放態様で進入可能状態となる。小当り遊技状態において、第２特別可変入賞球装置７Ｂの第２大入賞口扉７０２Ａが、所定の上限時間（例えば、１８００ｍｓなど）が経過するまでの期間あるいは所定個数（例えば８個）の入賞球が発生するまでの期間にて、第２大入賞口７０２Ｂを開放状態とする。これにより、第２特別可変入賞球装置７Ｂは遊技者にとって有利な状態となる。
【０１９５】
小当り遊技状態において、第２大入賞口７０２Ｂに進入した遊技球が第２特別可変入賞球装置７Ｂ内に設けられた第３カウントスイッチ２４Ｂを通過すると、該遊技球の第３カウントスイッチ２４Ｂの通過に基づく「大当り（Ｖ入賞大当り）」となる。つまり、ＣＰＵ１０３は、該遊技球の第３カウントスイッチ２４Ｂの通過を検出したことに基づき、遊技状態を大当り遊技状態に制御する。一方、小当り遊技状態において第２大入賞口７０２Ｂに入賞した遊技球が第２特別可変入賞球装置７Ｂ内に設けられた第４カウントスイッチ２４Ｃを通過した場合は、「大当り」とはならない。つまり、ＣＰＵ１０３は、該遊技球の第４カウントスイッチ２４Ｃの通過を検出したことに基づき、遊技状態を大当り遊技状態には制御しない。
【０１９６】
そして、遊技球の第３カウントスイッチ２４Ｂの通過に基づいて大当り遊技状態に制御されると、第１特別可変入賞球装置７Ａの第１大入賞口扉７０１Ａが、所定の上限時間（例えば２９秒間）が経過するまでの期間あるいは所定個数（例えば８個）の入賞が発生するまでの期間にて、第１大入賞口７０１Ｂを開放状態とする。これにより、第１特別可変入賞球装置７Ａを遊技者にとって有利な開放状態とするラウンド遊技が実行される。尚、本実施の形態では、遊技球の第３カウントスイッチ２４Ｂの通過に基づいて大当り遊技状態に制御されると、第１特別可変入賞球装置７Ａが開放状態に制御される形態を例示したが、本発明はこれに限定されるものではなく、第２特別可変入賞球装置７Ｂが開放状態に制御されるようにしてもよい。
【０１９７】
第１大入賞口の開放サイクルであるラウンドは、その実行回数が所定の上限回数（例えば「５」や「７」や「１０」）に達するまで、繰返し実行可能となっている。尚、ラウンドの実行回数が上限回数に達する前であっても、所定条件の成立（例えば第１大入賞口に遊技球が入賞しなかったことなど）により、ラウンドの実行が終了するようにしてもよい。
【０１９８】
本実施の形態における大当り遊技状態の終了後は、時間短縮制御（時短制御）が行われる時短状態に制御される。時短状態では、平均的な特図変動時間（特図を変動させる期間）を通常状態よりも短縮させる制御（時短制御）が実行される。時短状態では、平均的な普図変動時間（普図を変動させる期間）を通常状態よりも短縮させたり、普図ゲームで「普図当り」となる確率を通常状態よりも向上させる等により、第２始動入賞口６１０に遊技球が進入しやすくなる制御（高開放制御、高ベース制御）も実行される。時短状態は、特別図柄（特に第２特別図柄）の変動効率が向上する状態であるので、遊技者にとって有利な状態である。
【０１９９】
時短状態は、所定回数（例えば、９９回）の特図ゲームが実行されたこと、所定回数（例えば、１回または３回）の小当りが実行されたこと、のうちいずれかの終了条件が先に成立するまで継続する。所定回数の特図ゲームが実行されたことが終了条件となるものを、回数切り（回数切り時短等）ともいう。
【０２００】
通常状態とは、遊技者にとって有利な大当り遊技状態や小当り遊技状態等の有利状態、時短状態等の特別状態以外の遊技状態のことであり、普図ゲームにおける表示結果が「普図当り」となる確率及び特図ゲームにおける表示結果が「小当り」となる確率などが、パチンコ遊技機１の初期設定状態（例えばシステムリセットが行われた場合のように、電源投入後に所定の復帰処理を実行しなかったとき）と同一に制御される状態である。尚、時短制御が実行されている状態を高ベース状態、時短制御が実行されていない状態を低ベース状態ともいう。
【０２０１】
小当り遊技状態が終了した後、大当り遊技状態にならなかった場合は、遊技状態の変更が行われず、特図ゲームの表示結果が「小当り」となる以前の遊技状態に継続して制御される。尚、遊技状態は、大当り遊技状態中に遊技球が特定領域（例えば、大入賞口内の特定領域）を通過したことに基づいて変化してもよい。例えば、遊技球が特定領域を通過して大当り遊技状態に制御された後は高ベース状態（時短状態）に制御される。
【０２０２】
（演出の進行など）
パチンコ遊技機１では、遊技の進行に応じて種々の演出（遊技の進行状況を報知したり、遊技を盛り上げたりする演出）が実行される。当該演出について以下説明する。尚、当該演出は、画像表示装置５に各種の演出画像を表示することによって行われるが、当該表示に加えて又は代えて、スピーカ８Ｌ、８Ｒからの音声出力、及び／又は、遊技効果ランプ９の点等／消灯、演出可動体５００の動作等により行われてもよい。
【０２０３】
遊技の進行に応じて実行される演出として、画像表示装置５に設けられた「左」、「中」、「右」の飾り図柄表示エリア５Ｌ、５Ｃ、５Ｒでは、第１特図ゲーム又は第２特図ゲームが開始されることに対応して、飾り図柄の可変表示が開始される。第１特図ゲームや第２特図ゲームにおいて表示結果（確定特別図柄ともいう。）が停止表示されるタイミングでは、飾り図柄の可変表示の表示結果となる確定飾り図柄（３つの飾り図柄の組合せ）も停止表示（導出）される。
【０２０４】
特図ゲームの表示結果が「小当り」となるときには、画像表示装置５の画面上において、飾り図柄の可変表示の表示結果として、予め定められた小当り組合せとなる確定飾り図柄（例えば、「１  ３  ５」等）が導出される（飾り図柄の可変表示の表示結果が「小当り」となる）。一例として、「左」、「中」、「右」の飾り図柄表示エリア５Ｌ、５Ｃ、５Ｒにおける所定の有効ライン上にチャンス目を構成する飾り図柄が停止表示される。
【０２０５】
特図ゲームの表示結果が「ハズレ」となる場合には、飾り図柄の可変表示の態様がリーチ態様とならずに、飾り図柄の可変表示の表示結果として、非リーチ組合せの確定飾り図柄（「非リーチハズレ」ともいう。）が停止表示される（飾り図柄の可変表示の表示結果が「非リーチハズレ」となる）ことがある。また、表示結果が「ハズレ」となる場合には、飾り図柄の可変表示の態様がリーチ態様となった後に、飾り図柄の可変表示の表示結果として、小当り組合せでない所定のリーチ組合せ（「リーチハズレ」ともいう）の確定飾り図柄が停止表示される（飾り図柄の可変表示の表示結果が「リーチハズレ」となる）こともある。
【０２０６】
パチンコ遊技機１が実行可能な演出には、上記の可変表示対応表示（保留表示やアクティブ表示）を表示することも含まれる。また、他の演出として、例えば、小当り信頼度を予告する予告演出等が飾り図柄の可変表示中に実行される。予告演出には、実行中の可変表示における小当り信頼度を予告する予告演出や、実行前の可変表示（実行が保留されている可変表示）における小当り信頼度を予告する先読み予告演出がある。先読み予告演出として、可変表示対応表示（保留表示やアクティブ表示）の表示態様を通常とは異なる態様に変化させる演出が実行されるようにしてもよい。
【０２０７】
また、画像表示装置５において、飾り図柄の可変表示中に飾り図柄を一旦仮停止させた後に可変表示を再開させることで、１回の可変表示を擬似的に複数回の可変表示のように見せる擬似連演出を実行するようにしてもよい。
【０２０８】
大当り遊技状態中にも、大当り遊技状態を報知する大当り中演出が実行される。大当り中演出としては、ラウンド数を報知する演出や、大当り遊技状態の価値が向上することを示す昇格演出が実行されてもよい。また、小当り遊技状態中にも、小当り遊技状態を報知する小当り中演出が実行される。
【０２０９】
また、例えば特図ゲーム等が実行されていないときには、画像表示装置５にデモ（デモンストレーション）画像が表示される（客待ちデモ演出が実行される）。
【０２１０】
（基板構成）
パチンコ遊技機１には、例えば図２に示すような主基板１１、演出制御基板１２、音声制御基板１３、ランプ制御基板１４、中継基板１５などが搭載されている。その他にも、パチンコ遊技機１の背面には、例えば払出制御基板、情報端子基板、発射制御基板、電源基板などといった、各種の基板が配置されている。
【０２１１】
主基板１１は、メイン側の制御基板であり、パチンコ遊技機１における上記遊技の進行（特図ゲームの実行（保留の管理を含む）、普図ゲームの実行（保留の管理を含む）、大当り遊技状態、小当り遊技状態、遊技状態など）を制御する機能を有する。主基板１１は、遊技制御用マイクロコンピュータ１００、スイッチ回路１１０、ソレノイド回路１１１などを有する。
【０２１２】
主基板１１に搭載された遊技制御用マイクロコンピュータ１００は、例えば１チップのマイクロコンピュータであり、ＲＯＭ（Read Only Memory）１０１と、ＲＡＭ（Random Access Memory）１０２と、ＣＰＵ（Central Processing Unit）１０３と、乱数回路１０４と、Ｉ／Ｏ（Input/Output port）１０５とを備える。
【０２１３】
ＣＰＵ１０３は、ＲＯＭ１０１に記憶されたプログラムを実行することにより、遊技の進行を制御する処理（主基板１１の機能を実現する処理）を行う。このとき、ＲＯＭ１０１が記憶する各種データ（後述の変動パターン、後述の演出制御コマンド、後述の各種決定を行う際に参照される各種テーブルなどのデータ）が用いられ、ＲＡＭ１０２がメインメモリとして使用される。ＲＡＭ１０２は、その一部または全部がパチンコ遊技機１に対する電力供給が停止しても、所定期間記憶内容が保存されるバックアップＲＡＭとなっている。尚、ＲＯＭ１０１に記憶されたプログラムの全部又は一部をＲＡＭ１０２に展開して、ＲＡＭ１０２上で実行するようにしてもよい。
【０２１４】
乱数回路１０４は、遊技の進行を制御するときに使用される各種の乱数値（遊技用乱数）を示す数値データを更新可能にカウントする。遊技用乱数は、ＣＰＵ１０３が所定のコンピュータプログラムを実行することで更新されるもの（ソフトウェアで更新されるもの）であってもよい。
【０２１５】
Ｉ／Ｏ１０５は、例えば各種信号（後述の検出信号）が入力される入力ポートと、各種信号（第１特別図柄表示装置４Ａ、第２特別図柄表示装置４Ｂ、普通図柄表示器２０、第１保留表示器２５Ａ、第２保留表示器２５Ｂなどを制御（駆動）する信号、ソレノイド駆動信号）を伝送するための出力ポートとを含んで構成される。
【０２１６】
スイッチ回路１１０は、遊技球検出用の各種スイッチ（ゲートスイッチ２１、始動口スイッチ（第１始動口スイッチ２２Ａおよび第２始動口スイッチ２２Ｂ）、カウントスイッチ２３）からの検出信号（遊技球が通過又は進入してスイッチがオンになったことを示す検出信号など）を取り込んで遊技制御用マイクロコンピュータ１００に伝送する。検出信号の伝送により、遊技球の通過又は進入が検出されたことになる。
【０２１７】
ソレノイド回路１１１は、遊技制御用マイクロコンピュータ１００からのソレノイド駆動信号（例えば、ソレノイド８１やソレノイド８２をオンする信号など）を、普通電動役物用のソレノイド８１や大入賞口扉用のソレノイド８２に伝送する。
【０２１８】
主基板１１（遊技制御用マイクロコンピュータ１００）は、遊技の進行の制御の一部として、遊技の進行に応じて演出制御コマンド（遊技の進行状況等を指定（通知）するコマンド）を演出制御基板１２に供給する。主基板１１から出力された演出制御コマンドは、中継基板１５により中継され、演出制御基板１２に供給される。当該演出制御コマンドには、例えば主基板１１における各種の決定結果（例えば、特図ゲームの表示結果（大当り種別を含む。）、特図ゲームを実行する際に使用される変動パターン（詳しくは後述））、遊技の状況（例えば、可変表示の開始や終了、大入賞口の開放状況、入賞の発生、保留記憶数、遊技状態）、エラーの発生等を指定するコマンド等が含まれる。
【０２１９】
演出制御基板１２は、主基板１１とは独立したサブ側の制御基板であり、演出制御コマンドを受信し、受信した演出制御コマンドに基づいて演出（遊技の進行に応じた種々の演出であり、演出可動体５００の駆動、エラー報知、電断復旧の報知等の各種報知を含む）を実行する機能を有する。
【０２２０】
演出制御基板１２には、演出制御用ＣＰＵ１２０と、ＲＯＭ１２１と、ＲＡＭ１２２と、表示制御部１２３と、乱数回路１２４と、Ｉ／Ｏ１２５とが搭載されている。
【０２２１】
演出制御用ＣＰＵ１２０は、ＲＯＭ１２１に記憶されたプログラムを実行することにより、表示制御部１２３とともに演出を実行するための処理（演出制御基板１２の上記機能を実現するための処理であり、実行する演出の決定等を含む）を行う。このとき、ＲＯＭ１２１が記憶する各種データ（各種テーブルなどのデータ）が用いられ、ＲＡＭ１２２がメインメモリとして使用される。
【０２２２】
演出制御用ＣＰＵ１２０は、コントローラセンサユニット３５Ａやプッシュセンサ３５Ｂからの検出信号（遊技者による操作を検出したときに出力される信号であり、操作内容を適宜示す信号）に基づいて演出の実行を表示制御部１２３に指示することもある。
【０２２３】
表示制御部１２３は、ＶＤＰ（Video Display Processor）、ＣＧＲＯＭ（Character Generator ROM）、ＶＲＡＭ（Video RAM）などを備え、演出制御用ＣＰＵ１２０からの演出の実行指示に基づき、演出を実行する。
【０２２４】
表示制御部１２３は、演出制御用ＣＰＵ１２０からの演出の実行指示に基づき、実行する演出に応じた映像信号を画像表示装置５に供給することで、演出画像を画像表示装置５に表示させる。表示制御部１２３は、さらに、演出画像の表示に同期した音声出力や、遊技効果ランプ９の点灯／消灯を行うため、音指定信号（出力する音声を指定する信号）を音声制御基板１３に供給したり、ランプ信号（ランプの点灯／消灯態様を指定する信号）をランプ制御基板１４に供給したりする。また、表示制御部１２３は、演出可動体５００を動作させる信号を当該演出可動体５００又は当該演出可動体５００を駆動する駆動回路に供給する。
【０２２５】
音声制御基板１３は、スピーカ８Ｌ、８Ｒを駆動する各種回路を搭載しており、当該音指定信号に基づきスピーカ８Ｌ、８Ｒを駆動し、当該音指定信号が指定する音声をスピーカ８Ｌ、８Ｒから出力させる。
【０２２６】
ランプ制御基板１４は、遊技効果ランプ９を駆動する各種回路を搭載しており、当該ランプ信号に基づき遊技効果ランプ９を駆動し、当該ランプ信号が指定する態様で遊技効果ランプ９を点灯／消灯する。このようにして、表示制御部１２３は、音声出力、ランプの点灯／消灯を制御する。
【０２２７】
尚、音声出力、ランプの点灯／消灯の制御（音指定信号やランプ信号の供給等）、演出可動体５００の制御（演出可動体５００を動作させる信号の供給等）は、演出制御用ＣＰＵ１２０が実行するようにしてもよい。
【０２２８】
乱数回路１２４は、各種演出を実行するために使用される各種の乱数値（演出用乱数）を示す数値データを更新可能にカウントする。演出用乱数は、演出制御用ＣＰＵ１２０が所定のコンピュータプログラムを実行することで更新されるもの（ソフトウェアで更新されるもの）であってもよい。
【０２２９】
演出制御基板１２に搭載されたＩ／Ｏ１２５は、例えば主基板１１などから伝送された演出制御コマンドを取り込むための入力ポートと、各種信号（映像信号、音指定信号、ランプ信号）を伝送するための出力ポートとを含んで構成される。
【０２３０】
演出制御基板１２、音声制御基板１３、ランプ制御基板１４といった、主基板１１以外の基板をサブ基板ともいう。パチンコ遊技機１のようにサブ基板が機能別に複数設けられていてもよいし、１のサブ基板が複数の機能を有するように構成してもよい。
【０２３１】
図３７（Ａ）は、本実施の形態で用いられる演出制御コマンドの内容の一例を示す説明図である。演出制御コマンドは、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」とされ、ＥＸＴデータの先頭ビットは「０」とされる。尚、図３７（Ａ）に示されたコマンド形態は一例であって、他のコマンド形態を用いてもよい。また、この例では、制御コマンドが２つの制御信号で構成されることになるが、制御コマンドを構成する制御信号数は、１であってもよいし、３以上の複数であってもよい。
【０２３２】
図３７（Ａ）に示す例において、コマンド８００１Ｈは、第１特別図柄表示装置４Ａにおける第１特図を用いた特図ゲームにおける可変表示の開始を指定する第１可変表示開始コマンドである。コマンド８００２Ｈは、第２特別図柄表示装置４Ｂにおける第２特図を用いた特図ゲームにおける可変表示の開始を指定する第２可変表示開始コマンドである。コマンド８１ＸＸＨは、特図ゲームにおける特別図柄の可変表示に対応して画像表示装置５における「左」、「中」、「右」の各飾り図柄表示エリア５Ｌ，５Ｃ，５Ｒで可変表示される飾り図柄（演出図柄ともいう）などの変動パターン（変動時間（可変表示時間））を指定する変動パターン指定コマンドである。ここで、ＸＸＨは不特定の１６進数であることを示し、演出制御コマンドによる指示内容に応じて任意に設定される値であればよい。尚、変動パターン指定コマンドでは、指定する変動パターンなどに応じて、異なるＥＸＴデータが設定される。
【０２３３】
コマンド８ＣＸＸＨは、可変表示結果指定コマンドであり、特別図柄や飾り図柄などの可変表示結果を指定する演出制御コマンドである。可変表示結果指定コマンドでは、例えば図３７（Ｂ）に示すように、可変表示結果（変動表示結果ともいう）が「ハズレ」であるか「小当り」であるかの決定結果（事前決定結果）や、可変表示結果が「小当り」となる場合の小当り種別を複数種類のいずれとするかの決定結果（小当り種別決定結果）に応じて、異なるＥＸＴデータが設定される。
【０２３４】
可変表示結果指定コマンドでは、例えば、図３７（Ｂ）に示すように、コマンド８Ｃ００Ｈは、可変表示結果が「ハズレ」となる旨の事前決定結果を示す第１可変表示結果指定コマンドである。コマンド８Ｃ０１Ｈは、可変表示結果が「小当り」で小当り種別が「小当り１」となる旨の事前決定結果及び小当り種別決定結果を通知する第２可変表示結果指定コマンドである。コマンド８Ｃ０２Ｈは、可変表示結果が「小当り」で小当り種別が「小当り２」となる旨の事前決定結果及び小当り種別決定結果を通知する第３可変表示結果指定コマンドである。コマンド８Ｃ０３Ｈは、可変表示結果が「小当り」で小当り種別が「小当り３」となる旨の事前決定結果及び小当り種別決定結果を通知する第４可変表示結果指定コマンドである。コマンド８Ｃ０４Ｈは、可変表示結果が「小当り」で小当り種別が「小当り４」となる旨の事前決定結果及び小当り種別決定結果を通知する第５可変表示結果指定コマンドである。コマンド８Ｃ０５Ｈは、可変表示結果が「小当り」で小当り種別が「小当り５」となる旨の事前決定結果及び小当り種別決定結果を通知する第６可変表示結果指定コマンドである。コマンド８Ｃ０６Ｈは、可変表示結果が「小当り」で小当り種別が「小当り６」となる旨の事前決定結果及び小当り種別決定結果を通知する第７可変表示結果指定コマンドである。コマンド８Ｃ０７Ｈは、可変表示結果が「小当り」で小当り種別が「小当り７」となる旨の事前決定結果及び小当り種別決定結果を通知する第８可変表示結果指定コマンドである。コマンド８Ｃ０８Ｈは、可変表示結果が「小当り」で小当り種別が「小当り８」となる旨の事前決定結果及び小当り種別決定結果を通知する第９可変表示結果指定コマンドである。コマンド８Ｃ０９Ｈは、可変表示結果が「小当り」で小当り種別が「小当り９」となる旨の事前決定結果及び小当り種別決定結果を通知する第１０可変表示結果指定コマンドである。コマンド８Ｃ０ＡＨは、可変表示結果が「小当り」で小当り種別が「小当り１０」となる旨の事前決定結果及び小当り種別決定結果を通知する第１１可変表示結果指定コマンドである。
【０２３５】
コマンド８Ｆ００Ｈは、画像表示装置５における「左」、「中」、「右」の各飾り図柄表示エリア５Ｌ，５Ｃ，５Ｒで飾り図柄の変動停止（確定）を指定する図柄確定コマンドである。コマンド９５ＸＸＨは、パチンコ遊技機１における現在の遊技状態を指定する遊技状態指定コマンドである。遊技状態指定コマンドでは、例えばパチンコ遊技機１における現在の遊技状態に応じて、異なるＥＸＴデータが設定される。具体的な一例として、コマンド９５００Ｈを時短制御が行われない遊技状態（低ベース状態、通常状態）に対応した第１遊技状態指定コマンドとし、コマンド９５０１Ｈを時短制御が１回行われる遊技状態（高ベース状態Ａ、時短状態Ａ）に対応した第２遊技状態指定コマンドとし、コマンド９５０２Ｈを時短制御が３回行われる遊技状態（高ベース状態Ｂ、時短状態Ｂ）に対応した第３遊技状態指定コマンドとする。
【０２３６】
コマンド９６ＸＸＨは、パチンコ遊技機１においてエラー（異常）の発生および発生したエラー（異常）の種別を指定するエラー（異常）指定コマンドである。エラー（異常）指定コマンドでは、例えば、各エラー（異常）に対応するＥＸＴデータが設定されることにより、演出制御基板１２側において、いずれのエラー（異常）の発生が判定されたのかを特定することができ、特定したエラー（異常）の発生がエラー報知処理によって報知される。
【０２３７】
コマンドＡ０ＸＸＨは、大当り遊技や小当り遊技の開始を示す演出画像の表示を指定する当り開始指定コマンド（「ファンファーレコマンド」ともいう）である。コマンドＡ１ＸＸＨは、大当り遊技状態において、大入賞口が開放状態となっている期間であることを通知する大入賞口開放中通知コマンドである。コマンドＡ２ＸＸＨは、大当り遊技状態において、大入賞口が開放状態から閉鎖状態に変化した期間であることを通知する大入賞口開放後通知コマンドである。コマンドＡ３ＸＸＨは、大当り遊技や小当りの終了時における演出画像の表示を指定する当り終了指定コマンドである。
【０２３８】
当り開始指定コマンドや当り終了指定コマンドでは、例えば可変表示結果指定コマンドと同様のＥＸＴデータが設定されることなどにより、事前決定結果や大当り種別決定結果に応じて異なるＥＸＴデータが設定されてもよい。あるいは、当り開始指定コマンドや当り終了指定コマンドでは、事前決定結果及び大当り種別決定結果と設定されるＥＸＴデータとの対応関係を、可変表示結果指定コマンドにおける対応関係とは異ならせるようにしてもよい。大入賞口開放中通知コマンドや大入賞口開放後通知コマンドでは、例えば、後述する通常開放大当り状態や高速開放大当り状態におけるラウンドの実行回数（例えば「１」〜「１６」）に対応して、異なるＥＸＴデータが設定される。
【０２３９】
コマンドＢ１００Ｈは、入賞球装置６Ａが形成する第１始動入賞口を通過（進入）した遊技球が第１始動口スイッチ２２Ａにより検出されて始動入賞（第１始動入賞）が発生したことに基づき、第１特別図柄表示装置４Ａにおける第１特図を用いた特図ゲームを実行するための第１始動条件が成立したことを通知する第１始動口入賞指定コマンドである。コマンドＢ２００Ｈは、可変入賞球装置６Ｂが形成する第２始動入賞口を通過（進入）した遊技球が第２始動口スイッチ２２Ｂにより検出されて始動入賞（第２始動入賞）が発生したことに基づき、第２特別図柄表示装置４Ｂにおける第２特図を用いた特図ゲームを実行するための第２始動条件が成立したことを通知する第２始動口入賞指定コマンドである。
【０２４０】
コマンドＣ１ＸＸＨは、特図保留記憶数を特定可能とするために、第１特図保留記憶数を通知する第１保留記憶数通知コマンドである。コマンドＣ２ＸＸＨは、特図保留記憶数を特定可能とするために、第２特図保留記憶数を通知する第２保留記憶数通知コマンドである。第１保留記憶数通知コマンドは、例えば第１始動入賞口を遊技球が通過（進入）して第１始動条件が成立したことに基づいて、第１始動口入賞指定コマンドが送信されるときに、主基板１１から演出制御基板１２に対して送信される。第２保留記憶数通知コマンドは、例えば第２始動入賞口を遊技球が通過（進入）して第２始動条件が成立したことに基づいて、第２始動口入賞指定コマンドが送信されるときに、主基板１１から演出制御基板１２に対して送信される。また、第１保留記憶数通知コマンドや第２保留記憶数通知コマンドは、第１開始条件と第２開始条件のいずれかが成立したとき（保留記憶数が減少したとき）に、特図ゲームの実行が開始されることなどに対応して送信されるようにしてもよい。
【０２４１】
第１保留記憶数通知コマンドや第２保留記憶数通知コマンドに代えて、合計保留記憶数を通知する合計保留記憶数通知コマンドを送信するようにしてもよい。即ち、合計保留記憶数の増加（または減少）を通知するための合計保留記憶数通知コマンドが用いられてもよい。
【０２４２】
コマンドＤ１００は、Ｖ入賞が発生したこと、つまり、遊技球が第３カウントスイッチ２４Ｂを通過したことで第３カウントスイッチ２４Ｂがオンとなったことを通知するＶ入賞通知指定コマンドである。
【０２４３】
尚、図３７（Ａ）に示すコマンドは一例であり、これらのコマンドの一部を有しないものであってもよいし、これらのコマンドに代えて異なるコマンドを用いてもよいし、これらのコマンドと異なるコマンドを追加してもよい。例えば、各入賞口に遊技球が入賞したことに基づいて払い出される賞球数を特定可能とするための賞球数通知コマンドや、遊技球が通過ゲート４１を通過したことを通知するためのゲート通過通知コマンドや、確変制御や時短制御が実行される残りの回数を通知する通知コマンド等を設けるようにしてもよい。
【０２４４】
図３８は、主基板１１の側においてカウントされる乱数値を例示する説明図である。図３８に示すように、この実施の形態では、主基板１１の側において、特図表示結果判定用の乱数値ＭＲ１、大当り種別判定用の乱数値ＭＲ２、変動パターン判定用の乱数値ＭＲ３、普図表示結果判定用の乱数値ＭＲ４のそれぞれを示す数値データが、カウント可能に制御される。尚、遊技効果を高めるために、これら以外の乱数値が用いられてもよい。こうした遊技の進行を制御するために用いられる乱数は、遊技用乱数ともいう。
【０２４５】
乱数回路１０４は、これらの乱数値ＭＲ１〜ＭＲ４の一部または全部を示す数値データをカウントするものであればよい。ＣＰＵ１０３は、例えば図３８に示す遊技制御カウンタ設定部（図示略）に設けられたランダムカウンタといった、乱数回路１０４とは異なるランダムカウンタを用いて、ソフトウェアによって各種の数値データを更新することで、乱数値ＭＲ１〜ＭＲ４の一部を示す数値データをカウントするようにしてもよい。
【０２４６】
特図表示結果判定用の乱数値ＭＲ１は、特図ゲームにおける特別図柄などの可変表示結果を「小当り」として大当り遊技状態に制御するか否かを決定するために用いられる乱数値であり、例えば「１」〜「６５５３６」の範囲の値をとる。大当り種別判定用の乱数値ＭＲ２は、可変表示結果を「小当り」とする場合における大当り種別を「小当り１〜１０」のいずれかに決定するために用いられる乱数値であり、例えば「０」〜「２９９」の範囲の値をとる。
【０２４７】
変動パターン判定用の乱数値ＭＲ３は、特別図柄や飾り図柄の可変表示における変動パターンを、予め用意された複数種類のいずれかに決定するために用いられる乱数値であり、例えば「１」〜「９９７」の範囲の値をとる。
【０２４８】
普図表示結果判定用の乱数値ＭＲ４は、普通図柄表示器２０による普図ゲームにおける可変表示結果を「普図当り」とするか「普図ハズレ」とするかなどの決定を行うために用いられる乱数値であり、例えば「３」〜「２３」の範囲の値をとる。
【０２４９】
図３９は、特別図柄の変動パターンの一例を示す説明図である。本実施の形態では、可変表示結果が「ハズレ」となる場合に対応する変動パターン（ＰＡ１−１）と、可変表示結果が「小当り」となる場合に対応する複数の変動パターン（ＰＢ２−１，ＰＢ２−２，ＰＢ２−３，ＰＢ２−４）が予め用意されている。
【０２５０】
複数の変動パターン（ＰＢ２−１，ＰＢ２−２，ＰＢ２−３，ＰＢ２−４）の特図可変表示時間については、「ハズレ」となる場合に対応する変動パターン（ＰＡ１−１）よりも長く設定されている。また、大当り終了後に時短制御が３回実行されるまで継続する高ベース状態Ｂにおいては、大当り終了後に時短制御が１回実行されるまで継続する高ベース状態Ａである場合よりも変動時間が長い変動パターンＰＢ２−４が実行されるように設定されている。
【０２５１】
具体的には、図３９（Ａ）に示すように、低ベース状態または高ベース状態Ａ，Ｂにおける第１特別図柄の変動パターンとしては、表示結果がハズレの場合にはハズレ変動パターンＰＢ１−１を決定し、表示結果が小当りの場合は小当り変動パターンＰＢ２−１を決定する。図３９（Ｂ）に示すように、低ベース状態における第２特別図柄の変動パターンとしては、表示結果が小当りの場合は小当り変動パターンＰＢ２−２を決定する。図３９（Ｃ）に示すように、高ベース状態Ａにおける第２特別図柄の変動パターンとしては、表示結果が小当りで、特図の保留記憶数が２〜４個の場合は小当り変動パターンＰＢ２−１を決定し、表示結果が小当りで、特図の保留記憶数が０〜１個の場合は小当り変動パターンＰＢ２−３を決定する。図３９（Ｄ）に示すように、高ベース状態Ｂにおける第２特別図柄の変動パターンとしては、小当り変動パターンＰＢ２−４を決定する。
【０２５２】
尚、本実施の形態では、上記変動パターンＰＢ１−１、ＰＢ２−１〜４については、図柄確定時間（特別図柄の最小停止表示時間）は、低ベース状態及び高ベース状態Ａ，Ｂで共通の５００ｍｓとされている。また、上記変動パターン以外の変動パターンを設定してもよいし、各変動パターンの変動時間も任意に変更可能である。
【０２５３】
図４０（Ａ）は、ＲＯＭ１０１に記憶される特図表示結果判定テーブルの構成例を示している。特図表示結果判定テーブルは、第１特別図柄表示装置４Ａによる第１特図を用いた特図ゲームや第２特別図柄表示装置４Ｂによる第２特図を用いた特図ゲームにおいて可変表示結果となる確定特別図柄が導出表示される以前に、その可変表示結果を「小当り」として小当り遊技状態に制御するか否かを、特図表示結果判定用の乱数値ＭＲ１に基づいて決定するために参照されるテーブルである。
【０２５４】
本実施の形態における特図表示結果判定テーブルでは、第１特別図柄表示装置４Ａによる第１特図を用いた特図ゲームであるか、第２特別図柄表示装置４Ｂによる第２特図を用いた特図ゲームであるかに応じて、特図表示結果判定用の乱数値ＭＲ１と比較される数値（判定値）が、「小当り」や「ハズレ」の特図表示結果に割り当てられている。
【０２５５】
特図表示結果判定テーブルでは、第２特別図柄表示装置４Ｂによる第２特図を用いた特図ゲームであるときに、第１特別図柄表示装置４Ａによる第１特図を用いた特図ゲームであるときよりも多くの判定値が、「小当り」の特図表示結果に割り当てられている。これにより、第２特別図柄表示装置４Ｂによる第２特図を用いた特図ゲームでは、第１特別図柄表示装置４Ａによる第１特図を用いた特図ゲームであるときに特図表示結果を「小当り」として小当り遊技状態に制御すると決定される確率（本実施の形態では１／７０）に比べて、特図表示結果を「小当り」として小当り遊技状態に制御すると決定される確率が高くなる（本実施の形態では１／１）。つまり、第２特図ゲームの方が第１特図ゲームよりも遊技者にとって有利度合いが高いゲームとなる。
【０２５６】
尚、第２特図ゲームの方が第１特図ゲームよりも遊技者にとって有利度合いが高いゲームとなれば、第２特図ゲームの小当り確率は１／２〜１／５など、種々に変更可能であり、第２特図ゲームにおいて特図表示結果が所定の確率で「ハズレ」となるようにしてもよい。また、このように第２特図ゲームの特図表示結果として「ハズレ」を含むようにした場合でも、第２特図ゲームの方が第１特図ゲームよりも特図表示結果を「小当り」として小当り遊技状態に制御すると決定される確率が高くなるようにすることが好ましい。
【０２５７】
また、図４０（Ｂ）に示すように、本実施の形態では、前回の特図ゲームの実行中の期間等に遊技球が第１始動入賞口を通過した場合（遊技球が第１始動入賞口を通過したが当該通過に基づく特図ゲームを直ちに実行できない場合）には、当該通過に基づく特図ゲームを所定の第１上限数（例えば４）まで保留され、前回の特図ゲームの実行中の期間等に遊技球が第２始動入賞口を通過した場合（遊技球が第２始動入賞口を通過したが当該通過に基づく特図ゲームを直ちに実行できない場合）には、当該通過に基づく特図ゲームを所定の第２上限数（例えば３）まで保留されるようになっている。
【０２５８】
また、本実施の形態では、ＣＰＵ１０３は、第１保留記憶と第２保留記憶とがある場合、第２保留記憶に基づく第２特図の可変表示を、第１保留記憶に基づく第１特図の可変表示よりも優先して実行するようになっている。
【０２５９】
また、図４０（Ｃ）に示すように、本実施の形態では、大当りの終了後に実行される高ベース状態Ａの終了条件は、大当り終了後における第１特図を用いた特図ゲームと第２特図を用いた特図ゲームとの合算可変表示回数が９９回に達したこと、または、大当り終了後において小当り遊技状態が実行された回数（高ベース状態Ａにおける第２特図ゲームの実行回数）が第１回数（例えば１回）に達したこと、のうちいずれかにより成立する。一方、大当りの終了後に実行される高ベース状態Ｂの終了条件は、大当り終了後における第１特図を用いた特図ゲームと第２特図を用いた特図ゲームとの合算可変表示回数が９９回に達したこと、または、大当り終了後において小当り遊技状態が実行された回数（高ベース状態Ｂにおける第２特図ゲームの実行回数）が第２回数（例えば３回）に達したこと、のうちいずれかにより成立する。尚、高ベース状態Ａ，Ｂは、大当り遊技状態に制御されたときにも終了する。
【０２６０】
また、高ベース状態Ａ，Ｂの終了条件である特図ゲームの実行回数は、上記９９回に限らず、任意に変更可能である。また、高ベース状態Ａと高ベース状態Ｂとで回数を異ならせてもよい。また、高ベース状態Ａ，Ｂの終了条件である小当り遊技状態の実行回数は、上記１回や３回に限らず、任意に変更可能である。
【０２６１】
図４１（Ａ）は、ＲＯＭ１０１に記憶されている小当り種別判定テーブルＡを示す説明図である。小当り種別判定テーブルＡは、低ベース状態において第１特図を用いた特図ゲームが実行されて表示結果を小当りにする旨の判定がなされたときに、当り種別判定用の乱数（ＭＲ４）に基づいて、小当りの種別を小当り１〜小当り４のいずれかに決定するために参照されるテーブルである。尚、本実施の形態における小当り種別判定テーブルＡにおいては、当り種別判定用の乱数（ＭＲ４）の取り得る範囲０〜２９９のうち、０〜１３４までが小当り１、１３５〜２６９までが小当り２、２７０〜２８９までが小当り３、２９０〜２９９までが小当り４に割り当てられている。
【０２６２】
図４１（Ｂ）は、ＲＯＭ１０１に記憶されている小当り種別判定テーブルＢを示す説明図である。小当り種別判定テーブルＢは、高ベース状態Ａ，Ｂにおいて第１特図を用いた特図ゲームが実行されて表示結果を小当りにする旨の判定がなされたときに、当り種別判定用の乱数（ＭＲ４）に基づいて、小当りの種別を小当り１〜小当り４のいずれかに決定するために参照されるテーブルである。尚、本実施の形態における小当り種別判定テーブルＢにおいては、当り種別判定用の乱数（ＭＲ４）の取り得る範囲０〜２９９のうち、０〜１３４までが小当り１、１３５〜２６９までが小当り２、２７０〜２８９までが小当り３、２９０〜２９９までが小当り４に割り当てられている。
【０２６３】
図４１（Ｃ）は、ＲＯＭ１０１に記憶されている小当り種別判定テーブルＣを示す説明図である。小当り種別判定テーブルＣは、低ベース状態または高ベース状態Ａ，Ｂにおいて第２特図を用いた特図ゲームが実行されて表示結果を小当りにする旨の判定がなされたときに、当り種別判定用の乱数（ＭＲ４）に基づいて、小当りの種別を小当り５〜小当り１０のいずれかに決定するために参照されるテーブルである。尚、本実施の形態における小当り種別判定テーブルＣにおいては、当り種別判定用の乱数（ＭＲ４）の取り得る範囲０〜２９９のうち、０〜７２までが小当り５、７３〜１４５までが小当り６、１４６〜１４９までが小当り７、１５０〜２２２までが小当り８、２２３〜２９５までが小当り９、２９６〜２９９までが小当り１０に割り当てられている。
【０２６４】
本実施の形態において、小当り１、３、５、８は、小当り遊技状態において第２大入賞口７０２Ｂが開放パターンＡに基づいて１回開放されることにより回転体２０８にサポート球を最多で１個供給可能となる。また、小当り２、４、６、９は、小当り遊技状態において第２大入賞口７０２Ｂが開放パターンＢに基づいて２回開放されることにより回転体２０８にサポート球を最多で３個供給可能となる。また、小当り７、１０は、小当り遊技状態において第２大入賞口７０２Ｂが開放パターンＣに基づいて３回開放されることにより回転体２０８にサポート球を最多で５個供給可能となる。
【０２６５】
本実施の形態では、１回の開放において１４８ｍｓの短時間開放を６００ｍｓ間隔で２回または３回繰り返す制御が行われる。つまり、開放パターンＡでは、１４８ｍｓの短時間開放を３回繰り返す開放制御が１回実行され（図５６参照）、開放パターンＢでは、１４８ｍｓの短時間開放を３回繰り返す開放制御が２回実行され（図５７参照）、開放パターンＣでは、１４８ｍｓの短時間開放を２回繰り返す開放制御が３回実行される（図５８参照）。
【０２６６】
尚、１回の開放において短時間開放を２回または４回以上繰り返してもよいし、複数回の短時間開放の合算時間に相当する時間の開放を１回実行してもよい。また、１４８ｍｓの短時間開放では、開放時に第２大入賞口扉７０２Ａの上面にある遊技球Ｐが１個進入可能であるが、開放時に複数の遊技球Ｐが第２大入賞口扉７０２Ａの上面を流下している場合、開放時に複数個の遊技球Ｐが入賞することもある。
【０２６７】
また、小当り１〜４は、小当り遊技中に遊技球が第３カウントスイッチ２４Ｂを通過した場合、すなわち、Ｖ入賞大当りが発生した場合は、ラウンド遊技が７回実行される大当りＡが実行される。また、小当り１、２については、低ベース状態で小当りとなった場合には、大当り遊技状態の終了後は高ベース状態Ａに制御され、高ベース状態Ａ，Ｂで小当りとなった場合には、大当り遊技状態の終了後は高ベース状態Ｂに制御される。小当り３、４については、低ベース状態または高ベース状態Ａ，Ｂで小当りとなった場合でも、大当り遊技状態の終了後は高ベース状態Ｂに制御される。
【０２６８】
また、小当り５〜７は、小当り遊技中に遊技球が第３カウントスイッチ２４Ｂを通過した場合、すなわち、Ｖ入賞大当りが発生した場合は、ラウンド遊技が５回実行される大当りＣが実行される。また、小当り８〜１０は、小当り遊技中に遊技球が第３カウントスイッチ２４Ｂを通過した場合、すなわち、Ｖ入賞大当りが発生した場合は、ラウンド遊技が１０回実行される大当りＤが実行される。尚、各大当りＡ〜Ｄのラウンド回数は、Ｖ入賞時が１ラウンドであるため、実質ラウンド数は規定ラウンド数からＶ入賞ラウンドを減算した値となる。
【０２６９】
また、小当り５〜１０については、低ベース状態または高ベース状態Ａ，Ｂで小当りとなった場合でも、大当り遊技状態の終了後は高ベース状態Ｂに制御される。
【０２７０】
このように、本実施の形態では、低ベース状態における第１特図ゲームで小当りを契機として大当りとなった場合、大当りの終了後は高ベース状態Ｂよりも高い割合で高ベース状態Ａに制御される一方で、高ベース状態Ａ，Ｂにおける第１特図ゲームまたは第２特図ゲームで小当りを契機として大当りとなった場合、大当りの終了後は高ベース状態Ａよりも高い割合で高ベース状態Ｂに制御される。
【０２７１】
つまり、低ベース状態である場合、大当りとなる確率及び大当りの終了後に高ベース状態Ｂに制御される確率は低いが、高ベース状態Ａにおける第２特図ゲームで小当りを契機として大当りになると、大当り終了後は全て高ベース状態Ａよりも時短回数が多い高ベース状態Ｂに制御されることで、第２特図ゲームで小当りを契機として大当りになる確率が高まるため、大当りの連荘を期待できるようになっている。
【０２７２】
尚、本実施の形態では、低ベース状態における第１特図ゲームで小当りを契機として大当りとなった場合、小当り種別により高ベース状態Ａまたは高ベース状態Ｂのいずれかに制御される形態を例示したが、本発明はこれに限定されるものではなく、低ベース状態における第１特図ゲームで小当りを契機として大当りとなった場合は小当り種別に関係なく高ベース状態Ａに制御されるようにしてもよい。また、高ベース状態Ａ，Ｂにおける第２特図ゲームで小当りを契機として大当りとなった場合、小当り種別に関係なく高ベース状態Ｂに制御される形態を例示したが、高ベース状態Ａや低ベース状態に制御されるようにしてもよい。
【０２７３】
また、本実施の形態では、大当りの終了後は全て高ベース状態Ａ，Ｂのいずれか制御される形態を例示したが、本発明はこれに限定されるものではなく、大当りの終了後に低ベース状態に制御される小当り種別を有していてもよい。
【０２７４】
また、本実施の形態では、大当り終了後に時短制御が１回実行されるまで継続する高ベース状態Ａと、時短制御が３回実行されるまで継続する高ベース状態Ｂのいずれかに制御される小当り種別１〜１０を有する形態を例示したが、本発明はこれに限定されるものではなく、時短制御が２回または４回以上実行されるまで継続する高ベース状態のいずれかに制御される小当り種別を有していてもよい。
【０２７５】
図４２（Ａ）は、低ベース状態において決定される普通図柄の変動パターンを示している。本実施の形態では、可変表示結果が「普図当り」となる場合に対応する変動パターンＰＣ１−１が予め用意され、「普図ハズレ」となる場合に対応する変動パターンは用意されていない。変動パターンＰＣ１−１は、普図の変動表示時間は３０００ｍｓであり、図柄確定時間（普通図柄の最小停止表示時間）は４ｍｓとされている。
【０２７６】
図４２（Ｂ）は、高ベース状態Ａ，Ｂにおいて決定される普通図柄の変動パターンを示している。本実施の形態では、可変表示結果が「普図当り」となる場合に対応する変動パターンＰＣ１−２が予め用意され、「普図ハズレ」となる場合に対応する変動パターンは用意されていない。変動パターンＰＣ１−２は、普図の変動表示時間は４８ｍｓであり、図柄確定時間（普通図柄の最小停止表示時間）は４ｍｓとされている。つまり、普図の変動表示時間は、高ベース状態Ａ，Ｂにおいて低ベース状態であるときよりも短くなるが、図柄確定時間は低ベース状態と高ベース状態Ａ，Ｂとで共通である。
【０２７７】
図４２（Ｃ）は、普図当りに基づく第２始動入賞口６１０の開放内容を示している。普図当りに基づき第２始動入賞口６１０を開放する開放タイミング（普図が停止表示されたタイミング）において、遊技状態が低ベース状態である場合は、第２始動入賞口６１０の開放時間は１６ｍｓ、開放後時間（可変入賞球装置６Ｂを進入困難状態に維持する期間）は４０４８ｍｓとなる。一方、普図当りに基づき第２始動入賞口６１０を開放する開放タイミング（普図が停止表示されたタイミング）において、遊技状態が高ベース状態Ａ，Ｂである場合は、第２始動入賞口６１０の開放時間は５５００ｍｓ、開放後時間（可変入賞球装置６Ｂを進入困難状態に維持する期間）は４０４８ｍｓとなる。
【０２７８】
図４２（Ｄ）は、ＲＯＭ１０１に記憶される普図表示結果判定テーブルの構成例を示している。本実施の形態では、普図表示結果判定テーブルとして、普図ゲームにおいて可変表示結果となる確定普通図柄が導出表示される以前に、その可変表示結果を「普図当り」として可変入賞球装置６Ｂを進入可能状態に制御するか否かを、普図表示結果判定用の乱数値ＭＲ４に基づいて決定するために参照されるテーブルである。
【０２７９】
本実施の形態における普図表示結果判定テーブルでは、遊技状態が低ベース状態であるか高ベース状態Ａ，Ｂのいずれであるかに応じて、普図表示結果判定用の乱数値ＭＲ４と比較される数値（判定値）が、全て「普図当り」の表示結果に割り当てられている。つまり、本実施の形態では、遊技状態が低ベース状態または高ベース状態Ａ，Ｂであっても、普図ゲームであるときに普図表示結果を所定の確率（本実施の形態では１／１）で「普図当り」として可変入賞球装置６Ｂを進入可能状態に制御すると決定する。
【０２８０】
尚、本実施の形態では、普図ゲームであるときに普図表示結果を１／１の確率で普図当りとする形態を例示したが、本発明はこれに限定されるものではなく、上記確率よりも低い確率で普図当りを決定する、つまり、「普図ハズレ」を決定可能としてもよい。
【０２８１】
図４２（Ｅ）は、普図ゲームにおける各種決定内容が示されている。本実施の形態では、遊技球がゲートスイッチ２１を通過したことに基づいて普図の可変表示開始条件が成立した場合、遊技状態が低ベース状態であるか高ベース状態Ａ，Ｂであるかに応じて、普図当りにするか否か（実際には普図当りにすること）及び普図変動パターンを決定する。
【０２８２】
一方、第２始動入賞口６１０の開放パターン（開放時間）については、普図ゲームの可変表示の表示結果が導出表示されたタイミングで、遊技状態が低ベース状態である場合はショート開放パターン（１６ｍｓ）を決定し、遊技状態が高ベース状態Ａ，Ｂである場合はロング開放パターン（５５００ｍｓ）を決定する。
【０２８３】
このように、ＣＰＵ１０３は、普図ゲームの普図表示結果を普図当りとするか否か及び普図変動パターンについては、普図の可変表示開始条件が成立したタイミングで決定する一方で、第２始動入賞口６１０の開放パターン（開放時間）については、普図ゲームの可変表示の表示結果が導出表示（普図当り図柄が停止表示）されたタイミングにおいて、遊技状態が低ベース状態と高ベース状態Ａ，Ｂのいずれであるかによって決定する。
【０２８４】
また、第２始動入賞口６１０の閉鎖条件は、第２始動入賞口６１０をショート開放パターンまたはロング開放パターンのいずれの態様で開放した場合でも、第２始動入賞口６１０を開放してから開放時間が経過したこと、または、開放時間が経過する前であっても２個の遊技球が入賞（第２始動口スイッチ２２Ｂによって検出された）したことのいずれかに基づいて成立し、可変入賞球装置６Ｂが進入困難状態に制御されるようになっている。尚、本実施の形態では、２個の遊技球が入賞したことで可変入賞球装置６Ｂが進入困難状態に制御されるようになっているが、１個または３個以上の遊技球が入賞したことで可変入賞球装置６Ｂが進入困難状態に制御されるようにしてもよい。
【０２８５】
また、普図確定時間（４ｍｓ）、第２始動入賞口開放時間（１６ｍｓや５５００ｍｓ）、開放後時間（４０４８ｍｓ）等については、上記時間に限らす、種々に変更可能である。
【０２８６】
（動作）
次に、パチンコ遊技機１の動作（作用）を説明する。
【０２８７】
（主基板１１の主要な動作）
まず、主基板１１における主要な動作を説明する。パチンコ遊技機１に対して電力供給が開始されると、遊技制御用マイクロコンピュータ１００が起動し、ＣＰＵ１０３によって遊技制御メイン処理が実行される。図４３は、主基板１１におけるＣＰＵ１０３が実行する遊技制御メイン処理を示すフローチャートである。
【０２８８】
図４３に示す遊技制御メイン処理では、ＣＰＵ１０３は、まず、割込禁止に設定する（ステップＳ１）。続いて、必要な初期設定を行う（ステップＳ２）。初期設定には、スタックポインタの設定、内蔵デバイス（ＣＴＣ（カウンタ／タイマ回路）、パラレル入出力ポート等）のレジスタ設定、ＲＡＭ１０２をアクセス可能状態にする設定等が含まれる。
【０２８９】
次いで、クリアスイッチからの出力信号がオンであるか否かを判定する（ステップＳ３）。クリアスイッチは、例えば電源基板に搭載されている。クリアスイッチがオンの状態で電源が投入されると、出力信号（クリア信号）が入力ポートを介して遊技制御用マイクロコンピュータ１００に入力される。クリアスイッチからの出力信号がオンである場合（ステップＳ３；Ｙｅｓ）、初期化処理（ステップＳ８）を実行する。初期化処理では、ＣＰＵ１０３は、ＲＡＭ１０２に記憶されるフラグ、カウンタ、バッファをクリアするＲＡＭクリア処理を行い、作業領域に初期値を設定する。
【０２９０】
また、ＣＰＵ１０３は、初期化を指示する演出制御コマンドを演出制御基板１２に送信する（ステップＳ９）。演出制御用ＣＰＵ１２０は、当該演出制御コマンドを受信すると、例えば画像表示装置５において、遊技機の制御の初期化がなされたことを報知するための画面表示を行う。
【０２９１】
クリアスイッチからの出力信号がオンでない場合には（ステップＳ３；Ｎｏ）、ＲＡＭ１０２（バックアップＲＡＭ）にバックアップデータが保存されているか否かを判定する（ステップＳ４）。不測の停電等（電断）によりパチンコ遊技機１への電力供給が停止したときには、ＣＰＵ１０３は、当該電力供給の停止によって動作できなくなる直前に、電源供給停止時処理を実行する。この電源供給停止時処理では、ＲＡＭ１０２にデータをバックアップすることを示すバックアップフラグをオンする処理、ＲＡＭ１０２のデータ保護処理等が実行される。データ保護処理には、誤り検出符号（チェックサム、パリティビット等）の付加、各種データをバックアップする処理が含まれる。バックアップされるデータには、遊技を進行するための各種データ（各種フラグ、各種タイマの状態等を含む）の他、前記バックアップフラグの状態や誤り検出符号も含まれる。ステップＳ４では、バックアップフラグがオンであるか否かを判定する。バックアップフラグがオフでＲＡＭ１０２にバックアップデータが記憶されていない場合（ステップＳ４；Ｎｏ）、初期化処理（ステップＳ８）を実行する。
【０２９２】
ＲＡＭ１０２にバックアップデータが記憶されている場合（ステップＳ４；Ｙｅｓ）、ＣＰＵ１０３は、バックアップしたデータのデータチェックを行い（誤り検出符号を用いて行われる）、データが正常か否かを判定する（ステップＳ５）。ステップＳ５では、例えば、パリティビットやチェックサムにより、ＲＡＭ１０２のデータが、電力供給停止時のデータと一致するか否かを判定する。これらが一致すると判定された場合、ＲＡＭ１０２のデータが正常であると判定する。
【０２９３】
ＲＡＭ１０２のデータが正常でないと判定された場合（ステップＳ５；Ｎｏ）、内部状態を電力供給停止時の状態に戻すことができないので、初期化処理（ステップＳ８）を実行する。
【０２９４】
ＲＡＭ１０２のデータが正常であると判定された場合（ステップＳ５；Ｙｅｓ）、ＣＰＵ１０３は、主基板１１の内部状態を電力供給停止時の状態に戻すための復旧処理（ステップＳ６）を行う。復旧処理では、ＣＰＵ１０３は、ＲＡＭ１０２の記憶内容（バックアップしたデータの内容）に基づいて作業領域の設定を行う。これにより、電力供給停止時の遊技状態に復旧し、特別図柄の変動中であった場合には、後述の遊技制御用タイマ割込み処理の実行によって、復旧前の状態から特別図柄の変動が再開されることになる。
【０２９５】
そして、ＣＰＵ１０３は、電断からの復旧を指示する演出制御コマンドを演出制御基板１２に送信する（ステップＳ７）。これに合わせて、バックアップされている電断前の遊技状態を指定する演出制御コマンドや、特図ゲームの実行中であった場合には当該実行中の特図ゲームの表示結果を指定する演出制御コマンドを送信するようにしてもよい。これらコマンドは、後述の特別図柄プロセス処理で送信設定されるコマンドと同じコマンドを使用できる。演出制御用ＣＰＵ１２０は、電断からの復旧時を特定する演出制御コマンドを受信すると、例えば画像表示装置５において、電断からの復旧がなされたこと又は電断からの復旧中であることを報知するための画面表示を行う。演出制御用ＣＰＵ１２０は、前記演出制御コマンドに基づいて、適宜の画面表示を行うようにしてもよい。
【０２９６】
復旧処理または初期化処理を終了して演出制御基板１２に演出制御コマンドを送信した後には、ＣＰＵ１０３は、乱数回路１０４を初期設定する乱数回路設定処理を実行する（ステップＳ１０）。そして、所定時間（例えば２ｍｓ）毎に定期的にタイマ割込がかかるように遊技制御用マイクロコンピュータ１００に内蔵されているＣＴＣのレジスタの設定を行い（ステップＳ１１）、割込みを許可する（ステップＳ１２）。その後、ループ処理に入る。以後、所定時間（例えば２ｍｓ）ごとにＣＴＣから割込み要求信号がＣＰＵ１０３へ送出され、ＣＰＵ１０３は定期的にタイマ割込み処理を実行することができる。
【０２９７】
こうした遊技制御メイン処理を実行したＣＰＵ１０３は、ＣＴＣからの割込み要求信号を受信して割込み要求を受け付けると、図４４のフローチャートに示す遊技制御用タイマ割込み処理を実行する。図４４に示す遊技制御用タイマ割込み処理を開始すると、ＣＰＵ１０３は、まず、所定のスイッチ処理を実行することにより、スイッチ回路１１０を介してゲートスイッチ２１、第１始動口スイッチ２２Ａ、第２始動口スイッチ２２Ｂ、カウントスイッチ２３といった各種スイッチからの検出信号の受信の有無を判定する（ステップＳ２１）。続いて、所定のメイン側エラー処理を実行することにより、パチンコ遊技機１の異常診断を行い、その診断結果に応じて必要ならば警告を発生可能とする（ステップＳ２２）。この後、所定の情報出力処理を実行することにより、例えばパチンコ遊技機１の外部に設置されたホール管理用コンピュータに供給される大当り情報（大当りの発生回数等を示す情報）、始動情報（始動入賞の回数等を示す情報）、確率変動情報（確変状態となった回数等を示す情報）などのデータを出力する（ステップＳ２３）。
【０２９８】
情報出力処理に続いて、主基板１１の側で用いられる遊技用乱数の少なくとも一部をソフトウェアにより更新するための遊技用乱数更新処理を実行する（ステップＳ２４）。この後、ＣＰＵ１０３は、特別図柄プロセス処理を実行する（ステップＳ２５）。ＣＰＵ１０３がタイマ割込み毎に特別図柄プロセス処理を実行することにより、特図ゲームの実行及び保留の管理や、大当り遊技状態や小当り遊技状態の制御、遊技状態の制御などが実現される（詳しくは後述）。
【０２９９】
特別図柄プロセス処理に続いて、普通図柄プロセス処理が実行される（ステップＳ２６）。ＣＰＵ１０３がタイマ割込み毎に普通図柄プロセス処理を実行することにより、ゲートスイッチ２１からの検出信号に基づく（通過ゲート４１に遊技球が通過したことに基づく）普図ゲームの実行及び保留の管理や、「普図当り」に基づく可変入賞球装置６Ｂの開放制御などを可能にする。普図ゲームの実行は、普通図柄表示器２０を駆動することにより行われる。
【０３００】
普通図柄プロセス処理を実行した後、遊技制御用タイマ割込み処理の一部として、電断が発生したときの処理、賞球を払い出すための処理等などが行われてもよい。その後、ＣＰＵ１０３は、コマンド制御処理を実行する（ステップＳ２７）。ＣＰＵ１０３は、上記各処理にて演出制御コマンドを送信設定することがある。ステップＳ２７のコマンド制御処理では、送信設定された演出制御コマンドを演出制御基板１２などのサブ側の制御基板に対して伝送させる処理が行われる。コマンド制御処理を実行した後には、割込みを許可してから、遊技制御用タイマ割込み処理を終了する。
【０３０１】
図４５は、特別図柄プロセス処理として、図４４に示すステップＳ２５にて実行される処理の一例を示すフローチャートである。この特別図柄プロセス処理において、ＣＰＵ１０３は、まず、始動入賞判定処理を実行する（ステップＳ１０１）。
【０３０２】
始動入賞判定処理では、始動入賞の発生を検出し、ＲＡＭ１０２の所定領域に保留情報を格納し保留記憶数を更新する処理が実行される。始動入賞が発生すると、表示結果（大当り種別を含む）や変動パターンを決定するための乱数値が抽出され、保留情報として記憶される。また、抽出した乱数値に基づいて、表示結果や変動パターンを先読み判定する処理が実行されてもよい。保留情報や保留記憶数を記憶した後には、演出制御基板１２に始動入賞の発生、保留記憶数、先読み判定等の判定結果を指定するための演出制御コマンドを送信するための送信設定が行われる。こうして送信設定された始動入賞時の演出制御コマンドは、例えば特別図柄プロセス処理が終了した後、図４４に示すステップＳ２７のコマンド制御処理が実行されることなどにより、主基板１１から演出制御基板１２に対して伝送される。
【０３０３】
Ｓ１０１にて始動入賞判定処理を実行した後、ＣＰＵ１０３は、ＲＡＭ１０２に設けられた特図プロセスフラグの値に応じて、ステップＳ１１０〜Ｓ１２０の処理のいずれかを選択して実行する。尚、特別図柄プロセス処理の各処理（ステップＳ１１０〜Ｓ１２０）では、各処理に対応した演出制御コマンドを演出制御基板１２に送信するための送信設定が行われる。
【０３０４】
ステップＳ１１０の特別図柄通常処理は、特図プロセスフラグの値が“０”（初期値）のときに実行される。この特別図柄通常処理では、保留情報の有無などに基づいて、第１特図ゲーム又は第２特図ゲームを開始するか否かの判定が行われる。また、特別図柄通常処理では、表示結果決定用の乱数値に基づき、特別図柄や飾り図柄の表示結果を「大当り」または「小当り」とするか否かや「大当り」とする場合の大当り種別を、その表示結果が導出表示される以前に決定（事前決定）する。さらに、特別図柄通常処理では、決定された表示結果に対応して、特図ゲームにおいて停止表示させる確定特別図柄（大当り図柄や小当り図柄、ハズレ図柄のいずれか）が設定される。その後、特図プロセスフラグの値が“１”に更新され、特別図柄通常処理は終了する。尚、第２特図を用いた特図ゲームが第１特図を用いた特図ゲームよりも優先して実行されるようにしてもよい（特図２優先消化ともいう）。また、第１始動入賞口及び第２始動入賞口への遊技球の入賞順序を記憶し、入賞順に特図ゲームの開始条件を成立させるようにしてもよい（入賞順消化ともいう）。
【０３０５】
乱数値に基づき各種の決定を行う場合には、ＲＯＭ１０１に格納されている各種のテーブル（乱数値と比較される決定値が決定結果に割り当てられているテーブル）が参照される。主基板１１における他の決定、演出制御基板１２における各種の決定についても同じである。演出制御基板１２においては、各種のテーブルがＲＯＭ１２１に格納されている。
【０３０６】
ステップＳ１１１の変動パターン設定処理は、特図プロセスフラグの値が“１”のときに実行される。この変動パターン設定処理には、表示結果を「大当り」または「小当り」とするか否かの事前決定結果等に基づき、変動パターン決定用の乱数値を用いて変動パターンを複数種類のいずれかに決定する処理などが含まれている。変動パターン設定処理では、変動パターンを決定したときに、特図プロセスフラグの値が“２”に更新され、変動パターン設定処理は終了する。
【０３０７】
変動パターンは、特図ゲームの実行時間（特図変動時間）（飾り図柄の可変表示の実行時間でもある）や、飾り図柄の可変表示の態様（リーチの有無等）、飾り図柄の可変表示中の演出内容（リーチ演出の種類等）を指定するものであり、可変表示パターンとも呼ばれる。
【０３０８】
ステップＳ１１２の特別図柄変動処理は、特図プロセスフラグの値が“２”のときに実行される。この特別図柄変動処理には、第１特別図柄表示装置４Ａや第２特別図柄表示装置４Ｂにおいて特別図柄を変動させるための設定を行う処理や、その特別図柄が変動を開始してからの経過時間を計測する処理などが含まれている。また、計測された経過時間が変動パターンに対応する特図変動時間に達したか否かの判定も行われる。そして、特別図柄の変動を開始してからの経過時間が特図変動時間に達したときには、特図プロセスフラグの値が“３”に更新され、特別図柄変動処理は終了する。
【０３０９】
ステップＳ１１３の特別図柄停止処理は、特図プロセスフラグの値が“３”のときに実行される。この特別図柄停止処理には、第１特別図柄表示装置４Ａや第２特別図柄表示装置４Ｂにて特別図柄の変動を停止させ、特別図柄の表示結果となる確定特別図柄を停止表示（導出）させるための設定を行う処理が含まれている。そして、表示結果が「大当り」である場合には特図プロセスフラグの値が“４”に更新される。その一方で、大当りフラグがオフであり、表示結果が「小当り」である場合には、特図プロセスフラグの値が“８”に更新される。また、表示結果が「ハズレ」である場合には、特図プロセスフラグの値が“０”に更新される。表示結果が「小当り」又は「ハズレ」である場合、時短状態や確変状態に制御されているときであって、回数切りの終了成立する場合には、遊技状態も更新される。特図プロセスフラグの値が更新されると、特別図柄停止処理は終了する。
【０３１０】
ステップＳ１１４の大当り開放前処理は、特図プロセスフラグの値が“４”のときに実行される。この大当り開放前処理には、表示結果が「大当り」となったことなどに基づき、大当り遊技状態においてラウンドの実行を開始して大入賞口を開放状態とするための設定を行う処理などが含まれている。大入賞口を開放状態とするときには、大入賞口扉用のソレノイド８２に対してソレノイド駆動信号を供給する処理が実行される。このときには、例えば大当り種別がいずれであるかに対応して、大入賞口を開放状態とする開放上限期間や、ラウンドの上限実行回数を設定する。これらの設定が終了すると、特図プロセスフラグの値が“５”に更新され、大当り開放前処理は終了する。
【０３１１】
ステップＳ１１５の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻すときには、大入賞口扉用のソレノイド８２に対するソレノイド駆動信号の供給を停止させる処理などを実行した後、特図プロセスフラグの値が“６”に更新し、大当り開放中処理を終了する。
【０３１２】
ステップＳ１１６の大当り開放後処理は、特図プロセスフラグの値が“６”のときに実行される。この大当り開放後処理には、大入賞口を開放状態とするラウンドの実行回数が設定された上限実行回数に達したか否かを判定する処理や、上限実行回数に達した場合に大当り遊技状態を終了させるための設定を行う処理などが含まれている。そして、ラウンドの実行回数が上限実行回数に達していないときには、特図プロセスフラグの値が“５”に更新される一方、ラウンドの実行回数が上限実行回数に達したときには、特図プロセスフラグの値が“７”に更新される。特図プロセスフラグの値が更新されると、大当り解放後処理は終了する。
【０３１３】
ステップＳ１１７の大当り終了処理は、特図プロセスフラグの値が“７”のときに実行される。この大当り終了処理には、大当り遊技状態の終了を報知する演出動作としてのエンディング演出が実行される期間に対応した待ち時間が経過するまで待機する処理や、大当り遊技状態の終了に対応して確変制御や時短制御を開始するための各種の設定を行う処理などが含まれている。こうした設定が行われたときには、特図プロセスフラグの値が“０”に更新され、大当り終了処理は終了する。
【０３１４】
ステップＳ１１８の小当り開放前処理は、特図プロセスフラグの値が“８”のときに実行される。この小当り開放前処理には、表示結果が「小当り」となったことに基づき、小当り遊技状態において大入賞口を開放状態とするための設定を行う処理などが含まれている。このときには、特図プロセスフラグの値が“９”に更新され、小当り開放前処理は終了する。
【０３１５】
ステップＳ１１９の小当り開放中処理は、特図プロセスフラグの値が“９”のときに実行される。この小当り開放中処理には、大入賞口を開放状態としてからの経過時間を計測する処理や、その計測した経過時間などに基づいて、大入賞口を開放状態から閉鎖状態に戻すタイミングとなったか否かを判定する処理などが含まれている。大入賞口を閉鎖状態に戻して小当り遊技状態の終了タイミングとなったときには、特図プロセスフラグの値が“１０”に更新され、小当り開放中処理は終了する。
【０３１６】
ステップＳ１２０の小当り終了処理は、特図プロセスフラグの値が“１０”のときに実行される。この小当り終了処理には、小当り遊技状態の終了を報知する演出動作が実行される期間に対応した待ち時間が経過するまで待機する処理などが含まれている。ここで、小当り遊技状態が終了するときには、小当り遊技状態となる以前のパチンコ遊技機１における遊技状態を継続させる。小当り遊技状態の終了時における待ち時間が経過したときには、特図プロセスフラグの値が“０”に更新され、小当り終了処理は終了する。
【０３１７】
（小当り遊技状態における第２特別可変入賞球装置７Ｂの動作例）
次に、小当り遊技状態における第２特別可変入賞球装置７Ｂの状況について、図４６〜図５３に基づいて説明する。図４６は、（Ａ）〜（Ｅ）は小当り２，４，６，９の小当り遊技状態における１回目の開放状況を示す説明図である。図４７は、（Ａ）〜（Ｅ）は小当り２，４，６，９の小当り遊技状態における２回目の開放状況を示す説明図である。図４８は、（Ａ）〜（Ｄ）はハズレ球保持部に遊技球が保持される状況を示す例１、（Ｅ）〜（Ｈ）はハズレ球保持部に遊技球が保持される状況を示す例２を示す説明図である。図４９は、可動通路体が移動した後、第１貯留部の遊技球の貯留が解除される状況を示す説明図である。図５０は、（Ａ）〜（Ｄ）はＶ入賞の流れを示す説明図、（Ｅ）〜（Ｇ）はハズレの流れを示す説明図、（Ｈ）はハズレ球保持部に保持された遊技球が排出される状況を示す説明図である。図５１は、（Ａ）〜（Ｃ）はＶ入賞率を示す説明図である。図５２は、（Ａ）はハズレ球保持部に遊技球が保持されない場合、（Ｂ）はハズレ球保持部に遊技球が１個保持される場合、（Ｃ）はハズレ球保持部に遊技球が３個保持される場合、（Ｄ）はハズレ球保持部に遊技球が５個保持される場合のＶ入賞率を示す表図である。図５３は、（Ａ）は遊技球が排出口を通過する状態を示す回転体の平面図、（Ｂ）は（Ａ）のＨ−Ｈ断面図、（Ｃ）は遊技球が排出口から落下する状態を示す回転体の断面図、（Ｄ）は排出口で球噛みが発生した状態を示す回転体の平面図、（Ｅ）は（Ｄ）のＪ−Ｊ断面図、（Ｆ）は球噛み解消動作を実行している状態を示す回転体の断面図である。
【０３１８】
小当り遊技状態における第２特別可変入賞球装置７Ｂの動作態様は、小当り種別に応じて第２大入賞口７０２Ｂの開放パターン（開放回数や開放タイミング）が異なるだけで、他の各装置（例えば、第１貯留機構２０４や第２貯留機構２０５や回転体２０８など）の動作態様は小当りの開始から終了まで常に同様に動作するため、以下においては、小当り２，４，６，９における小当り遊技状態を一例として説明し、小当り１，３，５，７，８，１０における小当り遊技状態についての説明を省略する。
【０３１９】
尚、本実施の形態では、小当り種別に応じて第２大入賞口７０２Ｂの開放パターン（開放回数や開放タイミング）が異なるだけで、他の各装置（例えば、第１貯留機構２０４や第２貯留機構２０５や回転体２０８など）の動作態様は小当りの開始から終了まで常に同様に動作する形態を例示したが、本発明はこれに限定されるものではなく、小当り種別に応じて第１貯留機構２０４や第２貯留機構２０５や回転体２０８などの動作態様が異なるようにしてもよい。
【０３２０】
図４６及び図４７に示すように、ＣＰＵ１０３は、小当り種別が小当り２，４，６，９である場合、第２大入賞口扉７０２Ａを開放パターンＢに基づいて２回開放させる制御を開始する。詳しくは、図４６（Ａ）に示すように、小当り遊技状態を開始してから所定期間が経過したタイミングで、第２大入賞口７０２Ｂの１回目の開放制御を開始する。第２大入賞口７０２Ｂが閉鎖状態から開放状態に変化すると、遊技球が第２大入賞口７０２Ｂに入賞可能となる。
【０３２１】
小当り遊技が開始されたとき、第１貯留板２２２は貯留位置に位置し、可動通路体４００は通路体原点位置に位置している。回転体２０８は、小当り遊技が開始されたか否かにかかわらずパチンコ遊技機１の電源が投入された時点から常時所定速度で平面視時計回りに回転している。また、振分部材２４２は、小当り種別に関わりなく、小当り遊技状態が開始されてから常に所定の動作パターン（図５６〜図６０参照）に基づいて動作する。
【０３２２】
第２大入賞口７０２Ｂに進入した遊技球は、第１誘導経路２０１を流下し、第２カウントスイッチ２４Ａにより検出される。図４６（Ｂ）に示すように、第２大入賞口７０２Ｂに進入した１個目の遊技球Ｐ１は、第２誘導経路２０２Ａに誘導され、第１貯留板２２２により流下が規制されることで第１貯留部２２７に貯留される。また、第２大入賞口７０２Ｂが開放してから所定時間が経過したタイミングで振分部材２４２が第１回動状態から第２回動状態に変化する。
【０３２３】
次いで、図４６（Ｃ）に示すように、第２大入賞口７０２Ｂに進入した２個目の遊技球Ｐ２は、第１貯留部２２７に貯留された遊技球Ｐ１により第２誘導経路２０２Ａへの進入が阻害されることで、第３誘導経路２０３Ａへ誘導される。ここで、振分部材２４２は第２回動状態にあるため、第３誘導経路２０３Ａへ誘導された遊技球Ｐ２は、振分部材２４２の保持部２４２ａの先端部位に接触することにより保持部２４２ａへの進入が阻害されることで、第２貯留部２４７における保持部２４２ａの先端部位よりも上流側に１個のみ貯留される。また、図４６（Ｄ）に示すように、第２大入賞口７０２Ｂに進入した３個目の遊技球Ｐ３は、第２貯留部２４７における遊技球Ｐ２により排出口２１０ａから排出経路２１０へ誘導されて遊技機外へ排出される。
【０３２４】
次いで、図４６（Ｅ）に示すように、ＣＰＵ１０３は、１回目の開放後に振分部材２４２を第１回動状態に変化させた後、再度第２回動状態に変化させてから第１回動状態に復帰させる。これにより、第２貯留部２４７に貯留されていた１個の遊技球Ｐ２が流入口２０３Ｃに落下し、第３誘導経路２０３Ｂにより誘導されて回転体２０８に誘導される。
【０３２５】
次いで、図４７（Ａ）に示すように、１回目の開放が終了してから所定時間が経過したタイミングで、第２大入賞口７０２Ｂの２回目の開放制御を開始する。２回目の開放が開始されてから第２大入賞口７０２Ｂに進入した１個目の遊技球Ｐ１１は、第１貯留部２２７に貯留された遊技球Ｐ１により第２誘導経路２０２Ａへの進入が阻害されることで、第３誘導経路２０３Ａへ誘導される。ここで、図４７（Ｂ）に示すように、２回目の開放において、振分部材２４２は第１回動状態にあるため、第３誘導経路２０３Ａへ誘導された遊技球Ｐ１１は、振分部材２４２の保持部２４２ａに貯留される。また、図４７（Ｃ）に示すように、第２大入賞口７０２Ｂに進入した２個目の遊技球Ｐ１２は、第２貯留部２４７における遊技球Ｐ１１の上流側に貯留される。
【０３２６】
また、図４７（Ｄ）に示すように、第２大入賞口７０２Ｂに進入した３個目の遊技球Ｐ３は、第２貯留部２４７における遊技球Ｐ１２により排出口２１０ａから排出経路２１０へ誘導されて遊技機外へ排出される。
【０３２７】
次いで、図４７（Ｅ）に示すように、ＣＰＵ１０３は、２回目の開放後に振分部材２４２を第２回動状態に変化させることで、保持部２４２ａに貯留されていた１個の遊技球Ｐ１１が流入口２０３Ｃに落下し、第３誘導経路２０３Ｂにより誘導されて回転体２０８に誘導される。次いで、第１回動状態に回動することで、第２貯留部２４７に貯留されていた遊技球Ｐ１２が振分部材２４２の保持部２４２ａに流入し、再度第１回動状態に復帰させることにより、保持部２４２ａに流入した遊技球Ｐ１２が流入口２０３Ｃに落下し、第３誘導経路２０３Ｂにより誘導されて回転体２０８に誘導される。
【０３２８】
このように、小当り２，４，６，９では、１回目の開放で１個の遊技球Ｐ１（勝負球）が第１貯留部２２７に貯留されるとともに、１個の遊技球Ｐ２が回転体２０８に誘導され、２回目の開放で２個の遊技球Ｐ１１、Ｐ１２が回転体２０８に誘導される。つまり、１回目及び２回目の開放各々で２個の遊技球Ｐを第２大入賞口７０２Ｂに入賞させることができれば、合計３個の遊技球Ｐ２，１１，１２（サポート球）を回転体２０８に誘導可能である（図５７参照）。
【０３２９】
また、小当り１，３，５，８では、１回目の開放で１個の遊技球Ｐ１（勝負球）が第１貯留部２２７に貯留されるとともに、１個の遊技球Ｐ２が回転体２０８に誘導される。つまり、１回目の開放で２個の遊技球Ｐを第２大入賞口７０２Ｂに入賞させることができれば、合計１個の遊技球（サポート球）を回転体２０８に誘導可能である（図５６参照）。また、小当り７，１０では、１回目の開放で１個の遊技球Ｐ１（勝負球）が第１貯留部２２７に貯留されるとともに、１個の遊技球Ｐ２が回転体２０８に誘導され、２回目の開放で２個の遊技球（勝負球）が回転体２０８に誘導され、さらに３回目の開放で２個の遊技球（勝負球）が回転体２０８に誘導される。つまり、１〜３回目の開放各々で２個の遊技球Ｐを第２大入賞口７０２Ｂに入賞させることができれば、合計５個の遊技球（サポート球）を回転体２０８に誘導可能である（図５８参照）。
【０３３０】
次に、第３誘導経路２０３Ｂに誘導された遊技球Ｐ２，Ｐ１１，Ｐ１２がハズレ球保持部２７３Ａ〜２７３Ｅに保持される状況の一例を、図４８に基づいて説明する。
【０３３１】
例えば、例１では、図４８（Ａ）に示すように、１回目の開放で遊技球Ｐ２が第３誘導経路２０３Ｂにより回転体２０８まで誘導されたときに、第３誘導経路２０３Ｂに対応する位置に立壁部２７１が差し掛かっていれば、遊技球Ｐ２は第３誘導経路２０３Ｂに保持される。そして、例えば、図４８（Ｂ）に示すように、第３誘導経路２０３Ｂに対応する位置にハズレ球保持部２７３Ａが到達すると、第３誘導経路２０３Ｂに保持されていた遊技球Ｐ２が傾斜底面により流下してハズレ球保持部２７３Ａに保持される。
【０３３２】
次いで、図４８（Ｃ）に示すように、２回目の開放で遊技球Ｐ１１，Ｐ１２が第３誘導経路２０３Ｂにより回転体２０８まで誘導されたときに、第３誘導経路２０３Ｂに対応する位置に立壁部２７１が差し掛かっていれば、遊技球Ｐ１１，Ｐ１２は第３誘導経路２０３Ｂに保持される。そして、例えば、図４８（Ｄ）に示すように、第３誘導経路２０３Ｂに対応する位置にハズレ球保持部２７３Ｄが到達すると、第３誘導経路２０３Ｂに保持されていた遊技球Ｐ１１が傾斜底面により流下してハズレ球保持部２７３Ｄに保持され、次いで第３誘導経路２０３Ｂに保持されていた遊技球Ｐ１２が傾斜底面により流下してハズレ球保持部２７３Ｅに保持される。この場合、Ｖ入賞球保持部２７２の両側のハズレ球保持部２７３Ａ，２７３Ｄ，２７３Ｅに３個の遊技球Ｐ２，Ｐ１１，Ｐ１２が保持される。
【０３３３】
例２は、図４８（Ｅ）に示すように、１回目の開放で遊技球Ｐ２が第３誘導経路２０３Ｂにより回転体２０８まで誘導されたときに、第３誘導経路２０３Ｂに対応する位置に立壁部２７１が差し掛かっていれば、遊技球Ｐ２は第３誘導経路２０３Ｂに保持される。そして、例えば、図４８（Ｆ）に示すように、第３誘導経路２０３Ｂに対応する位置にハズレ球保持部２７３Ｄが到達すると、第３誘導経路２０３Ｂに保持されていた遊技球Ｐ２が傾斜底面により流下してハズレ球保持部２７３Ｄに保持される。
【０３３４】
次いで、図４８（Ｇ）に示すように、２回目の開放で遊技球Ｐ１１，Ｐ１２が第３誘導経路２０３Ｂにより回転体２０８まで誘導されたときに、第３誘導経路２０３Ｂに対応する位置に立壁部２７１が差し掛かっていれば、遊技球Ｐ１１，Ｐ１２は第３誘導経路２０３Ｂに保持される。そして、例えば、図４８（Ｄ）に示すように、第３誘導経路２０３Ｂに対応する位置にハズレ球保持部２７３Ａが到達すると、第３誘導経路２０３Ｂに保持されていた遊技球Ｐ１１が傾斜底面により流下してハズレ球保持部２７３Ａに保持される。また、時間をおいて第３誘導経路２０３Ｂに誘導された遊技球Ｐ１２が傾斜底面により流下してハズレ球保持部２７３Ｃに保持される。この場合、Ｖ入賞球保持部２７２の一方側のハズレ球保持部２７３Ａと、離れたハズレ球保持部２７３Ｃ，２７３Ｄとに３個の遊技球Ｐ２，Ｐ１１，Ｐ１２が保持される。
【０３３５】
このように、１回目の開放で遊技球Ｐ２が回転体２０８に到達してから２回目の開放で遊技球Ｐ１１が回転体２０８に到達するタイミングや、２回目の開放で遊技球Ｐ１１が回転体２０８に到達してから遊技球Ｐ１２が回転体２０８に到達するまでの期間（タイムラグ）は常にほぼ同じであるが、第３誘導経路２０３Ｂに対応する位置にハズレ球保持部２７３Ａ〜２７３Ｅのいずれが到達するかは不定であるので、図４６の例１，２に示したハズレ球保持部２７３Ａ〜２７３Ｅのうち常に同じハズレ球保持部に遊技球Ｐ２，Ｐ１１，Ｐ１２が保持されるとは限らない。
【０３３６】
次いで、図４９（Ａ）に示すように、ＣＰＵ１０３は、小当り遊技状態を開始してから所定時間が経過したタイミング（第２大入賞口７０２Ｂの開放制御が終了した後のタイミング）で、通路体用モータ９１により画像表示装置５の右側方の通路体原点位置に位置している可動通路体４００を通路体進出位置まで移動させる。これにより、第２誘導経路２０２Ａと第２誘導経路２０２Ｂとが連通して一の第２誘導経路２０２Ａ，２０２Ｂが形成されるとともに、可動通路体４００が通路体進出位置まで移動すると、装飾部材４０４Ｌ，４０４Ｒが非展開位置から展開位置に移動する。このように、第２誘導経路２０２Ｂが可動することで一の第２誘導経路が構成されるとともに、装飾部材４０４Ｌ，４０４Ｒが非展開位置から展開位置に移動して可動通路体４００の形態が変化することで、遊技者に意外性を与えることができる。また、尚、図４９（Ａ）においては、画像表示装置５に表示される画像等は省略している。
【０３３７】
そしてＣＰＵ１０３は、可動通路体４００を通路体進出位置まで移動させた後、第４ソレノイド８４により第１貯留板２２２を貯留位置から解除位置へ移動させる。これにより、第１貯留部２２７に貯留されていた１個の遊技球Ｐ１（勝負球）が第２誘導経路２０２Ａ，２０２Ｂを流下し、第２誘導経路２０２Ａ，２０２Ｂを流下した遊技球Ｐ１が回転体２０８の円盤部２７０の上面における回転軸９０Ａよりやや後方位置へ落下する。尚、遊技者は展開位置に移動した左右の装飾部材４０４Ｌ，４０４Ｒの間から第２誘導経路２０２Ｂを通過する遊技球を視認することができる。
【０３３８】
また、図４９（Ｂ）に示すように、回転体２０８の回転軸９０Ａは前側に向けて傾倒しているため、回転体２０８の円盤部２７０の上面における回転軸９０Ａよりやや後方位置へ落下した遊技球Ｐ１は、円盤部２７０の上面を前側に向けて流下する。ここで、遊技球Ｐ１が前側に向けて流下したタイミングにおいて、ハズレ球保持部２７３Ａ〜２７３Ｅに進入せずに立壁部２７１に到達した場合にあっても、円盤部２７０の上面から立壁部２７１上部における遊技球との接触位置までの突出長さＬ３０は、遊技球の半径Ｒよりも長寸とされているため、流下した勢いで遊技球Ｐ１が立壁部２７１を乗り越えて回転体２０８外へ落下してしまうことが防止されている。
【０３３９】
次に、回転体２０８の円盤部２７０の上面へ排出された遊技球Ｐ１がＶ入賞球保持部２７２またはハズレ球保持部２７３Ａ〜２７３Ｅに保持される状況の一例を、図５０に基づいて説明する。
【０３４０】
最初に、Ｖ入賞の流れについて説明すると、まず、図５０（Ａ）に示すように、円盤部２７０の上面における回転軸９０Ａより傾斜上位側に落下した遊技球Ｐ１は、傾斜下位側へ向けて流下する。そして、遊技球Ｐ１が円盤部２７０の周縁傾斜最下位部に到達したときに、例えば、図５０（Ｂ）に示すようにハズレ球保持部２７３Ｄが移動してきた場合、ハズレ球保持部２７３Ｄに遊技球Ｐ１１が保持されていることで、遊技球Ｐ１はハズレ球保持部２７３Ｄへの進入が遊技球Ｐ１１により阻害され、遊技球Ｐ１１の側方に誘導される。
【０３４１】
次いで、図５０（Ｃ）に示すように、遊技球Ｐ１１の側方に誘導された遊技球Ｐ１は、回転する立壁部２７１の内側面により円盤部２７０の周縁傾斜最下位部に滞留した後、次に傾斜最下位部に移動してきたハズレ球保持部２７３Ｅへの進入が遊技球Ｐ１２により阻害される。そして、Ｖ入賞球保持部２７２が周縁傾斜最下位部に到達したときに該Ｖ入賞球保持部２７２に進入する。このとき、遊技球Ｐ１は支持筒２６５の底壁部上に載置されることでＶ入賞球保持部２７２に保持される。そして、図５０（Ｄ）に示すように、Ｖ入賞球保持部２７２が回転してＶ入賞口２８３に対応する位置に到達すると、遊技球Ｐ１がＶ入賞口２８３に進入し、第３カウントスイッチ２４Ｂにより検出されることでＶ入賞が発生する。
【０３４２】
次に、ハズレの流れについて説明すると、まず、図５０（Ｅ）に示すように、円盤部２７０の上面における回転軸９０Ａより傾斜上位側に落下した遊技球Ｐ１は、傾斜下位側へ向けて流下する。そして、遊技球Ｐ１が円盤部２７０の周縁傾斜最下位部へ到達したときに、例えば、図５０（Ｆ）に示すように、遊技球Ｐ２，Ｐ１１，Ｐ１２が保持されていないハズレ球保持部２７３Ｂが移動してきた場合、遊技球Ｐ１はハズレ球保持部２７３Ｂへの進入が許容されて保持される。よって、図５０（Ｇ）に示すように、遊技球Ｐ１，Ｐ２，Ｐ１１，Ｐ１２は全てハズレ球保持部２７３Ａ，２７３Ｂ，２７３Ｄ，２７３Ｅに保持されたため、Ｖ入賞が発生することはない。
【０３４３】
尚、図５０（Ｈ）に示すように、ハズレ球保持部２７３Ａ，２７３Ｂ，２７３Ｄ，２７３Ｅに保持された遊技球Ｐ１，Ｐ２，Ｐ１１，Ｐ１２は、後述する排出待機期間において、開閉板２８９が駆動して排出口２８７が開放されることにより、ハズレ球誘導経路２８８へ誘導される。
【０３４４】
このように、円盤部２７０の上面に落下した遊技球Ｐ１が円盤部２７０の周縁傾斜最下位部へ到達したときに、ハズレ球保持部２７３Ａ〜２７３Ｅのいずれかが移動してきた場合、ハズレ球保持部２７３Ａ〜２７３Ｅに遊技球Ｐが保持されていなければ、ハズレ球保持部２７３Ａ〜２７３Ｅに遊技球Ｐ１が進入して保持され、最終的にはＶ入賞せずに排出される一方で、ハズレ球保持部２７３Ａ〜２７３Ｅに遊技球Ｐが保持されていれば、該遊技球Ｐにより進入が阻害される。また、立壁部２７１が移動してきた場合は、遊技球Ｐ１は該立壁部２７１により周縁傾斜最下位部に滞留する。
【０３４５】
すなわち、遊技球Ｐ１（勝負球）が周縁傾斜最下位部に滞留している状態でＶ入賞球保持部２７２が移動してきた場合、該Ｖ入賞球保持部２７２に保持されたまま移動してＶ入賞口２８３に進入することでＶ入賞が発生する。また、遊技球Ｐ１（勝負球）が周縁傾斜最下位部に滞留している状態でハズレ球保持部２７３Ａ〜２７３Ｅのいずれかが移動してきた場合、該ハズレ球保持部２７３Ａ〜２７３Ｅに遊技球Ｐが保持されていれば進入せずに滞留が継続され、保持されていなければ進入して保持されたまま排出口２８７まで移動され、Ｖ入賞せずに遊技機外へ排出される。
【０３４６】
このように、円盤部２７０の上面に落下した遊技球Ｐ１がＶ入賞球保持部２７２に保持されてＶ入賞が発生する確率（Ｖ入賞率）は、図５１（Ａ）（Ｂ）（Ｃ）に示すようになる。詳しくは、遊技球Ｐ１がＶ入賞球保持部２７２に進入可能となる期間は、Ｖ入賞球保持部２７２が周縁傾斜最下位部（通過点Ｓ）を通過する期間だけでなく、実際には、該Ｖ入賞球保持部２７２における回転方向側（ハズレ球保持部２７３Ｅ側）にある立壁部２７１を含む領域（図５１（Ａ）（Ｂ）（Ｃ）中における斜線領域）が通過点Ｓを通過する期間となる。
【０３４７】
例えば、図５１（Ａ）に示すように、ハズレ球保持部２７３Ａ〜２７３Ｅのいずれにも遊技球が保持されていない場合、Ｖ入賞率は約１６．７％となる。また、図５１（Ｂ）に示すように、Ｖ入賞球保持部２７２における回転方向側に隣接するハズレ球保持部２７３Ｅに１個の遊技球Ｐが保持されている場合、Ｖ入賞率は約３３．３％となる。また、図５１（Ｃ）に示すように、Ｖ入賞球保持部２７２における回転方向側の隣りのハズレ球保持部２７３Ｅと、さらに隣のハズレ球保持部２７３Ｄとに遊技球Ｐが各々保持されている場合、Ｖ入賞率は約５０％となる。
【０３４８】
このように、Ｖ入賞球保持部２７２における回転方向側のハズレ球保持部２７３Ｅ，２７３Ｄに連続して遊技球Ｐが保持されると、これらハズレ球保持部２７３Ａ〜２７３Ｅに保持された遊技球Ｐと複数の立壁部２７１とにより、遊技球Ｐ１を円盤部２７０に滞留させるための連続した立壁部が形成され、これにより斜線領域が通過点Ｓを通過する期間がより長くなるため、Ｖ入賞率も上昇する。図５２（Ａ）に示す表図には、ハズレ球保持部２７３Ｂ〜２７３Ｅに０個の遊技球が保持される組合せにおけるＶ入賞率が示され、図５２（Ｂ）に示す表図には、ハズレ球保持部２７３Ｂ〜２７３Ｅに１個の遊技球が保持される組合せにおけるＶ入賞率が示され、図５２（Ｃ）に示す表図には、ハズレ球保持部２７３Ｂ〜２７３Ｅに３個の遊技球が保持される組合せにおけるＶ入賞率が示され、図５２（Ｄ）に示す表図には、ハズレ球保持部２７３Ｂ〜２７３Ｅに５個の遊技球が保持される組合せにおけるＶ入賞率が示されている。
【０３４９】
図５２（Ａ）〜（Ｄ）の表図に示すように、遊技球ＰがＶ入賞球保持部２７２の回転方向と反対側のハズレ球保持部２７３Ａ，２７３Ｂに連続して保持された場合や、Ｖ入賞球保持部２７２の隣のハズレ球保持部２７３Ｅに遊技球Ｐが保持されない場合にあっては、遊技球Ｐ１がハズレ球保持部２７３Ａ〜２７３Ｅに保持された遊技球によりハズレ球保持部２７３Ｂ〜２７３Ｅへの進入が阻害されて滞留した後にＶ入賞球保持部２７２へ進入されることはないので、Ｖ入賞率は上昇しない。
【０３５０】
また、ハズレ球保持部２７３Ａ〜２７３Ｅのいずれかに１個の遊技球が保持される場合でも、ハズレ球保持部２７３Ｅに保持された場合のＶ入賞率は中間の約３３．３％になる一方、ハズレ球保持部２７３Ａ〜２７３Ｅのいずれか３つに３個の遊技球が保持される場合でも、組合せによってはＶ入賞率は最低の約１６．７％になる。また、ハズレ球保持部２７３Ａ〜２７３Ｅのうち隣り合うハズレ球保持部２７３Ａ〜２７３Ｅに２個の遊技球が連続して保持される場合でも、Ｖ入賞球保持部２７２からハズレ球保持部２７３Ｅを跨いで連続していたり、Ｖ入賞球保持部２７２の回転方向の反対側であるハズレ球保持部２７３Ａ，２７３Ｂに連続して保持されている場合は、Ｖ入賞率は最低の約１６．７％になる。
【０３５１】
つまり、第１貯留部２２７に貯留された遊技球Ｐ１（勝負球）の貯留が解除される前に、第２貯留部２４７に貯留された後に回転体２０８に誘導される遊技球Ｐ（サポート球）が多いほど、勝負球の進入が阻害されるハズレ球保持部２７３Ａ〜２７３Ｅの数が多くなり、Ｖ入賞率が高くなるため、最大で５個のサポート球を回転体２０８に誘導可能な小当り７，１０、最大で３個のサポート球を回転体２０８に誘導される小当り２，４，６，９、最大で１個のサポート球が回転体２０８に誘導される小当り１，３，５，８の順でＶ入賞により大当りになる確率（遊技者の有利度）が高いが、ハズレ球保持部２７３Ａ〜２７３Ｅのいずれにサポート球が保持されるかにより、サポート球の数が少ない場合でも、サポート球の数が多い場合よりもＶ入賞率が高まることがあるため、興趣が向上する。
【０３５２】
また、本実施の形態では、ハズレ球保持部２７３Ａ〜２７３Ｅに保持された遊技球Ｐは、回転体２０８の回転に伴って支持筒２６５の底壁の上面上を移動する（図１４（Ｂ）参照）。また、図５３（Ａ）に示すように、開閉板２８９により排出口２８７が閉鎖された状態で、ハズレ球保持部２７３Ａ〜２７３Ｅのいずれかに保持された遊技球Ｐが排出口２８７を通過する場合、開閉板２８９は排出口２８７を下面側から閉鎖するように配置されているため、排出口２８７を通過するときには、支持筒２６５の底壁の上面から一旦落下して開閉板２８９上を通過した後、支持筒２６５の底壁の上面に乗り上がることになる。
【０３５３】
ここで、図５３（Ｂ）に示すように、支持筒２６５の底壁における排出口２８７の前後側には、排出口２８７に向けて下方に傾斜する傾斜部２８７Ａ，２８７Ｂが形成されているため、排出口２８７と支持筒２６５の底壁の上面との段差を小さくしてスムーズに遊技球Ｐを移動させることができるようになっている。また、図５３（Ｃ）に示すように、開閉板２８９が排出口２８７を開放したときには、排出口２８７まで移動してきた遊技球Ｐを傾斜部２８７Ａにより落下方向にスムーズに移動させることができる。
【０３５４】
一方、図５３（Ｄ）（Ｅ）に示すように、開閉板２８９が排出口２８７を開放した状態で、ハズレ球保持部２７３Ａ〜２７３Ｅのいずれかに保持された遊技球Ｐが排出口２８７から落下する際に、遊技球Ｐが排出口２８７の開口周縁と立壁部２７１との間に挟まって、球噛みが発生することがある。
【０３５５】
よって、ＣＰＵ１０３は、後述するように小当り遊技状態が終了した後、開閉板２８９を開放位置まで移動して排出口２８７を開放し、ハズレ球保持部２７３Ａ〜２７３Ｅに保持された遊技球Ｐを排出口２８７から落下させる排出待機期間が終了した後、排出終了期間において、第６ソレノイド８６により開閉板２８９を開放位置から閉鎖位置に移動させる開閉動作を２回繰り返す球噛み解消動作制御を実行した後、開放位置に維持する。この球噛み解消動作制御を行うことにより、排出口２８７の開口周縁と立壁部２７１との間に挟まった遊技球Ｐに開閉板２８９が衝突し、この衝撃により遊技球Ｐが落下またはハズレ球保持部２７３Ａ〜２７３Ｅに戻されるため、球噛み状態を解消することができる。
【０３５６】
（第２誘導経路２０２Ａ，２０２Ｂ）
次に、第２誘導経路２０２Ａ，２０２Ｂについて、図５４及び図５５に基づいて説明する。図５４は、第２誘導経路と回転体の構造を示す概略説明図である。図５５は、（Ａ）は非球状の物体が第１貯留部に貯留されている状態、（Ｂ）は第１貯留部の貯留が解除されたが非球状の物体が流下しない状態、（Ｃ）は第１貯留部の貯留が解除されて非球状の物体が流下した状態を示す説明図である。
【０３５７】
図５４に示すように、第１貯留部２２７に貯留される遊技球Ｐ１（勝負球）は、第１貯留部２２７から右斜め下方に向けて延設される第２誘導経路２０２Ａと、通路体進出位置まで移動してきた可動通路体４００の上端から下端に向けて直線状に形成された第２誘導経路２０２Ｂと、により回転体２０８の円盤部２７０の上面まで誘導される。
【０３５８】
本実施の形態では、Ａ．小当り図柄が停止表示（図柄確定）されてから、第１貯留部２２７に貯留された遊技球Ｐ１の貯留状態を解除するまでの第１時間は一定とされ、また、Ｂ．第１貯留部２２７に貯留された遊技球Ｐ１の貯留状態を解除してから、遊技球Ｐ１が第２誘導経路２０２Ａ，２０２Ｂを流下して回転体２０８に到達するまでの第２時間はほぼ一定とされている。
【０３５９】
このように、上記Ａの第１時間と上記Ｂの第２時間は、小当り種別によらずほぼ一定に設計されているため、Ｃ．小当り図柄が停止表示されたタイミングにおいてＶ入賞球保持部２７２がどの位置に位置しているかによって、第１貯留部２２７に貯留されている遊技球Ｐ１（勝負球）が回転体２０８の周縁傾斜最下位部に到達したときに、Ｖ入賞球保持部２７２またはハズレ球保持部２７３Ａ〜２７３Ｅのいずれに進入可能となるかを予測することが可能である。
【０３６０】
よって、上記Ｂの第２時間を任意に調整してＶ入賞確率を上げることが可能であるが、遊技球Ｐ１の流下速度を高速にするのは困難であり、また、パチンコ遊技機１を叩くなどして遊技球Ｐ１の流下速度を調整しようとすると、パチンコ遊技機１に設けられた振動検知センサ（図示略）等が作動する。
【０３６１】
そこで、正規の遊技球Ｐ（適正遊技球ともいう）とは異なるとともに、第２誘導経路２０２Ａ，２０２Ｂを流下する流下速度が異なる複数種類の非球状の物体Ｘ（図５５参照）を用意し、小当り図柄が停止表示されたタイミングにおけるＶ入賞球保持部２７２の位置に応じてＶ入賞が可能な流下速度を予測し、該予測した流下速度に対応する種類の物体Ｘを打ち出し、第２大入賞口７０２Ｂに入賞させて第１貯留部２２７に貯留させることで、Ｖ入賞確率を不正に高めることが可能となってしまうという問題があった。
【０３６２】
本実施の形態では、第２大入賞口７０２Ｂに進入した遊技球ＰをＶ入賞口２８３に進入可能に誘導する第２誘導経路２０２Ａに、適正遊技球Ｐの移動を許容しつつ、非球状の物体Ｘの移動を阻害するための阻害部が設けられている。
【０３６３】
具体的には、図５５（Ａ）に示すように、第２誘導経路２０２Ａを形成する形成部材における第１貯留部２２７の第２底面２１２Ｂは、第２誘導経路２０２Ａの底面における第１貯留部２２７以外の領域を構成する第３底面２１２Ｃや第４底面２１２Ｄよりも下り傾斜角度が小さいことで（図７（Ａ）参照。θ２＜θ１、θ３、θ４）、非球状の物体Ｘの移動を阻害するための阻害部を構成している。
【０３６４】
例えば、小当り図柄が停止表示されたタイミングにおけるＶ入賞球保持部２７２の位置に応じて、第１貯留部２２７に貯留された遊技球Ｐ１の貯留状態を解除してから、遊技球Ｐ１が第２誘導経路２０２Ａ，２０２Ｂを流下して回転体２０８に到達するまでの第２時間が長くなるように調整するため、例えば、小当り遊技状態が開始されたときに、適正遊技球よりも流下速度が遅い物体Ｘを適正遊技球に替えて発射装置により発射し、第１貯留部２２７に貯留させる不正行為が行われた場合について簡単に説明する。
【０３６５】
尚、本実施の形態では、非球状の物体Ｘの一例として、２０面体を適用した形態を例示したが、本発明はこれに限定されるものではなく、非球状であれば２０面体以外の多面体が用いられることが考えられる。また、球状体の表面に薬剤を付着させることで流下速度を低速とすることも考えられる。適正速度よりも遅い低速とする薬剤としては、遊技球の回転による移動（転動）や滑りを阻害できるものであって、遊技球に容易に付着させることが可能なものであり、付着されていることが容易に認識されない透明性を有するもの、つまり、不適正球の通路との摩擦や結合力が、適正球の通路との摩擦や結合力（中）よりも大きくなる透明性を有する液状薬剤など、例えば、粘着性を有する粘着剤であるアクリル系やウレタン系の液状粘着剤等が使用されることが考えられる。
【０３６６】
図５５（Ｂ１）に示すように、適正遊技球に替えて打ち出された物体Ｘは、非球状であることで、適正遊技球よりも流下速度が遅い。また、第１貯留部２２７の第２底面２１２Ｂの下り傾斜角度は、第１貯留部２２７以外の第３底面２１２Ｃや第４底面２１２Ｄよりも小さい。よって、第１貯留部２２７の第２底面２１２Ｂ上にて貯留された物体Ｘは、第１貯留板２２２が貯留位置から解除位置へ移動して貯留状態が解除されても、第２底面２１２Ｂを流下せずに滞留する可能性が高いため、Ｖ入賞が可能なタイミングで物体Ｘが流下することを好適に抑制することができる。
【０３６７】
また、図５５（Ｂ２）に示すように、第１貯留板２２２が貯留位置から解除位置へ移動して貯留状態が解除されたときに物体Ｘが第２底面２１２Ｂを流下した場合、第２誘導経路２０２Ａを形成する形成部材の底面における第２底面２１２Ｂより下流側の領域には、他の第４底面２１２Ｄよりも下り傾斜角度が大きい第３底面２１２Ｃが形成されていることで、第３底面２１２Ｃを流下する際に流下速度が増大する。これにより、物体Ｘが第２誘導経路２０２Ａ，２０２Ｂを流下する時間を適正遊技球が第２誘導経路２０２Ａ，２０２Ｂを流下する時間に近づけることができるため、遊技球の通過速度の均一化を図ることにより、不正行為を抑制することができる。
【０３６８】
（小当り遊技状態の流れ）
次に、本実施の形態における小当り遊技状態の流れについて、図５６〜図６０に基づいて説明する。図５６は、小当り１，３，５，８が開始されてから第１貯留機構が解除されるまでの流れを示すタイミングチャートである。図５７は、小当り２，４，６，９が開始されてから第１貯留機構が解除されるまでの流れを示すタイミングチャートである。図５８は、小当り７，１０が開始されてから第１貯留機構が解除されるまでの流れを示すタイミングチャートである。図５９は、第１貯留機構が解除された後にＶ入賞が発生する流れを示すタイミングチャートである。図６０は、第１貯留機構が解除された後にＶ入賞が発生しない流れを示すタイミングチャートである。
【０３６９】
先ず、第１始動入賞または第２始動入賞に基づき、第１特図ゲームや第２特図ゲーム（特別図柄の可変表示）が開始されると、演出制御用ＣＰＵ１２０は、第１特図ゲームや第２特図ゲームと同期して、画像表示装置５の飾り図柄表示エリア５Ｌ，５Ｃ，５Ｒにて飾り図柄の可変表示を開始する。また、特図ゲームにおいて小当り図柄が停止表示した場合、飾り図柄を「小当り」を示す組合せで停止表示する。
【０３７０】
小当り図柄の組合せとしては、例えば、図６５（Ａ）に示すように、左右の飾り図柄表示エリア５Ｌ，５Ｒに同じ数字（例えば、「１」など）からなる図柄が停止表示されるとともに、中央の飾り図柄表示エリア５Ｃに小当りの場合にしか表示されない小当り図柄Ｍ（特殊図柄ともいう）が停止表示される組合せとされている。尚、小当り図柄の組合せは、例えば、飾り図柄表示エリア５Ｌ，５Ｃ，５Ｒのうち少なくとも１つのエリアに小当り専用の特殊図柄が停止表示される組合せでもよいし、数字からなる図柄の組合せでもよい。尚、数字からなる組合せの場合、揃い図柄の組合せでもよいし、各々異なる奇数または偶数の図柄の組合せでもよい。
【０３７１】
また、本実施の形態では、小当り図柄Ｍとして、背景色が異なる複数の小当り図柄Ｍを有する。演出制御用ＣＰＵ１２０は、飾り図柄の可変表示を開始するときにＣＰＵ１０３から送信される可変表示結果指定コマンドから特定される小当り種別に応じて、図６５（Ｂ）に示す小当り図柄種別判定用テーブルを用いて、背景色が「青」、「緑」、「赤」、「虹」の小当り図柄Ｍのうちいずれを表示するかを決定する。
【０３７２】
具体的には、小当り種別が小当り１，３，５，８の場合、背景色が「青」の小当り図柄Ｍを７０％の割合で決定し、背景色が「緑」の小当り図柄Ｍを３０％の割合で決定する。小当り種別が小当り２，４，６，９の場合、背景色が「青」の小当り図柄Ｍを４０％の割合で決定し、背景色が「緑」の小当り図柄Ｍを５０％の割合で決定し、背景色が「赤」の小当り図柄Ｍを１０％の割合で決定する。小当り種別が小当り７，１０の場合、背景色が「赤」の小当り図柄Ｍを２０％の割合で決定し、背景色が「虹」の小当り図柄Ｍを８０％の割合で決定する。
【０３７３】
回転体２０８に誘導可能なサポート球の最大数が多い小当り種別が決定された場合、背景色が「赤」や「虹」の小当り図柄Ｍが表示されやすく、回転体２０８に誘導可能なサポート球の最大数が少ない小当り種別が決定された場合、背景色が「青」や「緑」の小当り図柄Ｍが表示されやすい。つまり、背景色が「虹」、「赤」、「緑」、「青」の順でＶ入賞の期待度が高くなっている。よって、小当り遊技状態に制御される前に、停止表示された小当り図柄Ｍの背景色によって、サポート球の数が多い小当り種別が決定された可能性を示唆することができるので、遊技者の期待感を高めることができる。
【０３７４】
このように、演出制御用ＣＰＵ１２０は、特別図柄の可変表示の表示結果として小当り種別１〜１０のうちいずれに対応する小当り表示結果になるかに応じて、背景色が異なる小当り図柄Ｍを停止表示することで、遊技球ＰがＶ入賞口２８３に進入することを示唆するＶ入賞示唆演出示を実行可能であることで、小当り図柄Ｍの態様に遊技者が注目する点で、興趣を向上できる。
【０３７５】
尚、本実施の形態では、小当り図柄Ｍの背景色により決定された小当り種別を示唆可能とする形態を例示したが、本発明はこれに限定されるものではなく、小当り図柄Ｍに表示される文字や、文字の大きさ、図柄の大きさなど、背景色とは異なる図柄の態様によって決定された小当り種別を示唆可能としてもよい。
【０３７６】
次に、図５６〜図５８に基づいて、各種小当り１〜１０各々の小当り遊技状態の前半の流れ｛１／２｝を説明する。先ず、ＣＰＵ１０３は、特図ゲームにおいて小当り図柄が停止表示されて「小当り」になると、小当り遊技状態に制御する。小当り遊技状態の制御を開始すると、小当り種別が小当り１〜１０のいずれであっても、第５ソレノイド８５により、振分部材２４２を所定の動作パターンに基づいて動作させる制御を開始するとともに、小当り遊技状態の制御を開始したタイミングＴａ０から所定時間が経過したタイミングＴａ１、Ｔｂ１，Ｔｃ２で、第６ソレノイド８６により開閉板２８９を開放位置から閉鎖位置に移動して排出口２８７を閉鎖し、ハズレ球保持部２７３Ａ〜２７３Ｅにサポート球が保持可能な状態とする。
【０３７７】
図５６に示すように、小当り１，３，５，８の場合、ＣＰＵ１０３は、小当り遊技状態の制御を開始したタイミングＴａ０から第１開放待ち時間（例えば、約６０秒）が経過したタイミングＴａ３で、第３ソレノイド８３により第２大入賞口扉７０２Ａを駆動して、開放パターンＡに基づく１回目の開放制御を開始する。これにより第２大入賞口７０２Ｂに遊技球が入賞可能となる。一方、演出制御用ＣＰＵ１２０は、１回目の開放制御を開始する前のタイミングＴａ２において、第２大入賞口７０２Ｂに遊技球が入賞可能となることを報知するための画像Ｚ１（図６４（Ｂ）参照）を画像表示装置５に表示したり、スピーカ８Ｌ，８Ｒにより「上を狙え！」なる音声や効果音を出力したり、遊技効果ランプ９を点灯すること等により第２大入賞口入賞促進演出を開始する。
【０３７８】
１回目の開放制御を開始してから第２大入賞口７０２Ｂに１個目の遊技球Ｐが入賞すると、該遊技球Ｐは、第１誘導経路２０１を通過して第２カウントスイッチ２４Ａにより検出された後に第２誘導経路２０２Ａに誘導され、第１貯留板２２２により流下が規制されることで第１貯留部２２７に貯留される。次いで、第２大入賞口７０２Ｂに進入した２個目の遊技球Ｐは、第１貯留部２２７に貯留された１個目の遊技球Ｐにより第２誘導経路２０２Ａへの進入が阻害されることで第３誘導経路２０３Ａへ誘導され、第２貯留部２４７に到達する。このとき、振分部材２４２が第２回動状態に変化しているため、該遊技球Ｐ２は振分部材２４２の先端上流側の第２貯留部２４７に１個だけ貯留される。また、第２大入賞口７０２Ｂに進入した３個目以降の遊技球Ｐは、第２貯留部２４７まで誘導された後、排出口２１０ａから排出経路２１０に排出される。
【０３７９】
そして、１回目の開放制御が終了し、振分部材２４２が第２回動状態から第１回動状態に変化した後、再び第２回動状態に変化したタイミングＴａ４で、第２貯留部２４７に貯留されていた遊技球Ｐ（サポート球）が第３誘導経路２０３Ｂにより誘導されて回転体２０８に誘導され、ハズレ球保持部２７３Ａ〜２７３Ｅのいずれかに保持される。尚、演出制御用ＣＰＵ１２０は、第２貯留機構２０５の貯留状態を解除する際に、サポート球が回転体２０８に誘導されることを報知するための画像Ｚ２（図６４（Ｃ）参照）を画像表示装置５に表示したり、スピーカ８Ｌ，８Ｒにより「第２貯留球解除！」なる音声や効果音を出力したり、遊技効果ランプ９を点灯すること等により、サポート球が放出されたことを遊技者に報知する。
【０３８０】
このように、小当り１，３，５，８は、開放パターンＡに基づき第２大入賞口７０２Ｂの開放制御が１回行われることで、第１貯留部２２７に１個の勝負球が貯留され、回転体２０８のハズレ球保持部２７３Ａ〜２７３Ｅに最大で１個のサポート球を保持させることは可能であるが、ハズレ球保持部２７３Ａ〜２７３Ｅに２個以上のサポート球を保持させることは困難な小当りとされている。
【０３８１】
次に、図５７に示すように、小当り２，４，６，９の場合、ＣＰＵ１０３は、小当り遊技状態の制御を開始したタイミングＴｂ０から第２開放待ち時間（例えば、約５０秒）が経過したタイミングＴｂ３で、第３ソレノイド８３により第２大入賞口扉７０２Ａを駆動して、開放パターンＢに基づく１回目の開放制御を開始する。これにより第２大入賞口７０２Ｂに遊技球が入賞可能となる。
【０３８２】
１回目の開放制御を開始してから第２大入賞口７０２Ｂに１個目の遊技球Ｐが入賞すると、該遊技球Ｐは、第１誘導経路２０１を通過して第２カウントスイッチ２４Ａにより検出された後に第２誘導経路２０２Ａに誘導され、第１貯留板２２２により流下が規制されることで第１貯留部２２７に貯留される。次いで、第２大入賞口７０２Ｂに進入した２個目の遊技球Ｐは、第１貯留部２２７に貯留された１個目の遊技球Ｐにより第２誘導経路２０２Ａへの進入が阻害されることで第３誘導経路２０３Ａへ誘導され、第２貯留部２４７に到達する。このとき、振分部材２４２が第２回動状態に変化しているため、該遊技球Ｐは振分部材２４２の先端上流側の第２貯留部２４７に１個だけ貯留される。また、第２大入賞口７０２Ｂに進入した３個目以降の遊技球Ｐは、第２貯留部２４７まで誘導された後、排出口２１０ａから排出経路２１０に排出される。
【０３８３】
そして、１回目の開放制御が終了し、振分部材２４２が第２回動状態から第１回動状態に変化した後、再び第２回動状態に変化したタイミングＴｂ４で、第２貯留部２４７に貯留されていた遊技球Ｐ（サポート球）が第３誘導経路２０３Ｂにより誘導されて回転体２０８に誘導され、ハズレ球保持部２７３Ａ〜２７３Ｅのいずれかに１個目のサポート球が保持される。
【０３８４】
次いで、ＣＰＵ１０３は、１回目の開放制御が終了してから所定時間が経過したタイミングＴｂ５で２回目の開放制御を開始する。２回目の開放制御において第２大入賞口７０２Ｂに入賞した遊技球Ｐは全て、第１貯留部２２７に貯留された１個目の遊技球Ｐにより第２誘導経路２０２Ａへの進入が阻害されて第３誘導経路２０３Ａへ誘導され、第２貯留部２４７に到達する。２回目の開放制御では、振分部材２４２が第１回動状態に変化しているため、２個の遊技球Ｐが第２貯留部２４７に貯留され、３個目以降の遊技球Ｐは排出口２１０ａから排出経路２１０に排出される。
【０３８５】
尚、演出制御用ＣＰＵ１２０は、開放制御を開始する毎に、第２大入賞口７０２Ｂに遊技球が入賞可能となることを報知するための画像Ｚ１（図６４（Ｂ）参照）を画像表示装置５に表示したり、スピーカ８Ｌ，８Ｒにより「上を狙え！」なる音声や効果音を出力したり、遊技効果ランプ９を点灯すること等により第２大入賞口入賞促進演出を開始する。
【０３８６】
そして、２回目の開放制御が終了し、振分部材２４２が第１回動状態から第２回動状態に変化したタイミングＴｂ６で、第２貯留部２４７に貯留されていた１個目の遊技球Ｐ（サポート球）が第３誘導経路２０３Ｂにより誘導されて回転体２０８に誘導され、ハズレ球保持部２７３Ａ〜２７３Ｅのいずれかに２個目のサポート球が保持される。次いで、振分部材２４２が第２回動状態から第１回動状態に変化した後、再び第２回動状態に変化したタイミングＴｂ７で、第２貯留部２４７に貯留されていた２個目の遊技球Ｐ（サポート球）が第３誘導経路２０３Ｂにより誘導されて回転体２０８に誘導され、ハズレ球保持部２７３Ａ〜２７３Ｅのいずれかに３個目のサポート球が保持される。
【０３８７】
尚、演出制御用ＣＰＵ１２０は、第２貯留機構２０５の貯留状態を解除する毎に、サポート球が回転体２０８に誘導されることを報知するための画像Ｚ２（図６４（Ｃ）参照）を画像表示装置５に表示したり、スピーカ８Ｌ，８Ｒにより「第２貯留球解除！」なる音声や効果音を出力したり、遊技効果ランプ９を点灯すること等により、サポート球が放出されたことを遊技者に報知する。
【０３８８】
このように、小当り２，４，６，９においては、開放パターンＢに基づき第２大入賞口７０２Ｂの開放制御が２回行われることで、第１貯留部２２７に１個の勝負球が貯留され、回転体２０８のハズレ球保持部２７３Ａ〜２７３Ｅに最大で３個のサポート球を保持させることは可能であるが、ハズレ球保持部２７３Ａ〜２７３Ｅに４個以上のサポート球を保持させることは困難な小当りとされている。
【０３８９】
次に、図５８に示すように、小当り７，１０の場合、ＣＰＵ１０３は、小当り遊技状態の制御を開始したタイミングＴｃ０から第３開放待ち時間（例えば、約３５秒）が経過したタイミングＴｃ３で、第３ソレノイド８３により第２大入賞口扉７０２Ａを駆動して、開放パターンＣに基づく１回目の開放制御を開始する。これにより第２大入賞口７０２Ｂに遊技球が入賞可能となる。
【０３９０】
１回目の開放制御を開始してから第２大入賞口７０２Ｂに１個目の遊技球Ｐが入賞すると、該遊技球Ｐは、第１誘導経路２０１を通過して第２カウントスイッチ２４Ａにより検出された後に第２誘導経路２０２Ａに誘導され、第１貯留板２２２により流下が規制されることで第１貯留部２２７に貯留される。次いで、第２大入賞口７０２Ｂに進入した２個目の遊技球Ｐは、第１貯留部２２７に貯留された１個目の遊技球Ｐにより第２誘導経路２０２Ａへの進入が阻害されることで第３誘導経路２０３Ａへ誘導され、第２貯留部２４７に到達する。このとき、振分部材２４２が第２回動状態に変化しているため、該遊技球Ｐは振分部材２４２の先端上流側の第２貯留部２４７に１個だけ貯留される。また、第２大入賞口７０２Ｂに進入した３個目以降の遊技球Ｐは、第２貯留部２４７まで誘導された後、排出口２１０ａから排出経路２１０に排出される。
【０３９１】
そして、１回目の開放制御が終了し、振分部材２４２が第２回動状態から第１回動状態に変化した後、再び第２回動状態に変化したタイミングＴｃ４で、第２貯留部２４７に貯留されていた遊技球Ｐ（サポート球）が第３誘導経路２０３Ｂにより誘導されて回転体２０８に誘導され、ハズレ球保持部２７３Ａ〜２７３Ｅのいずれかに１個目のサポート球が保持される。
【０３９２】
次いで、ＣＰＵ１０３は、１回目の開放制御が終了してから所定時間が経過したタイミングＴｃ５で２回目の開放制御を開始する。２回目の開放制御において第２大入賞口７０２Ｂに入賞した遊技球Ｐは全て、第１貯留部２２７に貯留された１個目の遊技球Ｐにより第２誘導経路２０２Ａへの進入が阻害されて第３誘導経路２０３Ａへ誘導され、第２貯留部２４７に到達する。２回目の開放制御では、振分部材２４２が第１回動状態に変化しているため、２個の遊技球Ｐが第２貯留部２４７に貯留され、３個目以降の遊技球Ｐは排出口２１０ａから排出経路２１０に排出される。
【０３９３】
そして、２回目の開放制御が終了し、振分部材２４２が第１回動状態から第２回動状態に変化したタイミングＴｃ６で、第２貯留部２４７に貯留されていた１個目の遊技球Ｐ（サポート球）が第３誘導経路２０３Ｂにより誘導されて回転体２０８に誘導され、ハズレ球保持部２７３Ａ〜２７３Ｅのいずれかに２個目のサポート球が保持される。次いで、振分部材２４２が第２回動状態から第１回動状態に変化した後、再び第２回動状態に変化したタイミングＴｃ７で、第２貯留部２４７に貯留されていた２個目の遊技球Ｐ（サポート球）が第３誘導経路２０３Ｂにより誘導されて回転体２０８に誘導され、ハズレ球保持部２７３Ａ〜２７３Ｅのいずれかに３個目のサポート球が保持される。
【０３９４】
次いで、ＣＰＵ１０３は、２回目の開放制御が終了してから所定時間が経過したタイミングＴｃ８で３回目の開放制御を開始する。３回目の開放制御において第２大入賞口７０２Ｂに入賞した遊技球Ｐは全て、第１貯留部２２７に貯留された１個目の遊技球Ｐにより第２誘導経路２０２Ａへの進入が阻害されて第３誘導経路２０３Ａへ誘導され、第２貯留部２４７に到達する。３回目の開放制御では、振分部材２４２が第１回動状態に変化しているため、２個の遊技球Ｐが第２貯留部２４７に貯留され、３個目以降の遊技球Ｐは排出口２１０ａから排出経路２１０に排出される。
【０３９５】
尚、演出制御用ＣＰＵ１２０は、開放制御を開始する毎に、第２大入賞口７０２Ｂに遊技球が入賞可能となることを報知するための画像Ｚ１（図６４（Ｂ）参照）を画像表示装置５に表示したり、スピーカ８Ｌ，８Ｒにより「上を狙え！」なる音声や効果音を出力したり、遊技効果ランプ９を点灯すること等により第２大入賞口入賞促進演出を開始する。
【０３９６】
そして、３回目の開放制御が終了し、振分部材２４２が第１回動状態から第２回動状態に変化したタイミングＴｃ９で、第２貯留部２４７に貯留されていた１個目の遊技球Ｐ（サポート球）が第３誘導経路２０３Ｂにより誘導されて回転体２０８に誘導され、ハズレ球保持部２７３Ａ〜２７３Ｅのいずれかに４個目のサポート球が保持される。次いで、振分部材２４２が第２回動状態から第１回動状態に変化した後、再び第２回動状態に変化したタイミングＴｃ１０で、第２貯留部２４７に貯留されていた２個目の遊技球Ｐ（サポート球）が第３誘導経路２０３Ｂにより誘導されて回転体２０８に誘導され、ハズレ球保持部２７３Ａ〜２７３Ｅのいずれかに５個目のサポート球が保持される。
【０３９７】
尚、演出制御用ＣＰＵ１２０は、第２貯留機構２０５の貯留状態を解除する毎に、サポート球が回転体２０８に誘導されることを報知するための画像Ｚ２（図６４（Ｃ）参照）を画像表示装置５に表示したり、スピーカ８Ｌ，８Ｒにより「第２貯留球解除！」なる音声や効果音を出力したり、遊技効果ランプ９を点灯すること等により、サポート球が放出されたことを遊技者に報知する。
【０３９８】
このように、小当り７，１０においては、開放パターンＣに基づき第２大入賞口７０２Ｂの開放制御が３回行われることで、第１貯留部２２７に１個の勝負球が貯留され、回転体２０８の全てのハズレ球保持部２７３Ａ〜２７３Ｅに最大で５個のサポート球を保持させることが可能な小当り、つまり、Ｖ入賞率１００％とすることが可能な小当りとされている。
【０３９９】
上記したように、小当り遊技状態の制御を開始すると、小当り種別が小当り１〜１０のいずれであっても、振分部材２４２は常に所定の動作パターンに基づいて動作する一方で、小当り種別によって第２大入賞口７０２Ｂの開放パターンＡ〜Ｃが異なることで、振分部材２４２の動作パターンに対する開放タイミングや開放回数が変わるため、小当り種別によって、遊技球Ｐが第２貯留機構２０５に到達したときの振分部材２４２の動作態様（第１回動状態と第２回動状態のいずれであるか）が異なる。このようにすることで、小当りとなった場合に、第２大入賞口７０２Ｂに進入した遊技球Ｐが第２貯留機構２０５により何個貯留されるか、つまり、サポート球が何個回転体２０８に誘導されるかが分かりにくくなるため、遊技の単調さを回避でき、興趣を向上できる。
【０４００】
すなわち、小当り種別に応じて第２大入賞口７０２Ｂの開放パターンＡ〜Ｃが異なることで、第２貯留機構２０５により貯留される遊技球Ｐの数が異なるとともに、第３誘導経路２０３Ａ，２０３Ｂへ誘導された後に第２貯留機構２０５により貯留された遊技球Ｐの数、つまり、ハズレ球保持部２７３Ａ〜２７３Ｅに保持されるサポート球数が異なり、これに応じてＶ入賞率（大当り確率）が変化するため、遊技の単調さを回避でき、興趣を向上できる。
【０４０１】
より詳しくは、本実施の形態のパチンコ遊技機１は、第２大入賞口７０２Ｂに進入して第２貯留機構２０５により貯留されるサポート球の数によって、第１貯留機構２０４に貯留される勝負球がＶ入賞口２８３を通過する割合が変化するだけでなく、小当り種別に応じて第２大入賞口７０２Ｂの開放パターンＡ〜Ｃが異なることで、第２貯留機構２０５により貯留されるサポート球の数が変化するため、単に第２貯留機構２０５により貯留されるサポート球の数によりＶ入賞率が変化するだけでなく、小当り種別や各小当り種別の当選確率等によってもＶ入賞率が変化することになるため、遊技の単調さを回避でき、興趣を向上できる。
【０４０２】
次いで、図５９及び図６０に基づいて、各種小当り１〜１０で共通な小当り遊技状態の後半の流れ｛２／２｝を説明する。
【０４０３】
図５９に示すように、ＣＰＵ１０３は、小当り遊技状態の制御を開始したタイミングＴａ０から所定時間（例えば、約８０秒）が経過したタイミングＴ２０で、通路体用モータ９１により、可動通路体４００を通路体原点位置から通路体進出位置へ移動させる。そして、可動通路体４００の通路体原点位置から通路体進出位置への移動が完了したタイミングＴ２１から所定時間が経過したタイミングＴ２２で、第４ソレノイド８４により第１貯留板２２２を貯留位置から解除位置へ移動させる。
【０４０４】
このとき、演出制御用ＣＰＵ１２０は、画像表示装置５において、第１貯留機構２０４の貯留状態が解除されたこと及び該解除によって第２誘導経路２０２Ａ，２０２Ｂから回転体２０８に向けて誘導された遊技球（勝負球）が、回転体２０８のハズレ球保持部２７３Ａ〜２７３ＥとＶ入賞球保持部２７２のいずれに進入するかに注目するよう遊技者に対して促す画像Ｚ３を表示したり、スピーカ８Ｌ，８Ｒにより「第１貯留球解除！」なる音声や効果音を出力したり、遊技効果ランプ９を点灯すること等により、勝負球が放出されたことを遊技者に報知する（図６４（Ｄ）参照）。
【０４０５】
そして、第１貯留部２２７に貯留されていた勝負球が回転体２０８に到達した後、Ｖ入賞球保持部２７２に進入して保持された場合、回転体２０８の回転によってＶ入賞球保持部２７２がＶ入賞口２８３の上方まで回転したときにＶ入賞口２８３に落下し、第３カウントスイッチ２４Ｂにて検出されると、ＣＰＵ１０３はＶ入賞大当りが発生したと判定する。
【０４０６】
また、演出制御用ＣＰＵ１２０は、Ｖ入賞大当りが発生したことに基づいて、Ｖ入賞大当りが発生したことを報知するための画像Ｚ４を画像表示装置５に表示したり、スピーカ８Ｌ，８Ｒにより「Ｖ大当り！」なる音声や効果音を出力したり、遊技効果ランプ９を点灯すること等により、Ｖ入賞が発生したことを遊技者に報知するＶ入賞発生報知演出を開始する（図６４（Ｅ）参照）。
【０４０７】
一方、図６０に示すように、ＣＰＵ１０３がタイミングＴ２２で第４ソレノイド８４により第１貯留板２２２を貯留位置から解除位置へ移動させることで、第１貯留部２２７に貯留されていた勝負球が回転体２０８に到達した後、ハズレ球保持部２７３Ａ〜２７３Ｅのいずれかに保持された場合は、Ｖ入賞大当りは発生しない。
【０４０８】
次いで、図５９及び図６０に示すように、ＣＰＵ１０３は、第１貯留部２２７の貯留を解除したタイミングＴ２２から所定時間（例えば、第１貯留部２２７の貯留が解除された勝負球が第２誘導経路２０２Ａ，２０２Ｂを流下し、Ｖ入賞口２８３へ進入して第３カウントスイッチ２４Ｂへ到達するのに要する時間）が経過したタイミングＴ２３で、通路体用モータ９１により、可動通路体４００を通路体進出位置から通路体原点位置へ退避させる。そして、可動通路体４００が通路体原点位置に到達したタイミングＴ２４から所定時間が経過したタイミングＴ２５で、振分部材２４２を第１回動状態から第２回動状態へ変化させる動作を３回繰り返すことで、何らかの不具合で第２貯留機構２０５に残存している遊技球Ｐを回転体２０８に誘導させることができる。
【０４０９】
また、第６ソレノイド８６により開閉板２８９を閉鎖位置から開放位置に移動して、排出口２８７を開放する。これにより、ハズレ球保持部２７３Ａ〜２７３Ｅに保持されていたサポート球が排出口２８７から排出される。
【０４１０】
また、ハズレ球誘導経路２８８へ誘導されたサポート球が第４カウントスイッチ２４Ｃにて検出されて排出されると、演出制御用ＣＰＵ１２０は、第１貯留部２２７の貯留を解除したタイミングＴ２２から排出口２８７を開放したタイミングＴ２５までの期間に第３カウントスイッチ２４Ｂからの検出信号の入力がなかったこと、つまり、Ｖ入賞が発生しなかったことに基づいて、Ｖ入賞が発生しなかったことを報知するための画像Ｚ５を画像表示装置５に表示したり、スピーカ８Ｌ，８Ｒにより「残念」なる音声や効果音を出力したり、遊技効果ランプ９を点灯すること等により、Ｖ入賞大当りが発生しなかったことを遊技者に報知するＶ入賞非発生報知演出を実行する（図６４（Ｆ）参照）。
【０４１１】
また、ＣＰＵ１０３は、小当り遊技状態の制御を開始してから、第２カウントスイッチ２４Ａにより遊技球が検出されるごとに進入球数カウンタ（図示略）のカウント値を加算更新する処理を実行するとともに、Ｖ入賞球を検出する第３カウントスイッチ２４Ｂ及びハズレ球を検出する第４カウントスイッチ２４Ｃが遊技球を検出する毎に、進入球数カウンタ（図示略）のカウント値を減算更新する処理を実行している。
【０４１２】
そして、排出口２８７を開放したタイミングＴ２５から排出球待機時間（例えば、４０秒）が経過するまでの間に、進入球数カウンタ（図示略）のカウント値が「０」になった、つまり、第２特別可変入賞球装置７Ｂに進入した球数と排出された球数（出入り球数）が一致したタイミングＴ２６で、第２大入賞口７０２Ｂに進入した全ての遊技球Ｐが排出されたと判定する。尚、排出球待機時間は不定であり、進入球数カウンタ（図示略）のカウント値が「０」になるか、進入球数カウンタ（図示略）のカウント値が「０」にならずに４０秒が経過した時点で終了する。
【０４１３】
次いで、進入球数カウンタ（図示略）のカウント値が「０」になったタイミングＴ２６から排出終了時間（例えば、約６秒）が経過するまでの間に、第６ソレノイド８６により開閉板２８９を開放位置から閉鎖位置に移動させる開閉動作を２回繰り返した後、開放位置に維持する球噛み解消動作制御を行った後、排出終了時間（例えば、約６秒）が経過したタイミングＴ２７で、小当り遊技状態の制御を終了し、大当り遊技状態（大当り開放前期間）の制御を開始する。尚、球噛み解消動作制御に加えて、回転体２０８を所定時間逆回転させる解除動作制御等を行うようにしてもよい。
【０４１４】
一方、ＣＰＵ１０３は、排出口２８７を開放したタイミングＴ２５から排出球待機時間（例えば、４０秒）が経過したタイミングＴ２８において、球噛み解消動作制御を行ったにもかかわらず、進入球数カウンタ（図示略）のカウント値が「０」にならなかった、つまり、第２特別可変入賞球装置７Ｂに進入した球数と排出された球数（出入り球数）が不一致であった場合、第２大入賞口７０２Ｂに進入した全ての遊技球Ｐが排出されていないエラーが発生したと判定する。
【０４１５】
ＣＰＵ１０３は、タイミングＴ２８において出入り数不一致のエラーが発生したと判定した場合、第１誘導経路２０１、第２誘導経路２０２Ａ，２０２Ｂ、第３誘導経路２０３Ａ，２０３Ｂ、回転体２０８、第１貯留機構２０４、第２貯留機構２０５のいずれかで球詰り（図５５にて説明したような非球状の物体を用いた不正行為が行われたことによる球詰りを含む）等の異常が発生した可能性があるとして、図４４に示すＳ２２のメイン側エラー処理にて、所定の異常処理（例えば、エラー種別の判定や、エラー指定コマンドの送信設定やセキュリティ信号の出力設定など）を実行するとともに、Ｓ２３の情報出力処理において、エラー（異常）に対応する態様にてセキュリティ信号をパチンコ遊技機１の外部に出力する処理を実行する。
【０４１６】
尚、セキュリティ信号は、比較的優先度が高く、遊技停止状態となるエラー（異常）については、電源がオフされるまで出力されるのに対し、比較的優先度の低いエラー（異常）については、エラー判定後の一定時間において出力されるか、或いは、出力されないようになっている。尚、本実施の形態の「出入り数不一致のエラー」については、電源がオフされるまでだけではなく、再電源投入後から一定時間（例えば、４分）に亘り、セキュリティ信号が出力されるように設定されている。
【０４１７】
また、演出制御用ＣＰＵ１２０は、エラー指定コマンドを受信したことに基づいて、エラーが発生したことを示すエラー報知用画像（図示略）を画像表示装置５に表示したり、エラー発生音等をスピーカ８Ｌ，８Ｒから出力するエラー報知処理を実行する。
【０４１８】
尚、ＣＰＵ１０３は、上記排出球待機時間が経過してから小当り遊技状態を終了することで、排出球待機時間が経過しないうちに他の特別図柄プロセス処理（Ｓ３０１〜Ｓ３０７）へ移行しないようになっているため、異常が発生したまま特別図柄の変動表示や大当り遊技が開始されることにより遊技者が不利益を被ることがないようにしている。
【０４１９】
（高ベース状態の流れ）
次に、大当り終了後の高ベース状態の流れについて、図６１〜図６３に基づいて説明する。図６１は、第２特図の１回目の小当りで高ベース状態が終了する場合を示すタイミングチャートである。図６２は、第１特図の１回目の小当りで高ベース状態が終了する場合を示すタイミングチャートである。図６３は、第２特図の３回目の小当りで高ベース状態が終了する場合を示すタイミングチャートである。
【０４２０】
まず、第２特図の１回目の小当りで高ベース状態が終了する場合の一例について、図６１に基づいて説明する。
【０４２１】
図６１に示すように、ＣＰＵ１０３は、低ベース状態での小当りを契機とした大当りＡ（初当り）が終了した場合、大当りＡが終了したタイミングＴｆ０で遊技状態を高ベース状態Ａに制御する。また、大当りＡの終了後、第１保留記憶数及び第２保留記憶数が「０」であり、第１特別図柄や第２特別図柄の可変表示を開始しない状態において、遊技者が遊技領域Ｙにおける画像表示装置５の左側の領域に向けて遊技球を発射する（左打ちを行う）と、遊技球は、第２大入賞口７０２Ｂ、通過ゲート４１、第２始動入賞口６１０及び第１大入賞口７０１Ｂの順に進入可能に第１流下経路を流下する。
【０４２２】
大当りＡの終了後は、第２大入賞口７０２Ｂ、第２始動入賞口６１０及び第１大入賞口７０１Ｂは進入困難状態であるため、遊技球が通過ゲート４１を通過してゲートスイッチ２１により検出されると、普通図柄の可変表示が開始される（タイミングＴｆ１）。タイミングＴｆ１では高ベース状態Ａであるため、変動パターンＰＣ１−２に基づく可変表示が実行され、表示結果は普図当りとなる。
【０４２３】
ＣＰＵ１０３は、当り普通図柄が停止表示されてから図柄確定時間（４ｍｓ）が経過したタイミングＴｆ２で、遊技状態は高ベース状態Ａであることから、ロング開放パターンに基づく第２始動入賞口６１０の開放制御を開始する。ここで、第２始動入賞口６１０の開放制御を開始した後、例えば、第２始動入賞口６１０に１個目の遊技球が入賞する前のタイミングＴｆ３で、第２始動入賞口よりも下流側にある第１始動入賞口に遊技球が入賞して第１始動入賞が発生した場合、第１特別図柄の可変表示結果を小当りにするか否かの判定を実行する。
【０４２４】
そして、ＣＰＵ１０３は、第１特図ゲームの可変表示の表示結果をハズレとする場合、ハズレ変動パターンＰＡ１−１に基づく変動時間（２００ｍｓ）にわたり第１特別図柄の可変表示を実行した後、ハズレ図柄を停止表示する。
【０４２５】
ここで、第１始動入賞が発生したタイミングＴｆ３の後に第２始動入賞口６１０に遊技球が入賞した場合、該第２始動入賞に基づく第２特別図柄の可変表示を保留記憶する。そして、２個の遊技球が第２始動入賞口６１０に入賞したタイミングＴｆ４で閉鎖条件が成立したとして第２始動入賞口６１０の開放制御を終了し、タイミングＴｆ４から開放後時間（４０４８ｍｓ）が経過するまでの間、第２始動入賞口６１０を閉鎖状態（進入困難状態）に維持する。
【０４２６】
一方、第１特別図柄の可変表示結果としてハズレ図柄を停止表示してから図柄確定時間（５００ｍｓ）が経過したタイミングＴｆ５では、第２保留記憶数が「２」であるため、ＣＰＵ１０３は、１の第２保留記憶に基づく第２特別図柄の可変表示結果を小当りにするか否かの判定を行って第２特図ゲームを開始する。本実施の形態では、第２特別図柄の可変表示では全て小当りとなるため、第２保留記憶数が「１」である場合に対応する変動パターンＰＡ２−３に基づく変動時間（３４００ｍｓ）にわたり第１特別図柄の可変表示を実行した後、小当り図柄を停止表示する（Ｔｆ７）。
【０４２７】
小当り図柄を停止表示するタイミングＴｆ７よりも前のタイミングＴｆ６において、第２始動入賞口６１０の開放後時間（４０４８ｍｓ）が経過するため、遊技球が通過ゲート４１を通過したことに基づき普通図柄の可変表示を開始する。尚、第２始動入賞口６１０の開放制御期間中及び開放後時間中においても遊技球が通過ゲート４１を通過することはあるが、普図ゲームの数である普図保留記憶数を記憶するための普図保留表示器はないことから、第２始動入賞口６１０の開放制御期間中及び開放後時間中において遊技球が通過ゲート４１を通過しても普図ゲームが実行されたり保留記憶されることはない。
【０４２８】
普通図柄の可変表示を開始したタイミングＴｆ６では、小当り図柄が停止表示されていないため高ベース状態Ａであるが、普通図柄の可変表示が終了する前に小当りの特別図柄が停止表示された場合、１回目の小当りが実行されて高ベース状態Ａの終了条件が成立する（小当り回数＝１回）ため、ＣＰＵ１０３は、小当り図柄が停止表示されたタイミングＴｆ７において、高ベース状態Ａを終了して低ベース状態に制御する。
【０４２９】
よって、タイミングＴｆ７の後のタイミングＴｆ８で当り普通図柄が停止表示された場合、低ベース状態であることから、ＣＰＵ１０３は、図柄確定時間（４ｍｓ）が経過したタイミングでショート開放パターンに基づく第２始動入賞口６１０の開放制御を開始する。つまり、これ以降は低ベース状態に制御されるため、１回目の小当り遊技状態中においてロング開放パターンに基づく第２始動入賞口６１０の開放制御が行われて第２保留記憶数が増加することはない。よって、高ベース状態Ａでは、普図の短時間変動や第２始動入賞口６１０のロング開放パターンに基づく開放制御、つまり、高ベース状態Ａにおいて第２特図ゲーム（時短制御）が２回以上実行されることはないので、２個の第２始動入賞（１個は保留記憶される）に基づく第２特図ゲームが２回実行されるものの、３回以上の第２特図ゲームが実行されることはない。
【０４３０】
より詳しくは、高ベース状態Ａにおいて、第２始動入賞口開放後時間（４０４８ｍｓ）は、第１特別図柄の可変表示時間（２００ｍｓ）と第２特別図柄の可変表示時間（３４００ｍｓ）との合算時間よりも長い（４０４８ｍｓ＞２００ｍｓ＋３４００ｍｓ＝３６００ｍｓ）。
【０４３１】
また、第１特別図柄の可変表示中に第２始動入賞が発生した場合において、第１特別図柄の可変表示を開始してから第２特別図柄の可変表示が終了するまでに要する最大時間（２００ｍｓ＋５００ｍｓ＋３４００ｍｓ＝４１００ｍｓ）よりも、第２始動入賞口６１０に遊技球が２個入賞する時間と第２始動入賞口開放後時間と普通図柄の可変表示時間との合算時間（２個入賞する時間＋４０４８ｍｓ＋４８ｍｓ）の方が長い。
【０４３２】
尚、本実施の形態では、発射装置は１分間に１００発の遊技球を発射可能であるため、遊技球の発射間隔は６００ｍｓとされている。よって、２個の遊技球Ｐが入賞するのに要する時間は平均して少なくとも６００ｍｓ以上となるが、障害釘等に接触しながら流下してくるため、２個の遊技球Ｐが数珠繋ぎ状態で入賞する場合は６００ｍｓ以下となることもある。
【０４３３】
このような関係となるように第２始動入賞口開放後時間（４０４８ｍｓ）を設定することで、第１特別図柄と第２特別図柄の可変表示が終了したタイミングＴｆ７、つまり、低ベース状態に制御されるタイミングＴｆ７よりも前の高ベース状態Ａにおいて、２回目の普通図柄の可変表示の普図当り図柄が停止表示することはないため、２回目の普図の短時間変動や第２始動入賞口６１０のロング開放パターンに基づく開放制御（時短制御）が２回以上実行されることを回避できる。よって、高ベース状態Ａが終了して低ベース状態に制御された後に第２保留記憶数が増加して、設計値以上の小当り遊技が実行されてしまうことを抑制できる。
【０４３４】
次に、小当りを契機とした大当りの終了後における高ベース状態Ａの流れの他の例について、図６２に基づいて説明する。
【０４３５】
図６１で説明した例では、第１始動入賞が発生したタイミングＴｆ３において、ＣＰＵ１０３が第１特図ゲームの可変表示の表示結果をハズレと判定した場合について説明したが、図６２においては、第１特図ゲームの可変表示の表示結果を小当りとする場合について説明する。
【０４３６】
第１始動入賞が発生したタイミングＴｆ３において、第１特図ゲームの可変表示の表示結果を小当りとする場合、ＣＰＵ１０３は、ハズレ変動パターンＰＡ２−１に基づく変動時間（４０００ｍｓ）にわたり第１特別図柄の可変表示を実行した後、小当り図柄を停止表示する（Ｔｆ５）。
【０４３７】
ここで、第１始動入賞が発生したタイミングＴｆ３の後に第２始動入賞口６１０に遊技球が入賞した場合、該第２始動入賞に基づく第２特別図柄の可変表示を保留記憶する。そして、２個の遊技球が第２始動入賞口６１０に入賞したタイミングＴｆ４で閉鎖条件が成立したとして第２始動入賞口６１０の開放制御を終了し、タイミングＴｆ４から開放後時間（４０４８ｍｓ）が経過するまでの間、第２始動入賞口６１０を閉鎖状態（進入困難状態）に維持する。
【０４３８】
小当り図柄を停止表示するタイミングＴｆ５よりも後のタイミングＴｆ６において、第２始動入賞口６１０の開放後時間（４０４８ｍｓ）が経過するため、遊技球が通過ゲート４１を通過したことに基づき普通図柄の可変表示を開始する。
【０４３９】
この場合、タイミングＴｆ５の後に普通図柄の可変表示が開始されるので（Ｔｆ６）、当り普通図柄が停止表示されたタイミングＴｆ７においては低ベース状態であることから、ＣＰＵ１０３は、図柄確定時間（４ｍｓ）が経過したタイミングでショート開放パターンに基づく第２始動入賞口６１０の開放制御を開始する。つまり、これ以降は低ベース状態に制御されるため、１回目の小当り遊技状態中においてロング開放パターンに基づく第２始動入賞口６１０の開放制御が行われて第２保留記憶数が増加することはない。よって、高ベース状態Ａでは、普図の短時間変動や第２始動入賞口６１０のロング開放パターンに基づく開放制御（時短制御）が２回以上実行されることはないので、２個の第２始動入賞（１個は保留記憶される）に基づく第２特図ゲームが２回実行されるものの、３回以上の第２特図ゲームが実行されることはない。
【０４４０】
より詳しくは、高ベース状態Ａにおいて、第２始動入賞口開放後時間（４０４８ｍｓ）は、第１特別図柄の可変表示時間（４０００ｍｓ）よりも長い（４０４８ｍｓ＞４０００ｍｓ）。
【０４４１】
また、第１特別図柄の可変表示が終了するまでに要する時間（４０００ｍｓ）よりも、第２始動入賞口６１０に遊技球が２個入賞する時間と第２始動入賞口開放後時間と普通図柄の可変表示時間との合算時間（２個入賞する時間＋４０４８ｍｓ＋３０００ｍｓ）の方が長い。
【０４４２】
このような関係となるように第２始動入賞口開放後時間（４０４８ｍｓ）を設定することで、第１特別図柄が終了したタイミングＴｆ５、つまり、低ベース状態に制御されるタイミングＴｆ５よりも前の高ベース状態Ａにおいて、２回目の普通図柄の可変表示の普図当り図柄が停止表示することはないため、２回目の普図の短時間変動や第２始動入賞口６１０のロング開放パターンに基づく開放制御、つまり、高ベース状態Ａにおいて第２特図ゲーム（時短制御）が２回以上実行されることを回避できる。すなわち、高ベース状態Ａが終了して低ベース状態に制御された後に第２保留記憶数が増加して、設計値以上の小当り遊技が実行されてしまうことを抑制できる。
【０４４３】
次に、小当りを契機とした大当りの終了後における高ベース状態Ｂの流れの一例について、図６３に基づいて説明する。
【０４４４】
高ベース状態Ｂは、３回目の小当りが実行されるまで継続する。図６３に示すように、１回目及び２回目の小当り遊技状態においてＶ入賞大当りが発生せず、３回目の小当りが発生した場合、ＣＰＵ１０３は、小当り図柄が停止表示されたタイミングＴｇ１で高ベース状態Ｂを終了して低ベース状態に制御する。
【０４４５】
よって、高ベース状態Ｂを終了して低ベース状態に制御するタイミングＴｇ１よりも前にロング開放パターンに基づく第２始動入賞口６１０の開放制御が実行されている場合でも、タイミングＴｇ１より後は低ベース状態に制御されるため、タイミングＴｇ１より後のタイミングＴｇ２において当り普通図柄が停止表示された場合や、第２保留記憶に基づく第２特別図柄の可変表示や小当り遊技が実行されている場合において、普図の短時間変動やロング開放パターンに基づく第２始動入賞口６１０の開放制御（時短制御）が実行されることはない。
【０４４６】
よって、高ベース状態Ａでは、普図の短時間変動や第２始動入賞口６１０のロング開放パターンに基づく開放制御、つまり、高ベース状態Ｂにおいて第２特図ゲーム（時短制御）が４回以上実行されることはないので、６個の第２始動入賞（３個は保留記憶される）に基づく第２特図ゲームが６回実行されるものの、７回以上の第２特図ゲームが実行されることはない。すなわち、高ベース状態Ｂが終了して低ベース状態に制御された後に第２保留記憶数が増加して、設計値以上の小当り遊技が実行されてしまうことを抑制できる。
【０４４７】
また、本実施の形態では、第２特別可変入賞球装置７Ｂは、第２大入賞口７０２Ｂに進入した遊技球がサポート球として誘導されている様子を遊技者が視認可能とされており、第２貯留機構２０５が回転体２０８に近いため、どの穴が埋まるかに遊技者がより一層注目することができるようになっている。
【０４４８】
以上説明したように、本実施の形態には、以下に示す第１発明が含まれている。つまり、従来、所定領域内に進入した遊技球が特定領域に進入したことに基づいて遊技者にとって有利な価値（例えば、大当り遊技状態）を付与可能な遊技機において、例えば、特開２０１８−４８０号公報等に記載されたもののように、所定領域内に進入した遊技球を特定領域と特定領域外へ振分ける所定部材を有し、該所定部材により遊技球を１個貯留可能なものや、特開２０１５−１７７８５８号公報等に記載されたもののように、所定領域内に進入した遊技球を貯留可能な所定部材を有し、該所定部材により遊技球を１個貯留した状態で後続球を特定領域外へ排出可能としたもの等があった。上記特許公報に記載の遊技機では、所定領域内に進入した遊技球の貯留状態に対する注目度合いを高めることができないという問題があった。
【０４４９】
そこで、遊技媒体の貯留状態に対する注目度合いを高めることができる遊技機を提供することを目的として、第１発明の手段１の遊技機は、
遊技媒体（例えば、遊技球Ｐ）が特定領域（例えば、Ｖ入賞口２８３）に進入したことに基づいて遊技者にとって有利な価値（例えば、大当り）を付与可能な遊技機（例えば、パチンコ遊技機１）であって、
遊技媒体を貯留可能な貯留手段（例えば、第２貯留機構２０５）により貯留された遊技媒体の数によって前記有利な価値が付与される割合が変化するものであり（例えば、小当り種別に応じて第２大入賞口７０２Ｂの開放パターンが異なることで、第２貯留機構２０５により貯留される遊技球Ｐの数が異なるとともに、第２貯留機構２０５により貯留された遊技球Ｐの数、つまり、ハズレ球保持部２７３Ａ〜２７３Ｅに保持されるサポート球数が異なり、これに応じてＶ入賞率（大当り確率）が変化する。）、
前記貯留手段は、複数の態様に変化可能な所定部材（例えば、振分部材２４２）を有し、該所定部材の態様によって貯留される遊技媒体の数が変化する（例えば、第２貯留機構２０５は、第１回動状態と第２回動状態とに変化可能な振分部材２４２を有し、該振分部材２４２が第１回動状態及び第２回動状態のいずれであるかによって貯留される遊技球Ｐの数が変化する。図９及び図１０参照）
ことを特徴としている。
この特徴によれば、所定部材の態様に注目させて、遊技媒体の貯留状態に対する注目度合いを高めることができる。
詳しくは、第２大入賞口７０２Ｂに進入した遊技球Ｐが第２貯留機構２０５に到達したときに、振分部材２４２が第１回動状態と第２回動状態のいずれであるかにより、遊技球Ｐの貯留数が変わるため、振分部材２４２の状態に注目させることができる。
【０４５０】
第１発明の手段２の遊技機は、手段１に記載の遊技機であって、
前記所定部材（例えば、振分部材２４２）が第１態様（例えば、第１回動状態）であるときに所定数の遊技媒体（例えば、２個の遊技球）を貯留可能であり、
前記所定部材が前記第１態様とは異なる第２態様であるときに前記所定数より少ない数の遊技媒体（例えば、１個の遊技球）を貯留可能であり、
前記所定部材が前記第２態様にて遊技媒体を貯留しているときに、後続の遊技媒体が排出領域（例えば、排出経路２１０）に誘導される（図９（Ｂ）参照）
ことを特徴としている。
この特徴によれば、簡素な構成により、遊技媒体の貯留数を変化させることができる。
詳しくは、振分部材２４２を第１回動状態と第２回動状態との間で回動させるだけで、遊技球Ｐの貯留数を変えることができるので、構造の複雑化を回避できる。
【０４５１】
第１発明の手段３の遊技機は、手段１または２に記載の遊技機であって、
前記所定部材（例えば、振分部材２４２）の態様が変化することにより、貯留している遊技媒体が所定経路に誘導される（例えば、振分部材２４２が第２回動状態に変化することにより、保持部２４２ａに保持された遊技球Ｐ２が流入口２０３Ｃ上に配置され該流入口２０３Ｃを介して第３誘導経路２０３Ｂに流下する。図９（Ｃ）参照）
ことを特徴としている。
この特徴によれば、簡素な構成により、貯留していた遊技媒体を放出できる。
詳しくは、振分部材２４２を第１回動状態や第２回動状態とは異なる第３回動状態等に変化させなくても、第１回動状態から第２回動状態へ回動させる動作を利用して遊技球Ｐを回転体２０８に誘導することができるので、構造の複雑化を回避できる。
【０４５２】
第１発明の手段４の遊技機は、手段１〜３のいずれかに記載の遊技機であって、
可変表示の表示結果として特定表示結果（例えば、小当り）が導出表示されたことに基づいて、所定領域（例えば、第２大入賞口７０２Ｂ）に遊技媒体（例えば、遊技球Ｐ）が進入可能となる進入可能状態に変化する可変部材（例えば、第２大入賞口扉７０２Ａ）を備え、
可変表示の表示結果として第１特定表示結果が導出表示されたときと該第１特定表示結果とは異なる第２特定表示結果が導出表示されたときとで、前記可変部材の動作態様が異なり（例えば、小当り１、３、５、８は、小当り遊技状態において第２大入賞口７０２Ｂが開放パターンＡに基づいて１回開放されることにより回転体２０８にサポート球を最多で１個供給可能となる。また、小当り２、４、６、９は、小当り遊技状態において第２大入賞口７０２Ｂが開放パターンＢに基づいて２回開放されることにより回転体２０８にサポート球を最多で３個供給可能となる。また、小当り７、１０は、小当り遊技状態において第２大入賞口７０２Ｂが開放パターンＣに基づいて３回開放されることにより回転体２０８にサポート球を最多で５個供給可能となる。）、
前記貯留手段は、前記所定領域に進入した遊技媒体を貯留可能であり、
前記第１特定表示結果が導出表示されたときと前記第２特定表示結果が導出表示されたときとで、前記所定部材の動作態様が異なる（例えば、小当り種別が小当り１〜１０のいずれであっても、振分部材２４２は常に所定の動作パターンに基づいて動作する一方で、小当り種別によって第２大入賞口７０２Ｂの開放パターンＡ〜Ｃが異なることで、振分部材２４２の動作パターンに対する開放タイミングや開放回数が変わるため、小当り種別によって、遊技球Ｐが第２貯留機構２０５に到達したときの振分部材２４２の動作態様（第１回動状態と第２回動状態のいずれであるか）が異なる。図５６〜図５８参照）
ことを特徴としている。
この特徴によれば、可変表示結果に応じて可変部材及び所定部材の各動作態様が異なるため、遊技の単調さを回避でき、興趣を向上できる。
詳しくは、小当り種別によって、遊技球Ｐが第２大入賞口７０２Ｂに進入するタイミングが変化し、これにより遊技球Ｐが第２貯留機構２０５に到達したときに振分部材２４２が第１回動状態と第２回動状態のいずれにあるかを予測し難くなるので、遊技の単調さを回避できるだけでなく、遊技球Ｐが貯留される状況に注目させることができる。
【０４５３】
第１発明の手段５の遊技機は、手段１〜４のいずれかに記載の遊技機であって、
可変表示の表示結果として特定表示結果（例えば、小当り）が導出表示されたことに基づいて、所定領域（例えば、第２大入賞口７０２Ｂ）に遊技媒体（例えば、遊技球Ｐ）が進入可能となる進入可能状態に変化する可変部材（例えば、第２大入賞口扉７０２Ａ）と、
遊技媒体が前記特定領域（例えば、Ｖ入賞口２８３）に進入することを示唆する示唆演出を実行可能な演出実行手段と、
を備え、
可変表示の表示結果として第１特定表示結果が導出表示されたときと該第１特定表示結果とは異なる第２特定表示結果が導出表示されたときとで、遊技媒体が前記特定領域に進入する割合が異なり（例えば、第２貯留部２４７に貯留された後に回転体２０８に誘導される遊技球Ｐ（サポート球）が多いほど、勝負球の進入が阻害されるハズレ球保持部２７３Ａ〜２７３Ｅの数が多くなり、Ｖ入賞率が高くなるため、最大で５個のサポート球を回転体２０８に誘導可能な小当り７，１０、最大で３個のサポート球を回転体２０８に誘導される小当り２，４，６，９、最大で１個のサポート球が回転体２０８に誘導される小当り１，３，５，８の順でＶ入賞により大当りになる確率（遊技者の有利度）が高い。図５２参照）、
前記演出実行手段は、可変表示の表示結果として前記第１特定表示結果と前記第２特定表示結果のうちいずれになるかに応じて、異なる態様の示唆演出を実行可能である（例えば、演出制御用ＣＰＵ１２０が、特別図柄の可変表示の表示結果として小当り種別１〜１０のうちいずれに対応する小当り表示結果になるかに応じて、背景色が異なる小当り図柄Ｍを停止表示することで、遊技球ＰがＶ入賞口２８３に進入することを示唆するＶ入賞示唆演出示を実行可能である部分など。）
ことを特徴としている。
この特徴によれば、示唆演出の態様に遊技者が注目する点で、興趣を向上できる。
詳しくは、第２大入賞口７０２Ｂに遊技球Ｐが進入する前に貯留球数が示唆されるため、多数のサポート球が回転体２０８に誘導されることに対する遊技者の期待感を高めることができる。
【０４５４】
また、本実施の形態には、以下に示す第２発明が含まれている。つまり、従来、所定領域内に進入した遊技球が特定領域に進入したことに基づいて遊技者にとって有利な価値（例えば、大当り遊技状態）を付与可能な遊技機において、例えば、特開２０１７−２１３２００号公報等に記載されたもののように、特定領域は一定速度で回転移動しており、所定領域内に進入した遊技球を貯留し、該遊技球が所定領域内に進入してから一定期間が経過したときに貯留を解除することで、遊技球が特定領域に進入可能に流下するもの等があった。上記特許公報に記載の遊技機では、特定領域の回転速度や貯留解除タイミングが一定であるため、特定領域に進入可能なタイミングを狙って遊技球を流下させるといった不正行為の対策が不十分であるという問題があった。
そこで、不正行為を抑制することができる遊技機を提供することを目的として、第２発明の手段１の遊技機は、
遊技媒体（例えば、遊技球Ｐ）が特定領域（例えば、Ｖ入賞口２８３）に進入したことに基づいて遊技者にとって有利な価値（例えば、大当り）を付与可能な遊技機（例えば、パチンコ遊技機１）であって、
所定領域（例えば、第２大入賞口７０２Ｂ）に進入した遊技媒体が特定経路（例えば、第２誘導経路２０２Ａ，２０２Ｂ）を通過して前記特定領域へ移動可能であり、
前記特定経路に設けられ、球状の遊技媒体（例えば、適正遊技球Ｐなど）の移動を許容しつつ非球状の物体（例えば、物体Ｘ）の移動を阻害するための阻害部（例えば、第２底面２１２Ｂ）を備える（図７（Ａ）、図５５参照）
ことを特徴としている。
この特徴によれば、不正行為を抑制することができる。
【０４５５】
第２発明の手段２の遊技機は、手段１に記載の遊技機であって、
前記特定経路（例えば、第２誘導経路２０２Ａ，２０２Ｂ）は、遊技媒体（例えば、遊技球Ｐ）を貯留可能な貯留部（例えば、第１貯留部２２７）を有し、
前記阻害部は、前記特定経路を形成する形成部材における前記貯留部の底面（例えば、第２底面２１２Ｂ）により構成され、
前記貯留部の底面は、前記形成部材の底面における該貯留部以外の領域よりも傾斜角度が小さい（例えば、第１貯留部２２７に対応する第２底面２１２Ｂの下り傾斜角度θ２は、第２誘導経路２０２Ａにおける他の底面（第１底面２１２Ａ、第３底面２１２Ｃ、第４底面２１２Ｄ）の下り傾斜角度θ１、θ３、θ４よりも小さい（θ２＜θ１、θ３、θ４）。）
ことを特徴としている。
この特徴によれば、簡素な構成により、不正行為を好適に抑制することができる。
詳しくは、第１貯留部２２７における第２誘導経路２０２Ａの第２底面２１２Ｂの流下角度を変えるだけで、物体Ｘの流下を阻害したり、あるいは、流下タイミングをずらすことができ、阻害するための部材や駆動源を設ける必要がないので、構造の複雑化を回避できる。
【０４５６】
第２発明の手段３の遊技機は、手段１に記載の遊技機であって、
前記特定経路（例えば、第２誘導経路２０２Ａ，２０２Ｂ）を形成する形成部材の底面における前記阻害部（例えば、第２底面２１２Ｂ）より前記特定領域側の領域には、他の領域よりも傾斜角度が大きい所定領域（例えば、第３底面２１２Ｃ）が形成されている（例えば、第２底面２１２Ｂの下流側に連設される第３底面２１２Ｃの下り傾斜角度θ３は、その下流側の第４底面２１２Ｄの下り傾斜角度θ４よりも大きい（θ３＞θ４）。）
ことを特徴としている。
この特徴によれば、遊技媒体の通過速度の均一化を図ることにより、不正行為を抑制することができる。
詳しくは、第３底面２１２Ｃにより、流下し難い物体Ｘを加速させることができ、これにより流下速度を低下させてＶ入賞を狙うことが困難となるため、不正行為を好適に抑制することができる。
【０４５７】
第２発明の手段４の遊技機は、手段１〜３のいずれかに記載の遊技機であって、
前記特定経路（例えば、第２誘導経路２０２Ａ，２０２Ｂ）は、遊技媒体（例えば、遊技球Ｐ）を貯留可能な貯留部（例えば、第１貯留部２２７）を有し、
前記貯留部に貯留された遊技媒体によって、前記所定領域に進入した後続の遊技媒体が特別経路（例えば、第３誘導経路２０３Ａ，２０３Ｂ）へ誘導され（図７（Ａ）参照）、
前記特別経路へ誘導された遊技媒体によって、前記貯留部に貯留された遊技媒体が前記特定領域に進入する割合が変化する（例えば、小当り種別に応じて第２大入賞口７０２Ｂの開放パターンが異なることで、第２貯留機構２０５により貯留される遊技球Ｐの数が異なるとともに、第３誘導経路２０３Ａ，２０３Ｂへ誘導された後に第２貯留機構２０５により貯留された遊技球Ｐの数、つまり、ハズレ球保持部２７３Ａ〜２７３Ｅに保持されるサポート球数が異なり、これに応じてＶ入賞率（大当り確率）が変化する。）
ことを特徴としている。
この特徴によれば、特別経路へ誘導された遊技媒体に注目させることができ、興趣を向上できる。
詳しくは、ハズレ球保持部２７３Ａ〜２７３Ｅに保持されるサポート球数によりＶ入賞率（大当り確率）が変化することで、第１貯留部２２７に貯留される勝負球だけでなく、サポート球の流下や貯留にも注目させることができるため、興趣を好適に向上させることができる。
【０４５８】
また、本実施の形態には、以下に示す第３発明が含まれている。つまり、従来、遊技媒体の移動方向に対して交差する方向に進退可能な可動部材を有し、該可動部材が遊技領域側に進出する進出状態となることにより遊技媒体が進入可能となり、可動部材が遊技盤側に退避する退避状態となることにより遊技媒体が進入不能または進入困難となる可変装置を備えた遊技機において、例えば、特開２０１５−７７２３５号公報等に記載されたもののように、可動部材が進出状態となることにより該可動部材の側方に配置された入賞口へ遊技媒体が進入可能となる可変装置を備えたもの等があった。上記特許公報に記載の遊技機では、遊技媒体の滞留による不具合の対策が不十分であるという問題があった。
そこで、遊技媒体の滞留による不具合の発生を抑制することができる遊技機を提供することを目的として、第３発明の手段１の遊技機は、
遊技が可能な遊技機（例えば、パチンコ遊技機１）であって、
遊技媒体（例えば、遊技球Ｐ）の移動方向に対して交差する方向（例えば、前後方向）に動作可能な可変部材（例えば、可変板６０２）を有し、該可変部材が動作することで遊技媒体が特定領域（例えば、第２始動入賞口６１０）に進入可能な進入可能状態となる可変手段（例えば、可変入賞球装置６Ｂ）と、
前記可変手段が前記進入可能状態であるときに前記可変部材へ向けて遊技媒体の移動を案内するための案内部（例えば、案内通路形成部６０４）と、
を備え、
前記案内部と前記進入可能状態における前記可変部材との間には、遊技媒体が通過可能な間隙が設けられている（例えば、可変板６０２が進出位置まで移動した進入可能状態において、可変板６０２と側壁６４１Ｒの下端との間に第１間隙６５１が設けられている。図２９、図３５参照）
ことを特徴としている。
この特徴によれば、遊技媒体の滞留による不具合の発生を抑制することができる。
詳しくは、可変板６０２に遊技球Ｐを誘導可能な案内通路形成部６０４を有する構成であるが故に滞留が発生しうる構成でも、遊技球Ｐを無理に第２始動入賞口６１０に誘導させずに逃がすことで、滞留の発生を好適に抑制できる。
【０４５９】
第３発明の手段２の遊技機は、手段１に記載の遊技機であって、
前記可変手段（例えば、可変入賞球装置６Ｂ）は、特別領域（例えば、通過ゲート４１）を遊技媒体（例えば、遊技球Ｐ）が通過したことに基づいて前記進入可能状態に変化可能であり（例えば、遊技球が通過ゲート４１を通過すると、普通図柄表示器２０による普図ゲームが開始され、普通図柄の変動表示結果が「普図当り」となったことに対応して、可変板６０２が進出位置へ移動して可変入賞球装置６Ｂが進入可能状態となる。）、
前記進入可能状態において、前記特別領域を通過した遊技媒体が前記可変部材へ向けて移動可能となる（例えば、案内通路形成部６０４は、ベース板６０１、前壁６０６及び左右の側壁６４１Ｌ，６４１Ｒを有し、遊技領域Ｙにおける可変入賞球装置６Ｂの上方から流下してくる遊技球Ｐの進入が可能となるように上向きに開口する進入口を形成する通過ゲート４１と、通過ゲート４１を通過した遊技球Ｐを１個ずつ第２始動入賞口６１０の右側方近傍位置に向けて下方に案内する案内経路Ｋ２と、を形成する。図２９参照）
ことを特徴としている。
この特徴によれば、特別領域を通過した遊技媒体を可変部材によって特定領域へ案内できる。
詳しくは、通過ゲート４１を遊技球Ｐが通過したことに基づいて普図当りが発生して第２始動入賞口６１０が進入可能状態に変化したときに、前記通過ゲート４１を通過した遊技球Ｐをそのまま第２始動入賞口６１０に入賞させることも可能となる。
【０４６０】
第３発明の手段３の遊技機は、手段１または２に記載の遊技機であって、
前記可変部材（例えば、可変板６０２）は、前記進入可能状態において遊技媒体を一方側（右側）から他方側（左側）へ向けて誘導可能に傾斜し、
前記可変部材の他方側に前記特定領域（例えば、第２始動入賞口６１０）が設けられ、一方側に前記間隙（例えば、第１間隙６５１）が設けられる（図２９参照）
ことを特徴としている。
この特徴によれば、傾斜を利用して遊技媒体を特定領域へ向けて円滑に誘導することができるとともに、可変部材の傾斜による遊技媒体の滞留の発生を抑制できる。
詳しくは、遊技球Ｐの釣り合いによる滞留が発生しそうな場合に、第２始動入賞口６１０と反対側に遊技球Ｐを無理なく逃がすことができるため、第２始動入賞口６１０に遊技球Ｐが一斉に集まって滞留しやすくなることを抑制できる。
【０４６１】
第３発明の手段４の遊技機は、手段１〜３のいずれかに記載の遊技機であって、
前記可変部材（例えば、可変板６０２）の上流側に遊技媒体（例えば、遊技球Ｐ１，Ｐ２）が滞留した状態において、後続の遊技媒体（例えば、遊技球Ｐ３）を前記間隙（例えば、第１間隙６５１）よりも上流側にて排出するための上流側間隙（例えば、第２間隙６５２）を備える（図２９、図３６参照）
ことを特徴としている。
この特徴によれば、可変部材の上流側の領域での遊技媒体の滞留の発生を抑制できる。
詳しくは、第１間隙６５１により滞留の発生を防ぎきれない場合や、他の理由で滞留が発生した場合でも、それ以上の滞留が発生することを回避できる。
【０４６２】
第３発明の手段５の遊技機は、手段１〜４のいずれかに記載の遊技機であって、
前記可変部材（例えば、可変板６０２）は、進入困難状態において遊技媒体の前記特定領域（例えば、第２始動入賞口６１０）への進入を規制するための進入規制部（例えば、突出部６２１）を有する（図２９、図３２参照）
ことを特徴としている。
この特徴によれば、進入困難状態において可変部材による遊技媒体の特定領域への進入を規制でき、意図しない状態での遊技媒体の進入を抑制できる。
【０４６３】
また、本実施の形態には、以下に示す第４発明が含まれている。つまり、従来、動作可能な可動体を備えた遊技機において、例えば、特開２０１７−１７０９８号公報等に記載されたもののように、第１駆動機構により第１位置から第２位置へ回動するとともに、第２位置においてラックとピニオンを含む複数のギヤ部材からなる第２駆動機構によりスライド移動する可動体を備えるもの等があった。上記特許公報に記載の遊技機では、第２駆動機構の構造が複雑であることで、部品点数が多くなるため製造コストが嵩むという問題があった。そこで、製造コストを抑制することができる遊技機を提供することを目的として、第４発明の手段１の遊技機は、
遊技が可能な遊技機（例えば、パチンコ遊技機１）であって、
動作可能な可動体（例えば、演出可動体５００）と、
前記可動体を動作させるための動作機構（例えば、動作機構５０１）と、
を備え、
前記可動体は、第１動作と該第１動作とは異なる第２動作が可能であり（例えば、演出可動体５００は、演出体用モータ５２０により回転体５２１の連結軸５３０が回転することで、演出体原点位置から演出体進出位置まで回動しながら下降する第１動作を行った後、さらに回転体５２１を回転させることで、連結軸５３０が第１リンク部材５２６の第１作用部５３７に作用して第１リンク部材５２６が回動し、これにより第２リンク部材５２７が第２アーム部５２３Ｂに対しスライド移動し、第２作用部５３９が装飾部５１２Ｒの連動軸５１７することで、装飾部５１２Ｌ，５１２Ｒの突出片が装飾部５１１Ｂから離れる方向に回動する第２動作を行うことが可能である。）、
前記動作機構は、
前記可動体を支持し態様が変化することにより該可動体が前記第１動作を行うための第１部材（例えば、第１アーム部材５２３）と、
前記第１部材に沿って変位可能であり、該第１部材に対し変位することにより前記可動体が前記第２動作を行うための第２部材（例えば、第２リンク部材５２７、スライド部５３８）と、
を有する（図２４〜図２７参照）
ことを特徴としている。
この特徴によれば、可動体の複数の動作を第２部材を用いた簡素な構成により実現でき、製造コストを抑制することができる。
詳しくは、第１動作を行うための第１アーム部材５２３を利用して、第２動作を行うための第２リンク部材５２７を変位可能に案内することができるため、動作機構の部品点数が増加して構造が複雑化することを抑制できる。
【０４６４】
第４発明の手段２の遊技機は、手段１に記載の遊技機であって、
前記第１部材（例えば、第１アーム部材５２３）は、前記第２部材（例えば、第２リンク部材５２７、スライド部５３８）の変位を案内するための案内部（例えば、案内壁５３５Ａ，５３５Ｂ、案内軸５３４Ａ，５３４Ｂ）を有し、
前記第２部材は、前記第１部材と同軸に配置されている（例えば、第２リンク部材５２７は、第２アーム部５２３Ｂと同軸方向に移動可能に配置されている。図２０参照）
ことを特徴としている。
この特徴によれば、動作機構の小型化を図ることができ、スペース効率を向上できる。
【０４６５】
第４発明の手段３の遊技機は、手段１または２に記載の遊技機であって、
前記動作機構（例えば、動作機構５０１）は、
駆動手段（例えば、演出体用モータ５２０）と、
前記駆動手段により回転する回転体（例えば、回転体５２１）と、
を有し、
前記可動体は、前記回転体の回転により前記第１動作と前記第２動作とが可能である（例えば、演出可動体５００は、演出体用モータ５２０により回転体５２１の連結軸５３０が回転することで、演出体原点位置から演出体進出位置まで回動しながら下降する第１動作を行った後、さらに回転体５２１を回転させることで、連結軸５３０が第１リンク部材５２６の第１作用部５３７に作用して第１リンク部材５２６が回動し、これにより第２リンク部材５２７が第２アーム部５２３Ｂに対しスライド移動し、第２作用部５３９が装飾部５１２Ｒの連動軸５１７することで、装飾部５１２Ｌ，５１２Ｒの突出片が装飾部５１１Ｂから離れる方向に回動する第２動作を行うことが可能である。図２４〜図２７参照）
ことを特徴としている。
この特徴によれば、共通の駆動手段によって可動体の第１動作と第２動作とを実現できる。
【０４６６】
第４発明の手段４の遊技機は、手段１〜３のいずれかに記載の遊技機であって、
前記第２部材（例えば、第２リンク部材５２７）には、突出部（例えば、第２作用部５３９）が設けられ、
前記突出部と前記可動体の一部（例えば、装飾部５１２Ｒの連動軸５１７）とが係合することにより前記第２部材が変位可能となる（例えば、第２リンク部材５２７が第１スライド位置から第２スライド位置まで移動することで、第２作用部５３９が装飾部５１２Ｒの連動軸５１７を押圧する。これにより、装飾部５１２Ｒが回動軸５１０を中心として正面視時計回りに回動するとともに、装飾部５１２Ｌが回動軸５１０を中心として正面視反時計回りに回動するため、装飾部５１２Ｌ，５１２Ｒの突出片が装飾部５１１Ｂから離れる第２装飾状態に変化する。図２５及び図２７参照）
ことを特徴としている。
この特徴によれば、簡素な構成により第２部材を変位させて、駆動力を可動体に伝達することができる。
【０４６７】
第４発明の手段５の遊技機は、手段４に記載の遊技機であって、
前記可動体（例えば、演出可動体５００）は、第１可動部（例えば、第１可動部５１１）及び該第１可動部に対し動作可能な第２可動部（例えば、第２可動部５１２、装飾部５１２Ｌ，５１２Ｒ）を有し、
前記第２可動部は、前記第２部材が変位することにより前記第１可動部に対し動作する（例えば、第２リンク部材５２７が第１スライド位置から第２スライド位置まで移動することで、第２作用部５３９が装飾部５１２Ｒの連動軸５１７を押圧する。これにより、装飾部５１２Ｒが回動軸５１０を中心として正面視時計回りに回動するとともに、装飾部５１２Ｌが回動軸５１０を中心として正面視反時計回りに回動するため、装飾部５１２Ｌ，５１２Ｒの突出片が装飾部５１１Ｂから離れる第２装飾状態に変化する。図２５及び図２７参照）
ことを特徴としている。
この特徴によれば、回転体の回転による駆動力を第２部材を介して第２可動部に伝達でき、簡素な構成により第２可動部を動作させることができる。
【０４６８】
また、本実施の形態には、以下に示す第５発明が含まれている。つまり、従来、識別情報の可変表示の表示結果として特定表示結果が導出表示されたことにより特定状態に制御され、該特定状態に制御されたことにより可変装置が遊技媒体の進入可能状態に変化可能に変化し、該可変装置に進入した遊技球が特定領域内に進入することにより、遊技者にとって有利な有利状態（例えば、大当り遊技状態）に制御可能な遊技機において、例えば、特開２０１７−２３５５８号公報等に記載されたもののように、大当り終了演出処理において、大当り遊技状態における終了演出を実行するときに、第２保留記憶の記憶情報があるときとないときとで、大当り遊技状態終了後の演出が変化するもの等があった。上記特許公報に記載の遊技機では、時短回数と可変装置の開放回数とが対応しておらず、時短終了の際に第２保留記憶が存在するか否かが異なる場合があり、第２保留記憶の有無で有利度に差が生じることがあるという問題があった。
【０４６９】
そこで、適切な制御を実現できる遊技機を提供することを目的として、第５発明の手段１の遊技機は、
可変表示を行い、遊技者にとって有利な有利状態（例えば、大当り遊技状態）に制御可能な遊技機（例えば、パチンコ遊技機１）であって、
特定領域（例えば、第１始動入賞口）に遊技媒体（例えば、遊技球Ｐ）が進入したことに基づいて可変表示を行い表示結果を導出表示する第１特別可変表示手段（例えば、ＣＰＯ１０３は、第１始動入賞に基づいて第１特別図柄の可変表示を行い、確定特別図柄を停止表示することが可能である。）と、
所定領域（例えば、通過ゲート４１）に遊技媒体が進入したことに基づいて可変表示を行い表示結果を導出表示する普通可変表示手段（例えば、ＣＰＯ１０３は、通過ゲート４１を通過した遊技球Ｐがゲートスイッチ２１にて検出されたことに基づいて普通図柄の可変表示を行い、確定普通図柄を停止表示することが可能である。）と、
遊技媒体の進入困難状態と進入可能状態とに変化可能な可変始動手段（例えば、可変入賞球装置６Ｂ）と、
前記普通可変表示手段の表示結果として所定表示結果（例えば、普図当り）が導出表示されたことに基づいて、前記可変始動手段を前記進入可能状態に制御する可変始動制御手段（例えば、ＣＰＵ１０３は、普通図柄の変動表示結果が「普図当り」となったことに基づいて、可変板６０２を進出位置へ移動して可変入賞球装置６Ｂを進入可能状態に変化させる。）と、
前記可変始動手段に遊技媒体が進入したことに基づいて可変表示を行い表示結果を導出表示する第２特別可変表示手段（例えば、ＣＰＯ１０３は、第２始動入賞に基づいて第２特別図柄の可変表示を行い、確定特別図柄を停止表示することが可能である。）と、
前記第２特別可変表示手段による可変表示に関する情報を保留記憶情報として記憶する第２保留記憶手段（例えば、ＣＰＵ１０３は、Ｓ１０１の始動入賞判定処理において、始動入賞の発生を検出し、ＲＡＭ１０２の所定領域に保留情報を格納し保留記憶数を更新する処理を実行する。）と、
前記有利状態の終了後において、前記第１特別可変表示手段及び前記第２特別可変表示手段の少なくともいずれか一方による所定回数の可変表示が実行されるまで、非特別状態（例えば、低ベース状態）に比べて前記可変始動手段に遊技媒体が進入しやすい特別状態（例えば、高ベース状態Ａ，Ｂ）に制御可能な特別状態制御手段（例えば、ＣＰＵ１０３は、大当り遊技状態の終了後は、時間短縮制御（時短制御）が行われる時短状態（高ベース状態Ａ，Ｂ）に制御する。時短状態は、所定回数（例えば、９９回）の特図ゲームが実行されたこと、所定回数（例えば、１回または３回）の小当りが実行されたこと、のうちいずれかの終了条件が先に成立するまで継続する。）と、
を備え、
前記第２特別可変表示手段による可変表示の方が前記第１特別可変表示手段による可変表示よりも有利度合いが高く（例えば、第２特別図柄表示装置４Ｂによる第２特図を用いた特図ゲームでは、第１特別図柄表示装置４Ａによる第１特図を用いた特図ゲームであるときに特図表示結果を「小当り」として小当り遊技状態に制御すると決定される確率（本実施の形態では１／７０）に比べて、特図表示結果を「小当り」として小当り遊技状態に制御すると決定される確率が高くなる（本実施の形態では１／１）。図４０（Ａ）参照）、
前記可変始動手段の制御期間として、前記進入可能状態の制御に対応する第１期間（例えば、第２始動入賞口開放時間（５５００ｍｓ、１６ｍｓなど））と、該進入可能状態に制御された後の期間であって前記進入困難状態の制御に対応する第２期間（例えば、開放後時間（４０４８ｍｓ））とを含み、
前記第２期間の長さは、前記特別状態における前記第１特別可変表示手段及び前記第２特別可変表示手段のいずれか一方の可変表示時間（例えば、第１特図の変動パターンＰＡ１−１に基づく変動表示時間２００ｍｓ）よりも長く、
前記可変始動手段が前記進入可能状態に制御されているときに遊技媒体の進入に関する所定条件が成立したことに基づいて、該可変始動手段が前記進入困難状態に制御される（例えば、ＣＰＵ１０３は、第２始動入賞口６１０の開放制御期間中に遊技球Ｐが２個入賞したときに、第２始動入賞口６１０の閉鎖条件が成立したとして可変入賞球装置６Ｂを進入困難状態に制御する。）
ことを特徴としている。
この特徴によれば、特別状態において可変始動手段が複数回進入可能状態に制御されないため、２回目の進入可能状態で第２保留記憶数の増加が抑制されることにより、適切な制御を実現できる。
詳しくは、第１特図ゲームや第２特図ゲームの可変表示時間と第２始動入賞口６１０の開放後期間との関係を設定するだけで、２回目の進入可能状態で第２保留記憶数の増加が抑制されることにより、適切な制御を実現できる。
【０４７０】
第５発明の手段２の遊技機は、手段１に記載の遊技機であって、
前記第１特別可変表示手段による可変表示に関する情報を保留記憶情報として記憶する第１保留記憶手段（例えば、ＣＰＵ１０３は、Ｓ１０１の始動入賞判定処理において、始動入賞の発生を検出し、ＲＡＭ１０２の所定領域に保留情報を格納し保留記憶数を更新する処理を実行する。）と、
前記第２保留記憶手段の保留記憶情報に基づく前記第２特別可変表示手段の可変表示を、前記第１保留記憶手段の保留記憶情報に基づく前記第１特別可変表示手段の可変表示よりも優先して実行する制御を行う優先制御手段（例えば、ＣＰＵ１０３は、第１保留記憶と第２保留記憶とがある場合、第２保留記憶に基づく第２特図の可変表示を、第１保留記憶に基づく第１特図の可変表示よりも優先して実行する）と、
を備える
ことを特徴としている。
この特徴によれば、第１特別可変表示手段による可変表示よりも有利な第２特別可変表示手段による可変表示を優先して実行することができる。
【０４７１】
第５発明の手段３の遊技機は、手段１または２に記載の遊技機であって、
前記第１特別可変表示手段または前記第２特別可変表示手段の可変表示の表示結果として特定表示結果（例えば、小当り表示結果）が導出表示されたことにより前記有利状態とは異なる特定状態（例えば、小当り遊技状態）に制御され、
前記特定状態に制御されたことに基づいて遊技媒体（例えば、遊技球Ｐ）の進入可能状態に変化可能な可変手段（例えば、第２特別可変入賞球装置７Ｂ）を備え、
前記特定状態において前記可変手段に進入した遊技媒体が特定領域（例えば、Ｖ入賞口２８３）を通過したことに基づいて前記有利状態（例えば、大当り遊技状態）に制御され、
前記第２特別可変表示手段の可変表示が実行される場合、前記第１特別可変表示手段の可変表示が実行される場合より高い割合で特定表示結果が導出表示される（例えば、第２特別図柄表示装置４Ｂによる第２特図を用いた特図ゲームでは、第１特別図柄表示装置４Ａによる第１特図を用いた特図ゲームであるときに特図表示結果を「小当り」として小当り遊技状態に制御すると決定される確率（本実施の形態では１／７０）に比べて、特図表示結果を「小当り」として小当り遊技状態に制御すると決定される確率が高くなる（本実施の形態では１／１）。図４０（Ａ）参照）
ことを特徴としている。
この特徴によれば、第２特別可変表示手段の可変表示により特定状態に制御されることに期待させることができ、興趣が向上する。
【０４７２】
第５発明の手段４の遊技機は、手段１〜３のいずれかに記載の遊技機であって、
前記可変始動手段（例えば、可変入賞球装置６Ｂ）は、前記第１期間（例えば、第２始動入賞口開放時間（５５００ｍｓ、１６ｍｓなど））において前記進入可能状態に制御されているときに、前記第２保留記憶手段に記憶可能な保留記憶情報の上限数（例えば、３個）よりも少ない特定数（例えば、２個）の遊技媒体の進入に基づいて進入困難状態に制御される（図６１参照）
ことを特徴としている。
この特徴によれば、特定数を越えた数の遊技媒体の進入を防止でき、適切な制御を実現できる。
【０４７３】
第５発明の手段５の遊技機は、手段１〜４のいずれかに記載の遊技機であって、
前記特別状態制御手段は、前記特別状態において、前記第１特別可変表示手段及び前記第２特別可変表示手段の少なくともいずれか一方による所定回数の可変表示、及び前記可変始動手段の特定回数の前記進入可能状態の制御のうちいずれかが先に実行されたことに基づいて、前記非特別状態に制御する（例えば、図４０（Ｃ）に示すように、大当りの終了後に実行される高ベース状態Ａの終了条件は、大当り終了後における第１特図を用いた特図ゲームと第２特図を用いた特図ゲームとの合算可変表示回数が９９回に達したこと、または、大当り終了後において小当り遊技状態が実行された回数が第１回数（例えば１回）に達したこと、のうちいずれかにより成立する。一方、大当りの終了後に実行される高ベース状態Ｂの終了条件は、大当り終了後における第１特図を用いた特図ゲームと第２特図を用いた特図ゲームとの合算可変表示回数が９９回に達したこと、または、大当り終了後において小当り遊技状態が実行された回数が第２回数（例えば３回）に達したこと、のうちいずれかにより成立する。）
ことを特徴としている。
この特徴によれば、特別状態に移行後の第１特別可変表示手段の可変表示が行われても、可変始動手段の進入可能状態の制御を一定回数行うことができる。
【０４７４】
第５発明の手段６の遊技機は、手段１〜５のいずれかに記載の遊技機であって、
前記第１特別可変表示手段及び前記第２特別可変表示手段の可変表示後の確定時間は、前記特別状態であるときと前記非特別状態であるときとで共通である（例えば、図３９（Ａ）〜（Ｄ）に示すように、変動パターンＰＢ１−１、ＰＢ２−１〜４については、図柄確定時間（特別図柄の最小停止表示時間）は、低ベース状態及び高ベース状態Ａ，Ｂで共通の５００ｍｓとされている。）
ことを特徴としている。
この特徴によれば、処理の共通化を図ることができる。
【０４７５】
第５発明の手段７の遊技機は、手段１〜６のいずれかに記載の遊技機であって、
前記第１特別可変表示手段による可変表示に関する情報を保留記憶情報として記憶する第１保留記憶手段（例えば、ＣＰＵ１０３は、Ｓ１０１の始動入賞判定処理において、始動入賞の発生を検出し、ＲＡＭ１０２の所定領域に保留情報を格納し保留記憶数を更新する処理を実行する。）を備え、
前記第１保留記憶手段は、保留記憶情報を第１上限数（例えば、４個）の範囲内で記憶可能であり、
前記第２保留記憶手段は、保留記憶情報を前記第１上限数よりも少ない第２上限数（例えば、３個）の範囲内で記憶可能である（図４０（Ｂ）参照）
ことを特徴としている。
この特徴によれば、特別状態における有利度を適切に設定でき、射倖性を抑えることができる。
【０４７６】
第５発明の手段８の遊技機は、手段１〜７のいずれかに記載の遊技機であって、
前記第２期間は、前記特別状態における前記第１特別可変表示手段による１回の可変表示期間と前記第２特別可変表示手段による１回の可変表示期間との合計期間よりも長い（例えば、図６１に示すように、高ベース状態Ａにおいて、第２始動入賞口開放後時間（４０４８ｍｓ）は、第１特別図柄の可変表示時間（２００ｍｓ）と第２特別図柄の可変表示時間（３４００ｍｓ）との合算時間よりも長い（４０４８ｍｓ＞２００ｍｓ＋３４００ｍｓ＝３６００ｍｓ）。）
ことを特徴としている。
この特徴によれば、特別状態において第１特別可変表示手段の可変表示が実行されても、可変始動手段が複数回進入可能状態に制御されることを抑制できる。
【０４７７】
以上、本発明の実施の形態を図面により説明してきたが、具体的な構成はこれら実施の形態に限られるものではなく、本発明の要旨を逸脱しない範囲における変更や追加があっても本発明に含まれる。
【０４７８】
例えば、前記実施の形態では、小当り遊技状態において第２特別可変入賞球装置７Ｂに進入した遊技球が特定領域（Ｖ入賞口２８３）に進入したことに基づいて大当り遊技状態に制御可能であって、第２特別可変入賞球装置７Ｂに進入して第２貯留機構２０５により貯留される遊技球の数によって遊技球が特定領域を通過する割合が変化する形態を例示したが、本発明はこれに限定されるものではなく、大当り遊技状態において可変手段に進入した遊技球が特定領域へ進入したことに基づいて、特別図柄の変動表示結果が「大当り」となる割合が通常状態よりも高くなる確変制御（確率変動制御）が実行される確変状態に制御可能な遊技機（いわゆるＶ確変仕様）において、可変手段に進入して貯留手段により貯留される遊技球の数によって遊技球が特定領域を通過する割合が変化するようにしてもよい。
【０４７９】
また、大当り遊技状態における一のラウンド遊技において可変手段に進入した遊技球が特定領域を通過することにより次のラウンド遊技を実行可能な遊技機（いわゆる２種遊技機）において、可変手段に進入して貯留手段により貯留される遊技球の数によって遊技球が特定領域を通過する割合が変化するようにしてもよい。
【０４８０】
また、前記実施の形態では、小当り遊技状態において第２特別可変入賞球装置７Ｂに進入して第２貯留機構２０５により貯留されるサポート球（Ｖ入賞口２８３を通過不可能な遊技球）の数によって、第１貯留機構２０４により貯留される勝負球が特定領域（Ｖ入賞口２８３）を通過する割合が変化する形態を例示したが、本発明はこれに限定されるものではなく、特定領域を通過可能な遊技球を貯留手段により貯留可能とし、該貯留手段により貯留される遊技球の数によって、該遊技球が特定領域を通過する割合が変化するようにしてもよい。
【０４８１】
また、前記実施の形態では、特別図柄の可変表示が保留記憶されている場合に、保留記憶された特別図柄の可変表示が開始される前に、該保留記憶に基づく特別図柄の可変表示の表示結果が小当りとなるか否か及び小当り種別を判定し、該判定結果に基づく先読み予告を実行しない形態を例示したが、本発明はこれに限定されるものではなく、演出制御用ＣＰＵ１２０が上記先読み予告を実行可能としてもよい。また、先読み予告を実行可能としたときに、小当り種別７，１０｛サポート球が５個貯留（Ｖ入賞確定）可能となる小当り｝の保留記憶がある場合、上記小当り種別７，１０以外の小当り種別の保留記憶についての先読み予告演出とは演出態様が異なる特別な先読み予告演出を実行可能としてもよい。さらに、大当り終了後に小当り種別７，１０｛サポート球が５個貯留（Ｖ入賞確定）可能となる小当り｝の保留記憶がある場合、特別な先読み予告演出として、保留内連荘することを報知するようにしてもよい。
【０４８２】
また、前記実施の形態では、第２誘導経路２０２Ａにおいて、球状の遊技球（例えば、適正遊技球Ｐなど）の移動を許容しつつ非球状の物体Ｘの移動を阻害するための阻害部として、他の底面よりも下り傾斜角度θ２が小さい第２底面２１２Ｂを適用した形態を例示したが、本発明はこれに限定されるものではなく、第２誘導経路２０２Ａにおいて物体Ｘの移動を阻害できるものであれば、例えば、物体Ｘが第２誘導経路２０２Ａ，２０２Ｂを通過するのに要する期間が長くなるようにするための遅延手段（例えば、第２誘導経路２０２Ａ，２０２Ｂの周壁に物体Ｘに接触可能に設けられ、接触により流下速度を低下させることが可能な接触部や、蛇行通路部など）を設けてもよい。さらに、第２誘導経路２０２Ａ，２０２Ｂの底面に凹凸部を形成したり、ゴム材等の高摩擦部材にて底面を構成することで流下速度が低下するようにしてもよい。
【０４８３】
また、前記実施の形態では、第２誘導経路２０２Ａにおいて、球状の遊技球（例えば、適正遊技球Ｐなど）の移動を許容しつつ非球状の物体Ｘの移動を阻害するための阻害部としての第２底面２１２Ｂを、第１貯留部２２７に設けた形態を例示したが、本発明はこれに限定されるものではなく、阻害部としての第２底面２１２Ｂは、第１貯留部２２７よりも下流側に設けてもよい。
【０４８４】
また、阻害部としての第２底面２１２Ｂの下り傾斜角度θ２や遊技球の流下方向の長さ寸法は、図７（Ａ）に図示した角度に限らず種々に変更可能である。また、第２底面２１２Ｂの下流側には、第４底面２１２Ｄの下り傾斜角度θ４よりも大きい下り傾斜角度θ３の第３底面２１２Ｃが設けられていたが、第２底面２１２Ｂの下流側の底面が第３底面２１２Ｃまたは第４底面２１２Ｄのみで構成されていてもよい。
【０４８５】
また、前記実施の形態では、上記第２発明の所定領域の一例として第２特別可変入賞球装置７Ｂを例示したが、本発明はこれに限定されるものではなく、第１特別可変入賞球装置７Ａや可変入賞球装置６Ｂといった他の可変手段を適用してもよい。詳しくは、上記第１発明の貯留手段（例えば、第２貯留機構２０５）や第２発明の阻害部は、第２特別可変入賞球装置７Ｂが備える形態を例示したが、本発明はこれに限定されるものではなく、第１特別可変入賞球装置７Ａや可変入賞球装置６Ｂといった他の可変手段が備えていてもよい。
【０４８６】
また、前記実施の形態では、遊技球の移動方向に対して交差する方向に動作可能な可変板６０２を有し、該可変板６０２が動作することで遊技球が特定領域（例えば、第２始動入賞口６１０）に進入可能な進入可能状態となる第３発明の可変手段の一例として、可変入賞球装置６Ｂを適用した形態を例示したが、本発明はこれに限定されるものではなく、第１特別可変入賞球装置７Ａや第２特別可変入賞球装置７Ｂ等を適用してもよい。
【０４８７】
また、前記実施の形態では、演出可動体５００は、演出体原点位置から演出体進出位置まで回動しながら下降する第１動作を行った後、装飾部５１２Ｌ，５１２Ｒの突出片が装飾部５１１Ｂから離れる方向に回動する第２動作を行う形態を例示したが、本発明はこれに限定されるものではなく、第１動作と第２動作とは、少なくとも一部の動作が同時に行われるようにしてもよい。
【０４８８】
また、前記実施の形態では、Ｖ入賞発生報知演出にて、演出可動体５００が第１動作と第２動作とを実行する形態を例示したが、本発明はこれに限定されるものではなく、Ｖ入賞発生報知演出など一の演出にて、第１動作と第２動作のうち一方の動作のみを行うようにしてもよい。
【０４８９】
また、前記実施の形態では、演出可動体５００における第１動作は、第１可動部５１１及び第２可動部５１２が回動しながら下降する動作であり、第２動作は第２可動部５１２が回動する動作である形態を例示したが、本発明はこれに限定されるものではなく、第１動作や第２動作の動作態様は、回動や下降に限定されるものではなく、伸縮、伸長、スライド移動などであってもよく、種々に変更可能である。
【０４９０】
また、第１動作や第２動作とは、互いに態様が異なる動作であってもよいし、態様が同じ（例えば、回動など）であっても動作方向（例えば、回動方向）、動作速度（例えば、回動速度）、動作位置等が異なっていればよい。
【０４９１】
また、前記実施の形態では、第１動作で第１可動部５１１及び第２可動部５１２が回動し、第２動作で第２可動部５１２のみが動作する形態を例示したが、本発明はこれに限定されるものではなく、第１動作と第２動作とで動作対象部が異なっていてもよいし、動作対象部が同じであってもよい。
【０４９２】
また、前記実施の形態では、演出可動体５００における第２部材としての第２リンク部材５２７は、第２アーム部５２３Ｂと同軸方向（第１部材の延設方向）にスライド移動可能に配置されている形態を例示したが、本発明はこれに限定されるものではなく、第２部材は、第１部材（第１アーム部材５２３）に沿って変位可能であれば必ずしも同軸方向に移動可能に配置されていなくてもよく、例えば、第２部材が第１部材に対し幅方向にスライド移動可能または回動可能に配置されていてもよい。
【０４９３】
また、第２リンク部材５２７は、帯板状の第２アーム部５２３Ｂの前面側に第２アーム部５２３Ｂと同軸に配置された形態を例示したが、本発明はこれに限定されるものではなく、第２アーム部５２３Ｂの背面側に第２アーム部５２３Ｂと同軸に配置されていてもよいし、あるいは、第２部材が筒状の第１部材の内部に同軸に配置されていてもよい。
【０４９４】
また、前記実施の形態では、第２特図ゲームは、第１特図ゲームよりも小当り確率が高いことで遊技者にとっての有利度が高い形態を例示したが、本発明はこれに限定されるものではなく、第２特図ゲームは、第１特図ゲームよりもラウンド遊技数が多い大当りの決定割合が高いことや、第１特図ゲームよりも大当り後に高ベース状態Ｂに制御される割合が高いことや、第１特図ゲームよりも小当り種別７，１０の決定割合が高いことなどによって遊技者にとっての有利度が高くなるようにしてもよい。
【０４９５】
また、前記実施の形態では、ＣＰＵ１０３は、第１保留記憶と第２保留記憶とがある場合、第２保留記憶に基づく第２特図の可変表示を、第１保留記憶に基づく第１特図の可変表示よりも優先して実行する形態を例示したが、本発明はこれに限定されるものではなく、第１保留記憶と第２保留記憶とがある場合、始動入賞順に保留記憶に基づく特図の可変表示を実行するようにしてもよいし、第２保留記憶に基づく第２特図の可変表示と第１保留記憶に基づく第１特図の可変表示とを同時に実行するようにしてもよい。
【０４９６】
また、前記実施の形態では、小当り種別として、最大で１個のサポート球が回転体２０８に誘導される小当り１，３，５，８、最大で３個のサポート球を回転体２０８に誘導される小当り２，４，６，９、最大で５個のサポート球を回転体２０８に誘導可能な小当り７，１０を有する形態を例示したが、本発明はこれに限定されるものではなく、上記１０種類以上の小当り種別を有してもよい。また、最大で０個、２個、４個または６個以上のサポート球が回転体２０８に誘導される小当り種別を決定可能にしてもよい。
【０４９７】
また、前記実施の形態では、遊技球がゲートスイッチ２１を通過したことに基づいて普図の可変表示開始条件が成立した場合、遊技状態が低ベース状態であるか高ベース状態Ａ，Ｂであるかに応じて、普図当りにするか否か（実際には普図当りにすること）及び普図変動パターンを決定し、普図ゲームの可変表示の表示結果が導出表示（普図当り図柄が停止表示）されたタイミングにおいて、遊技状態が低ベース状態と高ベース状態Ａ，Ｂのいずれであるかによって第２始動入賞口６１０の開放パターン（開放時間）を決定する形態を例示したが、本発明はこれに限定されるものではなく、遊技球がゲートスイッチ２１を通過したことに基づいて普図の可変表示開始条件が成立したときに、普図ゲームの表示結果、普図変動パターン、第２始動入賞口６１０の開放パターンを決定するようにしてもよい。
【０４９８】
また、前記実施の形態では、高ベース状態Ａ，Ｂにおける第２始動入賞口６１０の開放制御の実行中に低ベース状態に制御されても、第２始動入賞口６１０の開放制御が継続して実行される形態を例示したが、本発明はこれに限定されるものではなく、高ベース状態Ａ，Ｂにおける第２始動入賞口６１０の開放制御の実行中に低ベース状態に制御されたときに、実行中の第２始動入賞口６１０の開放制御を終了する（閉鎖する）ようにしてもよい。このようにすることで、高ベース状態Ａにおいて第２始動入賞口６１０がロング開放パターンに基づく２回目の開放制御を実行した場合でも、低ベース状態に制御されたタイミングで即座に第２始動入賞口６１０を閉鎖できるため、第２保留記憶数が増加することを抑制できる。
【０４９９】
また、前記実施の形態では、第２始動入賞口６１０が閉鎖した後に可変入賞球装置６Ｂを進入困難状態に維持する開放後時間（４０４８ｍｓ）を設定し、該開放後時間を、高ベース状態Ａ，Ｂにおける第１特図ゲーム及び第２特図ゲームのいずれか一方の可変表示時間よりも長くなるように設定することで、高ベース状態Ａ，Ｂにおいて時短制御が実行される回数が所定回数（１回や３回）となるように調整したり、第２保留記憶数が過度に増加しないように調整可能とした形態を例示したが、本発明はこれに限定されるものではなく、上記のように第１特図ゲーム及び第２特図ゲームのいずれか一方の可変表示時間と開放後時間との関係だけでなく、第２始動入賞口６１０の開放制御中における遊技球の入賞規定数を調整する（例えば、２個でなく１個または３個以上の規定数で終了するようにするなど）ことで、高ベース状態Ａ，Ｂにおける第２特図ゲーム（時短制御）の実行回数を調整するようにしてもよい。
【０５００】
また、前記実施の形態では、小当り図柄が停止表示されたタイミングで、高ベース状態Ａ，Ｂを終了して低ベース状態に制御する形態を例示したが、本発明はこれに限定されるものではなく、詳しくは、小当り図柄が停止表示されたタイミングや、小当り図柄が停止表示された後に図柄確定時間（５００ｍｓ）が経過したタイミングや、小当り遊技が開始されたタイミングや、小当り遊技状態が開始されてから終了するまでの期間のうちの任意のタイミング等であってもよい。つまり、高ベース状態Ａ，Ｂの終了条件は、所定回数（１回または３回）の小当り遊技における小当り図柄が停止表示されたタイミング、小当り図柄が停止表示された後に図柄確定時間（５００ｍｓ）が経過したタイミング、小当り遊技が開始されたタイミング、小当り遊技状態が開始されてから終了するまでの期間のうちの任意のタイミング等のうちいずれかで成立してもよい。さらに、高ベース状態Ａ，Ｂで、高ベース状態Ａ，Ｂの終了条件を上記複数のうち異なるタイミングで成立するようにしてもよい。
【０５０１】
また、前記実施の形態では、第１特図ゲームや第２特図ゲームにおける特図表示結果として「大当り（小当り経由ではなく、可変表示結果に基づく大当り）」を含まない形態を例示したが、本発明はこれに限定されるものではなく、第１特図ゲームや第２特図ゲームにおける特図表示結果として「大当り（いわゆる直撃大当り）」を含むようにしてもよい。
【０５０２】
また、特図表示結果として「大当り」を含むようにした場合において、パチンコ遊技機１は、大当りの当選確率（出球率）等の設定値（例えば、設定値「１」〜「６」などのいずれか）を変更可能な設定値変更機能を備え、該設定変更機能により、大当り確率（大当り表示結果となる確率）を設定値の値に応じて異ならせることが可能としてもよい（例えば、大当り確率を設定値「６」では１／２５０、設定値「１」では１／３２０とするなど）。すなわち、遊技の進行を制御する遊技制御手段（例えば、ＣＰＵ１０３）が、設定された設定値にもとづいて有利状態（大当り遊技状態）の制御を実行可能とすればよい。また、大当り確率を設定値の値に応じて異ならせる場合、例えば、各設定値に対応する特図表示結果判定テーブルにおける「大当り」や「ハズレ」の特図表示結果に割り当てられる判定値の数を異ならせることで実現できる。
【０５０３】
尚、上記設定値変更機能により、パチンコ遊技機１に設定されている設定値の値に応じて可変表示結果が大当りとなる確率（大当り確率）を異ならせても、可変表示結果が小当りとなる確率（小当り確率）、大当り種別や小当り種別の決定確率、変動パターンの決定確率は同一、つまり、設定値によらず共通としてもよい。これは、仮に小当り確率や大当り種別の決定確率、小当り種別の決定確率、変動パターンの決定確率等が設定値の値に応じて異なると、例えば、各設定値間での大当り確率に加えて小当り確率の差が過度になるなど、各設定値間での遊技性能の差が過度に顕著となってしまうためである。
【０５０４】
特に、変動パターンについては、本実施の形態では、高ベース状態Ａにおける特図変動パターンは２種類、高ベース状態Ｂにおける特図変動パターンは１種類であるが（図３９参照）、高ベース状態Ａ，Ｂにおける特図変動パターンとして、可変表示時間が短い特図変動パターンや長い特図変動パターン等を含む複数種類の特図変動パターンのうちからいずれかを決定可能とする場合において、高ベース状態Ａ，Ｂにおける特図変動パターンの決定確率を設定値に応じて異ならせると、単位時間（例えば１分）あたりの小当りの実行回数が変化してしまったり、低ベース状態に移行するタイミングが異なってしまうことなどによって、各設定値間での高ベース状態Ａ，Ｂの有利度の差が過度に顕著になる可能性がある。よって、小当り確率や大当り種別の決定確率、小当り種別の決定確率、変動パターンの決定確率等を設定値の値によらず共通とすることで、適切な遊技性を実現可能となる。
【０５０５】
また、パチンコ遊技機１が大当りや小当りの当選確率（出球率）等の設定値を変更可能な設定値変更機能を備える場合において、演出制御用ＣＰＵ１２０は、設定された設定値を示唆する示唆演出を所定のタイミング（例えば、図柄の可変表示中、大当りまたは小当り遊技状態中など）にて実行可能としてもよい。
【０５０６】
また、例えば、ＣＰＵ１０３は、特別図柄プロセス処理におけるＳ１０１の前または後において、可動通路体４００の動作確認を行うための第１動作確認制御を実行可能としてもよい。また、演出制御用ＣＰＵ１２０は、演出制御プロセス処理において演出可動体５００の動作確認を行うための第２動作確認制御を実行可能としてもよい。
【０５０７】
また、所定の契機により、前記第１動作確認制御の実行期間の少なくとも一部と前記第２動作確認制御の実行期間の少なくとも一部とが重複するように、ＣＰＵ１０３は前記第１動作確認制御を開始し、演出制御用ＣＰＵ１２０は前記第２動作確認制御を開始するようにしてもよい。具体的には、演出制御用ＣＰＵ１２０が、クリアスイッチがオンの状態で電源が投入された場合（コールドスタート時）、第１動作確認制御において可動通路体４００が第１進出位置にて停止している待機期間中に、第２動作確認制御を実行するようにしてもよい。また、演出制御用ＣＰＵ１２０が、クリアスイッチがオンの状態で電源が投入された場合（コールドスタート時）は、可動通路体４００の第１進出位置への移動を待たずに第２動作確認制御の実行を開始するようにしてもよい。このようにすることで、所定の契機に制御手段が異なる２つの可動体の動作確認制御が行われることで、それぞれの動作を一緒に確認することができる。
【０５０８】
また、前記実施の形態では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【符号の説明】
【０５０９】
１                パチンコ遊技機
６Ｂ              可変入賞球装置
７Ｂ              第２特別可変入賞球装置
１０３            ＣＰＵ
１２０            演出制御用ＣＰＵ
２０８            回転体
２４２            振分部材
２７２            Ｖ入賞球保持部
２７３Ａ〜２７３Ｅ  ハズレ球保持部
４００            可動通路体
５００            演出可動体
【図１】
2020068805.tif 000003
【図２】
2020068805.tif 000004
【図３】
2020068805.tif 000005
【図４】
2020068805.tif 000006
【図５】
2020068805.tif 000007
【図６】
2020068805.tif 000008
【図７】
2020068805.tif 000009
【図８】
2020068805.tif 000010
【図９】
2020068805.tif 000011
【図１０】
2020068805.tif 000012
【図１１】
2020068805.tif 000013
【図１２】
2020068805.tif 000014
【図１３】
2020068805.tif 000015
【図１４】
2020068805.tif 000016
【図１５】
2020068805.tif 000017
【図１６】
2020068805.tif 000018
【図１７】
2020068805.tif 000019
【図１８】
2020068805.tif 000020
【図１９】
2020068805.tif 000021
【図２０】
2020068805.tif 000022
【図２１】
2020068805.tif 000023
【図２２】
2020068805.tif 000024
【図２３】
2020068805.tif 000025
【図２４】
2020068805.tif 000026
【図２５】
2020068805.tif 000027
【図２６】
2020068805.tif 000028
【図２７】
2020068805.tif 000029
【図２８】
2020068805.tif 000030
【図２９】
2020068805.tif 000031
【図３０】
2020068805.tif 000032
【図３１】
2020068805.tif 000033
【図３２】
2020068805.tif 000034
【図３３】
2020068805.tif 000035
【図３４】
2020068805.tif 000036
【図３５】
2020068805.tif 000037
【図３６】
2020068805.tif 000038
【図３７】
2020068805.tif 000039
【図３８】
2020068805.tif 000040
【図３９】
2020068805.tif 000041
【図４０】
2020068805.tif 000042
【図４１】
2020068805.tif 000043
【図４２】
2020068805.tif 000044
【図４３】
2020068805.tif 000045
【図４４】
2020068805.tif 000046
【図４５】
2020068805.tif 000047
【図４６】
2020068805.tif 000048
【図４７】
2020068805.tif 000049
【図４８】
2020068805.tif 000050
【図４９】
2020068805.tif 000051
【図５０】
2020068805.tif 000052
【図５１】
2020068805.tif 000053
【図５２】
2020068805.tif 000054
【図５３】
2020068805.tif 000055
【図５４】
2020068805.tif 000056
【図５５】
2020068805.tif 000057
【図５６】
2020068805.tif 000058
【図５７】
2020068805.tif 000059
【図５８】
2020068805.tif 000060
【図５９】
2020068805.tif 000061
【図６０】
2020068805.tif 000062
【図６１】
2020068805.tif 000063
【図６２】
2020068805.tif 000064
【図６３】
2020068805.tif 000065
【図６４】
2020068805.tif 000066
【図６５】
2020068805.tif 000067